(57)【要約】【課題】  本発明のシステムと方法は、電気式及び／又は機械式機器をモニターし、ユーザは、機器の動作を双方向で、遠隔で変更することが可能である。装置の動作が遠隔で変更することが出来るので、対応する資源消費量を遠隔制御と遠隔調整することも出来る。【解決手段】  本発明の実施例は、ある遠隔装置、プロセス、或いはこの両方の使用、状態、パラメータまたは特徴を遠隔調整し、又は遠隔調整させ、資源需要の削減、及び／又は資源供給の増加を目指したものである。この遠隔調整は、複数台の遠隔装置、遠隔装置を稼動させるエネルギー供給者、ユーティリティ産業参加者、第三者、政府団体、トレーダまたは他のいかなる主体と関連するユーザにより行われる。資源消費の調整は、発生したイベント／条件、予め定められた予定、または他の予め定義されたスキームに基づいてもよい。【選択図】      図１７
2007510968.tif 000002
【特許請求の範囲】
【請求項１】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージを誘発する条件は、前記遠隔装置への有効エネルギーの予想される将来の減少であり；前記条件には、有効エネルギーの予想された将来の不足、予備または待機資源容量の削減、エネルギー生成停止、エネルギー送電停止、エネルギー配電停止、そして資源生成、資源供給、資源送電および資源配電の内の一つ以上へのテロまたはハッカー攻撃、の一又は複数個が含まれる；
各ステップで構成されたことを特徴とする制御方法。
【請求項２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージには、少なくとも一台の遠隔装置の動作を調整する指示が含まれ；該指示は、少なくとも一台の遠隔装置の状態、使用、一つ以上のパラメータ、一つ以上の設定値、動作特性、負荷サイクル、制御ロジック、およびスケジューリングの一又は複数個に関する指示である；
各ステップで構成されたことを特徴とする制御方法。
【請求項３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記少なくとも一台の遠隔装置を制御することに関連する前記少なくとも一台の遠隔装置の請求金額を調整する；
各ステップで構成されたことを特徴とする制御方法。
【請求項４】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記情報メッセージの利用者情報は、エネルギー消費装置、エネルギー伝達装置およびエネルギー生成装置の一台以上に関心を有する主体に関連した内容である；
各ステップで構成されたことを特徴とする制御方法。
【請求項５】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記遠隔装置のインターフェースユニットは、エネルギーメータ機器である；
各ステップで構成されたことを特徴とする制御方法。
【請求項６】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；少なくとも一つの情報メッセージは、少なくとも一台の遠隔装置を動作するための資源供給、資源配給、資源消費の一または複数に関する外部データに基づいて、自動的に生成される；
各ステップで構成されたことを特徴とする制御方法。
【請求項７】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
少なくとも一台の遠隔装置を調整することで、該少なくとも一台の遠隔装置に関する資源消費量と資源生成量の一つ以上についての変化量を決定する；
各ステップで構成されたことを特徴とする制御方法。
【請求項８】
前記変化が、資源消費の削減であることを特徴とする請求項７記載の制御方法。
【請求項９】
前記変化が、前記少なくとも一台の遠隔装置により生成出来る資源供給の増加であることを特徴とする請求項７記載の制御方法。
【請求項１０】
前記変化が、前記少なくとも一台の遠隔装置による資源消費の削減と、前記少なくとも一台の遠隔装置により生成出来る資源供給の増加との組み合わせであることを特徴とする請求項７記載の制御方法。
【請求項１１】
前記変化の量についてのデータが、通信リンク、携帯電話ネットワーク、無線網、衛星ネットワーク、ページング・ネットワーク、イーサネット（登録商標）ネットワーク、パケット網、インターネット、送電線、および複合ネットワーク、の一つ以上を経由して電子的に集められることを特徴とする請求項７記載の制御方法。
【請求項１２】
更に、資源の現在または予想価格が、特定の値より高いものであると決定するステップを含むことを特徴とする請求項７記載の制御方法。
【請求項１３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記少なくとも一台の遠隔装置は、少なくとも一つの情報メッセージに従って制御されていると判断する；
各ステップで構成されたことを特徴とする制御方法。
【請求項１４】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記少なくとも一台の遠隔装置を、少なくとも一つの情報メッセージに応答して行われた調整の以前の状態または条件へ、復元する；
各ステップで構成されたことを特徴とする制御方法。
【請求項１５】
前記復元ステップには、少なくとも一台の遠隔装置の状態、使用、一つ以上のパラメータ、一つ以上の設定値、動作特性、負荷サイクル、制御ロジック、およびスケジューリングの一つ以上を調整するステップを有するように構成されたことを特徴とする請求項１４記載の制御方法。
【請求項１６】
前記復元ステップが、所定期間の後に実行されることを特徴とする請求項１４記載の制御方法。
【請求項１７】
前記復元ステップが、トリガーイベントに応答して実行されることを特徴とする請求項１４記載の制御方法。
【請求項１８】
前記トリガーイベントには、有効エネルギー不足の好転、予備または待機資源容量の増加、エネルギー生成停止の減少または終了、エネルギー配電停止の減少または終了、そして資源生成、資源供給および資源配電の一つ以上へのテロ又はハッカー攻撃の減少または終了、の一つ以上が含まれることを特徴とする請求項１７記載の制御方法。
【請求項１９】
前記復元ステップが、復元コマンドの受信により実行されることを特徴とする請求項１７記載の制御方法。
【請求項２０】
前記復元コマンドが、前記少なくとも一台の遠隔装置の動作と関連した資源供給、配電および消費の一つ以上と関連する外部データに基づいて自動的に生成されることを１９記載の制御方法。
【請求項２１】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記少なくとも一つの情報メッセージに従って、前記少なくとも一台の遠隔装置を起動させ、停止させ、制御することの一つ以上により、前記一台以上の遠隔装置と関係する利用者の請求金額を調整する；
各ステップで構成されたことを特徴とする制御方法。
【請求項２２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記少なくとも一台の遠隔装置を停止させ、制御することの一つ以上により避けられた資源消費削減量に対する前記少なくとも一台の遠隔装置に関する請求金額を調整する；
各ステップで構成されたことを特徴とする制御方法。
【請求項２３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記少なくとも一台の遠隔装置を起動させ、制御することの一つ以上により増加させた資源供給量に対する前記少なくとも一台の遠隔装置に関する支払金額を調整する；
各ステップで構成されたことを特徴とする制御方法。
【請求項２４】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記少なくとも一つの情報メッセージに従って、前記少なくとも一台の遠隔装置を起動し、停止させ、制御することの一つ以上により、前記一台以上の遠隔装置と関係する利用者の請求金額を調整することと決済処理を行うことの一つ以上の為に、データを生成する；
各ステップで構成されたことを特徴とする制御方法。
【請求項２５】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記少なくとも一台の遠隔装置を停止させ、制御することの一つ以上により避けられた資源消費削減量に対する前記少なくとも一台の遠隔装置に関する請求金額を調整する；
各ステップで構成されたことを特徴とする制御方法。
【請求項２６】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記少なくとも一台の遠隔装置を起動させ、制御することの一つ以上により増加させた資源供給量に対する前記少なくとも一台の遠隔装置に関する支払金額を調整する；
各ステップで構成されたことを特徴とする制御方法。
【請求項２７】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
資源消費と資源生成の内の一つ以上に関係する適切な支払い者から、適切な受領者へ、正確な金額が支払われることを確実にする決済アクションを開始する；
各ステップで構成されたことを特徴とする制御方法。
【請求項２８】
更に、複数人の適切な支払い者から複数人の適切な受領者へ、適切な金額が支払われることを確実にする決済アクションを開始するステップを有する請求項２４記載の制御方法。
【請求項２９】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
少なくとも一台の遠隔装置と関係する利用者に、予め定められたベース金額と、資源消費および資源生成の一つ以上の変化量に対する金額との差額を補償する；
各ステップで構成されたことを特徴とする制御方法。
【請求項３０】
前記補償のステップが、前記利用者に対して貸方処理をすることで実行されることを特徴とする請求項２９記載の制御方法。
【請求項３１】
前記ベース金額が、資源消費および資源生成の一つ以上の変化量に対する平均金額で構成されたことを特徴とする請求項２９記載の制御方法。
【請求項３２】
前記ベース金額が、時間フレーム、季節および気象データの一つ以上に基づいて調整可能であることを特徴とする請求項２９記載の制御方法。
【請求項３３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；利用者は、前記中央サーバによって生成されたオファーを受け入れることができ；該オファーには、特定時間に又は特定時間内に前記ユーザが所定のアクションをとる為のインセンティブが含まれている；
各ステップで構成されたことを特徴とする制御方法。
【請求項３４】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記中央サーバで、少なくとも一つのコマンドを受け取り；前記少なくとも一つのコマンドは少なくとも一台の遠隔装置を制御し；前記少なくとも一つの情報メッセージは前記少なくとも一つのコマンドに基づき生成され；前記少なくとも一つのコマンドは一台以上の遠隔装置に関係するユーザからのオファーを含み、該オファーは、所定の検討用の前記ユーザが資源消費と資源供給の一つ以上での変化を起こさせるオファーである；
各ステップで構成されたことを特徴とする制御方法。
【請求項３５】
資源消費と資源供給の一つ以上での前記変化が、資源消費削減と資源供給増加の内の一つ以上を含むことを特徴とする請求項３４記載の制御方法。
【請求項３６】
前記オファーが、一人以上の主体に送信されることを特徴とする請求項３４記載の制御方法。
【請求項３７】
前記一人以上の主体の少なくとも一人の主体が、前記オファーを受け入れるべきかどうかを決定するように構成されたことを特徴とする請求項３６記載の制御方法。
【請求項３８】
更に、前記少なくとも一つの情報メッセージを生成する前に、オファーを受け入れるべきかどうかを、価格データ、供給データおよび需要データの一つ以上に基づいて決めるステップを有するように構成されたことを特徴とする請求項３４記載の制御方法。
【請求項３９】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットは、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるようにし；
少なくとも一つの信号を、変化を起こす効果を有する前記アクションを終了するために生成し；、
前記少なくとも一台のインターフェースユニットに、前記少なくとも一つの信号を送信し；前記一又は複数台の遠隔装置と通信する前記インターフェースユニットは、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるようにし；
前記所定の変化を起こさせる前記アクションを終了するための少なくとも一つの信号を生成し；そして
前記少なくとも一つの信号を前記少なくとも一台のインターフェースユニットに送信し、前記一又は複数台の遠隔装置と通信する前記少なくとも一台のインターフェースユニットは、前記少なくとも一つの制御信号に従い前記少なくとも一台の遠隔装置を制御し、前記所定の変化を起こさせる効果を有するアクションを終了する効果を有するアクションをとるようにする；
各ステップで構成されたことを特徴とする制御方法。
【請求項４０】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
前記所定の変化を起こさせる前記アクションを終了するための少なくとも一つのメッセージを生成し；そして
前記少なくとも一つのメッセージを前記少なくとも一台の通信装置に送信し；前記少なくとも一台の通信装置は、前記一台の遠隔装置のユーザまたは所有者の一又は複数の主体に関連する；
各ステップで構成されたことを特徴とする制御方法。
【請求項４１】
前記少なくとも一台の通信装置には、電子メール・システムまたは装置、ポケットベル、電話、SMSまたはテキスト通信処理装置、モバイル・コンピュータ、静止コンピューティング装置、ウェブ・ブラウザ、サーバ、ソフトウェアプログラム、ファックスの一つ以上が含まれることを特徴とする請求項４０記載の制御方法。
【請求項４２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージには、少なくとも一台の遠隔装置と関連した資源消費を削減させるか又は資源生成を増加させる指令が含まれる；
各ステップで構成されたことを特徴とする制御方法。
【請求項４３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記中央サーバで、少なくとも一つのコマンドを受け取り；前記少なくとも一つのコマンドは少なくとも一台の遠隔装置を制御し；前記少なくとも一つの情報メッセージは前記少なくとも一つのコマンドに基づき生成され；前記少なくとも一つのコマンドには、少なくとも一台の遠隔装置と関連した資源消費を削減させるか又は資源生成を増加させる指令(order)が含まれる；
各ステップで構成されたことを特徴とする制御方法。
【請求項４４】
前記資源消費が、エネルギー消費であることを特徴とする請求項４３記載の制御方法。
【請求項４５】
前記少なくとも一つの情報メッセージが、少なくとも一台の遠隔装置と関連した主体によって書き換え可能であることを特徴とする請求項４３記載の制御方法。
【請求項４６】
前記少なくとも一つのコマンドが、少なくとも一台の遠隔装置と関連した主体によって書き換え可能であることを特徴とする請求項４５記載の制御方法。
【請求項４７】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージは、資源消費と資源生成の複数の変化レベルから一つの変化レベルを指定できて；該各変化レベルは、一つ以上の資源消費および資源生成の異なるレベルを表している；
各ステップで構成されたことを特徴とする制御方法。
【請求項４８】
更に、価格データ、需要データおよび供給データが、前記指令(order)を決定するために評価参照されるステップを有するように構成されたことを特徴とする請求項４２記載の制御方法。
【請求項４９】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージは、主体が資源消費の削減および資源生成の増加の一つ以上について、予め定めた所定量を指定して要求するリクエストに基づいている；
各ステップで構成されたことを特徴とする制御方法。
【請求項５０】
前記予め定めた所定量が、需要データ、供給データ、装置データおよび契約データの一つ以上に基づく推定値であることを特徴とする請求項４９記載の制御方法。
【請求項５１】
前記予め定められた量が、利用者情報に格納されていることを特徴とする請求項４９記載の制御方法。
【請求項５２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記遠隔装置の一台以上は、一台以上のエネルギー関連機器である；
各ステップで構成されたことを特徴とする制御方法。
【請求項５３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記遠隔装置の一台以上は、該一台以上の遠隔装置の初期起動、停止、調整の後に、選択的に再調整され、再起動され、又は再停止される；
各ステップで構成されたことを特徴とする制御方法。
【請求項５４】
前記一台以上の遠隔装置が、少なくとも一つのコマンドによって選択的に再調整され、再起動され、再停止されることを特徴とする請求項５３記載の制御方法。
【請求項５５】
前記一台以上の遠隔装置が、付加的な少なくとも一つの情報メッセージによって、選択的に再調整され、再起動され、再停止されることを特徴とする請求項５３記載の制御方法。
【請求項５６】
前記一台以上の遠隔装置が、少なくとも一人の予定受信者に関連する通信装置へのメッセージ送信に反応して、選択的に再調整され、再起動され、再停止されることを特徴とする請求項５３記載の制御方法。
【請求項５７】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージは、第2主体が資源消費を削減し又は資源生成を増加することに関する回答用複数の調整レベルから一つの調整レベルを選択する、第１主体から前記第2主体に対するリクエストに基づく；
各ステップで構成されたことを特徴とする制御方法。
【請求項５８】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記中央サーバで、少なくとも一つのコマンドを受け取り；前記少なくとも一つのコマンドは少なくとも一台の遠隔装置を制御し；前記少なくとも一つの情報メッセージは前記少なくとも一つのコマンドに基づき生成され；前記少なくとも一つのコマンドは、第2主体が資源消費を削減し又は資源生成を増加することに関する回答用複数の調整レベルから一つの調整レベルを選択する、第１主体から前記第2主体に対するリクエストに基づく；
各ステップで構成されたことを特徴とする制御方法。
【請求項５９】
前記複数の調整のレベルには、調整無しと微調整の一つ以上が含まれていることを特徴とする請求項５７記載の制御方法。
【請求項６０】
前記各調整のレベルが、対応するインセンティブを有するように構成されたことを特徴とする請求項５７記載の制御方法。
【請求項６１】
前記第1の主体が、少なくとも一台の遠隔装置を稼動させる資源供給者であることを特徴とする請求項５７記載の制御方法。
【請求項６２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージは、資源消費削減と資源生成増加の一つ以上を要請している第1の主体からのリクエストに基づいており；資源消費または資源生成の一つ以上に関する調整レベルは、利用者情報に基づいて、前記第2主体のために計算される；
各ステップで構成されたことを特徴とする制御方法。
【請求項６３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記中央サーバで、少なくとも一つのコマンドを受け取り；前記少なくとも一つのコマンドは少なくとも一台の遠隔装置を制御し；前記少なくとも一つの情報メッセージは前記少なくとも一つのコマンドに基づき生成され；前記少なくとも一つのコマンドは、資源消費削減と資源生成増加の一つ以上を要請している第1の主体からのリクエストで構成され；資源消費または資源生成の一つ以上に関する調整レベルは、利用者情報に基づいて、前記第2主体のために計算される；
各ステップで構成されたことを特徴とする制御方法。
【請求項６４】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージは、資源消費削減と資源生成増加の一つ以上を要請している第1の主体からのリクエストに基づいており；資源消費または資源生成の一つ以上に関する調整レベルは、複数の主体のための全体的な目標需要または供給目標に基づいて、前記第2主体のために計算される；
各ステップで構成されたことを特徴とする制御方法。
【請求項６５】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記中央サーバで、少なくとも一つのコマンドを受け取り；前記少なくとも一つのコマンドは少なくとも一台の遠隔装置を制御し；前記少なくとも一つの情報メッセージは前記少なくとも一つのコマンドに基づき生成され；前記少なくとも一つのコマンドは、資源消費削減と資源生成増加の一つ以上を要請している第1の主体からのリクエストで構成されており；資源消費または資源生成の一つ以上に関する調整レベルは、複数の主体のための全体的な目標需要または供給目標に基づいて、前記第2主体のために計算される；
各ステップで構成されたことを特徴とする制御方法。
【請求項６６】
前記第2の主体が、調整のレベルがどのように一台以上の遠隔装置の全体にわたって分配されるかについて決定するように構成されたことを特徴とする請求項６４記載の制御方法。
【請求項６７】
前記第2の主体が、調整される一台以上の遠隔装置を決定し、そして前記一台以上の遠隔装置の調整順序を決定するように構成されたことを特徴とする請求項６４記載の制御方法。
【請求項６８】
前記一台以上の遠隔装置の各々の予測調整量が、決定されることを特徴とする請求項６７記載の制御方法。
【請求項６９】
前記第2の主体が、調整のレベルがどのように一台以上の遠隔装置の全体にわたって分配されるかについて決定するように構成されたことを特徴とする請求項６５記載の制御方法。
【請求項７０】
前記第2の主体が、調整される一台以上の遠隔装置を決定し、そして前記一台以上の遠隔装置の調整順序を決定するように構成されたことを特徴とする請求項６５記載の制御方法。
【請求項７１】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージは、インセンティブ用の所定金額により、資源消費削減と資源生成増加の一つ以上を要請している主体からのリクエストに基づいている；
各ステップで構成されたことを特徴とする制御方法。
【請求項７２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記中央サーバで、少なくとも一つのコマンドを受け取り；前記少なくとも一つのコマンドは少なくとも一台の遠隔装置を制御し；前記少なくとも一つの情報メッセージは前記少なくとも一つのコマンドに基づき生成され；前記少なくとも一つのコマンドは、インセンティブ用の所定金額により、資源消費削減と資源生成増加の一つ以上を要請している主体からのリクエストに基づいている；
各ステップで構成されたことを特徴とする制御方法。
【請求項７３】
前記一台以上の遠隔装置に関連する利用者が、前記インセンティブに応じて、資源消費削減と資源生成増加の一つ以上の量を決定するように構成されたことを特徴とする請求項７１記載の制御方法。
【請求項７４】
前記資源消費が、エネルギー消費であることを特徴とする請求項７１記載の制御方法。
【請求項７５】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
通知メッセージを、少なくとも一台の通信装置に送信し；この通知メッセージは、一人以上の予定受信者に前記少なくとも一つの情報メッセージの配信完了または配信未完について通知する；
各ステップで構成されたことを特徴とする制御方法。
【請求項７６】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
前記中央サーバで、少なくとも一つのコマンドを受け取り；前記少なくとも一つのコマンドは少なくとも一台の遠隔装置を制御し；前記少なくとも一つの情報メッセージは前記少なくとも一つのコマンドに基づき生成され；そして
通知メッセージを、少なくとも一台の通信装置に送信し；該通知メッセージは、一人以上の予定受信者に資源消費と資源生成の一つ以上における変化について通知する；
各ステップで構成されたことを特徴とする制御方法。
【請求項７７】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
特定の調整のための、ある主体の資源消費および資源生成の一つ以上における前記変化の変化量を計算し；そして
前記変化量をデータベースに格納する；
各ステップで構成されたことを特徴とする制御方法。
【請求項７８】
前記変化量が、実際の量、概算量、測定量、計算量、概略量、サンプル抽出量、標準化量、前以て定めた量、補外量、内挿量の一つ以上から成っていることを特徴とする請求項７７記載の制御方法。
【請求項７９】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
所定の調整レベルのための、ある主体の資源消費および資源生成の一つ以上における潜在的変化量を計算し；そして
前記潜在的変化量をデータベースに格納する；
各ステップで構成されたことを特徴とする制御方法。
【請求項８０】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記アクションから生じた特定分野内での資源消費および資源生成の一つ以上における変化量一単位で、補償料を決定する；
各ステップで構成されたことを特徴とする制御方法。
【請求項８１】
資源消費および資源生成の一つ以上における前記変化量一単位が、エネルギーの所定キロワットまたはキロワット時であることを特徴とする請求項８０記載の制御方法。
【請求項８２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
利用者に、資源消費および資源生成の変化の一つ以上の前記変化量を、取引システムを介してトレード、購入、又は売却し；該変化量は、現時点の変化量、将来の変化量および以前の変化量である；
各ステップで構成されたことを特徴とする制御方法。
【請求項８２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
利用者に、資源消費および資源生成の変化の一つ以上の前記変化量を、一人以上の主体から一つ以上の入札を落札させる；
各ステップで構成されたことを特徴とする制御方法。  
【請求項８３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
利用者に、一つ以上の資源消費と資源生成の一つ以上の予定変化量の入札申し込みを行わせ；前記少なくとも一つの情報メッセージは前記予定変化量に基づいて生成されている；
各ステップで構成されたことを特徴とする制御方法。
【請求項８４】
前記一人以上の主体には、一人以上の他の利用者、一人以上の資源供給者、一人以上の資源転送主体、一人以上の資源分配主体、トレーディング主体、中央サーバと関連した一人以上の利用者が含まれることを特徴とする請求項８３記載の制御方法。
【請求項８５】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
資源消費および資源生成の一つ以上の調整のために、一人以上の主体からの落札に関して一つ以上の条件を定める；
各ステップで構成されたことを特徴とする制御方法。
【請求項８６】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
一台以上の遠隔装置の動作と関連した一つ以上の資源消費量を評価し；そして
一つ以上の資源の資源供給量を評価する；
各ステップで構成されたことを特徴とする制御方法。
【請求項８７】
前記資源消費量が、複数の遠隔装置と関連した総計消費データであることを特徴とする請求項８６記載の制御方法。
【請求項８８】
前記消費量が、一つ以上の現在消費高、理論的消費高、予想される消費高、所定の時間内での安定消費高、所定の時間内のピーク消費高、および所定の時間内の平均消費高であることを特徴とする請求項８６記載の制御方法。
【請求項８９】
前記消費量が、予め定義された領域中の総計消費高に関連する複数の遠隔装置から補外推定されたことを特徴とする請求項８６記載の制御方法。
【請求項９０】
前記複数台の遠隔装置が、少なくとも一台の通信装置と通信中の一台以上の遠隔装置と、他の遠隔装置の組み合わせで構成されたことを特徴とする請求項８９記載の制御方法。
【請求項９１】
更に、資源消費と資源生成の一つ以上を、評価供給量から予め定められた量だけ異なる評価消費総量に基づいて調整するステップを有するように構成されたことを特徴とする請求項８６記載の制御方法。
【請求項９２】
前記評価消費量が、複数の遠隔装置からの総計消費データで構成されたことを特徴とする請求項９１記載の制御方法。
【請求項９３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記一台以上の遠隔装置の前記動作と関連する一つ以上の資源と関連した価格データを、評価し；該価格データは、前記少なくとも一つの情報メッセージを生成する際に考慮される;
各ステップで構成されたことを特徴とする制御方法。
【請求項９４】
前記価格データが、少なくとも一つの予め定められた価格閾値と比較されることを特徴とする請求項９３記載の制御方法。
【請求項９５】
前記少なくとも一つの予め定められた価格閾値が、利用者情報に格納されていることを特徴とする請求項９４記載の制御方法。
【請求項９６】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
複数の遠隔装置をモニターし；そして
複数の価格データを、データをモニターする前記ステップに少なくとも部分的に基づいて決定し；該複数の価格データは、前記少なくとも一つの情報メッセージを生成する際に考慮される；
各ステップで構成されたことを特徴とする制御方法。
【請求項９７】
前記複数の遠隔装置が、資源転送装置、資源分配装置、一台以上の装置およびメータ装置の一台以上から構成されたことを特徴とする請求項９６記載の制御方法。
【請求項９８】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
前記中央サーバで、少なくとも一つのコマンドを受け取り；前記少なくとも一つのコマンドは少なくとも一台の遠隔装置を制御し；前記少なくとも一つの情報メッセージは前記少なくとも一つのコマンドに基づき生成され；
複数の遠隔装置をモニターし；そして
複数の価格データを、データをモニターする前記ステップに少なくとも部分的に基づいて決定し；該複数の価格データは、前記少なくとも一つのコマンドを生成する際に考慮される；
各ステップで構成されたことを特徴とする制御方法。
【請求項９９】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記一台以上の遠隔装置の動作と関連する一つ以上の資源と関連した価格データを、評価し；該価格データは、前記少なくとも一台の遠隔装置の起動、停止、制御、制御の不拘束の少なくとも一つを実行する際に考慮される；
各ステップで構成されたことを特徴とする制御方法。
【請求項１００】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記一台以上の遠隔装置の動作と関連する一つ以上の資源と関連した消費量と供給量の一つ以上の予測データを、評価し；該評価した予想データは、少なくとも一つの情報メッセージを生成する際に考慮される；
各ステップで構成されたことを特徴とする制御方法。
【請求項１０１】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記一台以上の装置の動作と関連する装置機能データを、評価し；該評価した装置機能データは、少なくとも一つの情報メッセージを生成する際に考慮される；
各ステップで構成されたことを特徴とする制御方法。
【請求項１０２】
前記装置関数データには、遠隔装置を動作させる際の一つ以上のコスト・データ、前記遠隔装置を動作するための一つ以上の資源のコスト・データ、前記少なくとも一台の遠隔装置よる資源消費および資源生成の一つ以上を調整する能力および他の複数台の装置との関係で前記遠隔装置を制御する優先度に関する情報が含まれることを特徴とする請求項１０１記載の制御方法。
【請求項１０３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記一台以上の遠隔装置の動作に影響を及ぼす気象状況データを、評価し;該評価された気象状況データは、少なくとも一つの情報メッセージを生成する際に考慮される；
各ステップで構成されたことを特徴とする制御方法。
【請求項１０４】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記一台以上の遠隔装置の動作と関連した利用者情報データを、評価し;該評価された利用者情報データは、少なくとも一つの情報メッセージを生成する際に考慮される；
各ステップで構成されたことを特徴とする制御方法。
【請求項１０５】
前記利用者情報データが、平均的需要および平均的供給の一つ以上を表すデータで構成されたことを特徴とする請求項１０４記載の制御方法。
【請求項１０６】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
一つ以上のイベント条件を、評価し；該イベント条件は、電力削減警告、全国または地域または地区の安全警告、電源またはエネルギー不足警告、テロ攻撃、停電、機器停止、動力系統復元を含み；前記評価した一つ以上のイベント条件は、前記少なくとも一つの情報メッセージを生成する際に考慮される；
各ステップで構成されたことを特徴とする制御方法。
【請求項１０７】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
主体からの一つ以上のエネルギー削減強制命令を、確認し；該エネルギー削減強制命は、少なくとも一つの情報メッセージを生成する際に考慮される；
各ステップで構成されたことを特徴とする制御方法。
【請求項１０８】
前記エネルギー削減強制命が、自己課題されたものであることを特徴とする請求項１０７記載の制御方法。
【請求項１０９】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記一台以上の遠隔装置の前記動作を、消費量および評価された供給量の一つ以上に少なくとも部分的に基づいて、バランスをとる；
各ステップで構成されたことを特徴とする制御方法。
【請求項１１０】
前記バランスをとるステップが、一人以上の主体間でも行われることを特徴とする請求項１０９記載の制御方法。
【請求項１１１】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
フィードバック・データを、前記少なくとも一つの情報メッセージの送信に応答して受信し;そして
少なくとも一つの追加的な情報メッセージを、前記フィードバック・データに従って生成する；
各ステップで構成されたことを特徴とする制御方法。
【請求項１１２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
フィードバック・データを、前記少なくとも一台の遠隔装置の調整に応答して受信し;そして
前記フィードバック・データに少なくとも部分的に基づいて、一台以上の遠隔装置の動作を再調整する；
各ステップで構成されたことを特徴とする制御方法。
【請求項１１３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
フィードバック・データを、少なくとも一台の遠隔装置の調整に応答して受信し;少なくとも一つのメッセージを、前記受信したフィードバック・データに基づいて生成し;そして
前記少なくとも一つのメッセージを、少なくとも一台の通信装置に送信し；前記少なくとも一台の通信装置は、少なくとも一人の受信者に関係している；
各ステップで構成されたことを特徴とする制御方法。
【請求項１１４】
前記再調整のステップが、付加的な少なくとも一つの情報メッセージに応答して実行されることを特徴とする請求項１１２記載の制御方法。
【請求項１１５】
前記再調整のステップが、前記一台以上の遠隔装置を起動し、停止させ、制御する各ステップの一つ以上のステップを含むことを特徴とする請求項１１２記載の制御方法。
【請求項１１６】
前記フィードバック・データが、装置レベル・データおよび利用者レベル・データの一つ以上で構成されたことを特徴とする請求項１１２記載の制御方法。
【請求項１１７】
前記フィードバック・データが、複数の主体の総計データで構成されたことを特徴とする請求項１１２記載の制御方法。
【請求項１１８】
前記フィードバック・データが、特定の主体から独立している総計データで構成されたことを特徴とする請求項１１２記載の制御方法。
【請求項１１９】
前記再調整のステップが、前記少なくとも一台の遠隔装置の調整と関連したインセンティブを調整するステップを含むことを特徴とする請求項１１２記載の制御方法。
【請求項１２０】
前記再調整のステップが、前記少なくとも一台の遠隔装置の動作と関連する資源と関連した価格を調整するステップを含むことを特徴とする請求項１１２記載の制御方法。
【請求項１２１】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
前記一台以上の遠隔装置の少なくとも一つのパフォーマンス測定値を、測定し；
前記一台以上の遠隔装置の将来のパフォーマンスを、前記測定ステップに基づいて予測し;そして
前記少なくとも一つの情報メッセージを、前記予測された将来のパフォーマンスに少なくとも部分的に基づいて生成する;
各ステップで構成されたことを特徴とする制御方法。
【請求項１２２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記パフォーマンス測定値の少なくとも一つが、一つ以上の状態特性、パラメータおよび動作特性を含み；そして前記将来のパフォーマンスが、将来の資源消費と将来の資源生成の一つ以上を含む；
各ステップで構成されたことを特徴とする制御方法。
【請求項１２３】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
利用者と関連した一台以上の遠隔装置を、モニターし、該利用者は、前記一台以上の遠隔装置を特定する利用者情報を有しており；そして
前記少なくとも一つの情報メッセージを、少なくとも前記モニターするステップに少なくとも部分的に基づいて、自動的に生成する；
各ステップで構成されたことを特徴とする制御方法。
【請求項１２４】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
少なくとも一つのトリガー条件を、前記少なくとも一台以上の遠隔装置の資源消費と資源生成の一つ以上の調整を自動的に起動するために特定し；該調整が、前記少なくとも一台の遠隔装置に関する状態、使用、パラメータ、設定値、動作特性、負荷サイクル、制御ロジックおよび予定に対して行われ;そして
前記情報メッセージの少なくとも一つを、前記少なくとも一つのトリガー条件の発生に応答して生成する;
各ステップで構成されたことを特徴とする制御方法。
【請求項１２５】
前記トリガー条件の少なくとも1つが、利用者によって定義される予め定められたトリガー条件で構成されたことを特徴とする請求項１２４記載の制御方法。
【請求項１２６】
前記トリガー条件の少なくとも1つが、前記少なくとも一台の遠隔装置の資源消費と資源生成の少なくとも1つにおける予め定められた調整予定で構成されたことを特徴とする請求項１２４記載の制御方法。
【請求項１２７】
前記トリガー条件の少なくとも1つが、予め定められた気象状況で構成され、この予め定められた気象状況の発生が、少なくとも一台以上の遠隔装置の資源消費と資源生成の一つ以上の調整を自動的に起動するように構成されたことを特徴とする請求項１２４記載の制御方法。
【請求項１２８】
前記トリガー条件の少なくとも1つが、電力調節を強制する差し迫った事態発生イベントの警告メッセージで構成されたことを特徴とする請求項１２４記載の制御方法。
【請求項１２９】
前記トリガー条件の少なくとも1つが、リアルタイムの価格データ、略リアルタイムの価格データ、将来のおよび予想される価格データで構成されたことを特徴とする請求項１２４記載の制御方法。
【請求項１３０】
前記価格データが、市価データで構成されたことを特徴とする請求項１２９記載の制御方法。
【請求項１３１】
前記トリガー条件の少なくとも1つが、時刻、曜日および季節データを含む予め定められた条件で構成されたことを特徴とする請求項１２４記載の制御方法。
【請求項１３２】
前記トリガー条件の少なくとも1つが、現在の余剰資源と不足資源のデータを含む予め定められた条件で構成されたことを特徴とする請求項１２４記載の制御方法。
【請求項１３３】
前記トリガー条件の少なくとも1つが、予測した余剰資源と不足資源のデータを含む予め定められた条件で構成されたことを特徴とする請求項１２４記載の制御方法。
【請求項１３４】
前記トリガー条件の少なくとも1つが、予め定められた閾値に対する価格変動を含む予め定められた条件で構成されたことを特徴とする請求項１２４記載の制御方法。
【請求項１３５】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；そして
前記中央サーバで、少なくとも一つのコマンドを受け取り；前記少なくとも一つのコマンドは少なくとも一台の遠隔装置を制御し；前記少なくとも一つの情報メッセージは、前記少なくとも一つのコマンドに基づいて生成され；前記少なくとも一つのコマンドは、少なくとも一台の遠隔装置と関係する利用者から送信され、この利用者は関連する利用者情報を有する；
各ステップで構成されたことを特徴とする制御方法。
【請求項１３６】
前記利用者情報が、一台以上の遠隔装置の制御に対する中央サーバの制御権に関して、利用者と主体との間における全体的あるいは部分的な協定を定めることを特徴とする請求項１３５記載の制御方法。
【請求項１３７】
前記主体が、一台以上の遠隔装置の動作について、またはイベントに応答して、利用者と関連する権利を覆す権利を保有するように構成されたことを特徴とする請求項１３５記載の制御方法。
【請求項１３８】
前記利用者が、利用者情報と、前記利用者が一つ以上の権利を譲渡した情報の一つ以上について、全部又は一部を定義し、修正するように構成されたことを特徴とする請求項１３５記載の制御方法。
【請求項１３９】
前記前記利用者が、前記定義または修正を、インターネットを経由して実行するように構成されたことを特徴とする請求項１３８記載の制御方法。
【請求項１４０】
前記利用者が、資源のトレード・ネットワークへの参加または交換に関連して、利用者情報の全部または一部を利用可能にするように構成されたことを特徴とする請求項１３５記載の制御方法。
【請求項１４１】
前記利用者が、利用者情報に関連したデータを、他の利用者と共有するように構成されたことを特徴とする請求項１４０記載の制御方法。
【請求項１４２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；少なくとも一つの予め定められた規則は、少なくとも一台の遠隔装置を制御することに関連する；
各ステップで構成されたことを特徴とする制御方法。
【請求項１４３】
前記少なくとも一つの予め定められた規則が、一台以上の遠隔装置と関係する利用者によって定義されることを特徴とする請求項１４２記載の制御方法。
【請求項１４４】
前記少なくとも一つの予め定められた規則が、インターネット経由により利用者インターフェースで定められることを特徴とする請求項１４２記載の制御方法。
【請求項１４５】
前記少なくとも一つの予め定められた規則が、利用者と関連した利用者情報に格納されていることを特徴とする請求項１４２記載の制御方法。
【請求項１４６】
前記前記少なくとも一つの予め定められた規則が、一つ以上の状況規則で構成され、該状況規則が、識別された状況に適用できることを特徴とする請求項１４２記載の制御方法。
【請求項１４７】
前記少なくとも一つの予め定められた規則が、一台以上の遠隔装置に特有の予め定められた規則で構成されたことを特徴とする請求項１４２記載の制御方法。
【請求項１４８】
前記少なくとも一つの予め定められた規則が、フィードバック・データにより変化するように構成されたことを特徴とする請求項１４２記載の制御方法。
【請求項１４９】
前記少なくとも一つの予め定められた規則が、状況により変化するように構成されたことを特徴とする請求項１４８記載の制御方法。
【請求項１５０】
前記少なくとも一つの予め定められた規則が、動的に変化するように構成されたことを特徴とする請求項１４８記載の制御方法。
【請求項１５１】
前記少なくとも一つの情報メッセージが、少なくとも一つの予め定められた規則に従って生成されることを特徴とする請求項１４２記載の制御方法。
【請求項１５２】
前記少なくとも一つの予め定められた規則が、一台以上の遠隔装置の一つ以上の状態、使用、一つ以上のパラメータ、一つ以上の設定値、動作特性、負荷サイクル、制御ロジック、およびスケジューリング、の一つ以上の要素を制御するように構成されたことを特徴とする請求項１５１記載の制御方法。
【請求項１５３】
前記少なくとも一つの予め定められた規則が、一台以上の遠隔装置がどのようにモニターされるかについて特定するように構成されたことを特徴とする請求項１５２記載の制御方法。
【請求項１５４】
前記利用者定義規則が、一台以上の遠隔装置に関する制御と調整の複数レベルで構成されたことを特徴とする請求項１５２記載の制御方法。
【請求項１５５】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージは、少なくとも一台の遠隔装置またはこの少なくとも一台の遠隔装置の一つ以上のコンポーネントを起動し、停止する一つ以上のアクションを起動させる；
各ステップで構成されたことを特徴とする制御方法。
【請求項１５６】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一つの情報メッセージは、設定値を変えること、複数のパラメータを変えること、少なくとも一台の遠隔装置への一つ以上の入力を変えること、少なくとも一台の遠隔装置の状態を変えること、予め定義された期間、少なくとも一台の遠隔装置に供給される資源の量を削減すこと、少なくとも一台の遠隔装置の負荷サイクルを変えること、少なくとも一台の遠隔装置の使用予定を変えること、少なくとも一台の遠隔装置の作業負荷または使用方法を変えること、少なくとも一台の遠隔装置の一つ以上の動作特性を変えること、及び少なくとも一台の遠隔装置のプログラミングまたはソフトウェア実行を変えること、の一つ又は複数のアクションを起動させる；
各ステップで構成されたことを特徴とする制御方法。
【請求項１５７】
前記少なくとも一つの予め定められた規則が、少なくとも一台の遠隔装置の資源消費と資源生成の一つ以上の要素の、一つ以上の調整をいつ、どの様に行うかを特定するように構成されたことを特徴とする請求項１５６記載の制御方法。
【請求項１５８】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
利用者タイプを確認し；そして
一台以上の遠隔装置を、予め定められたイベントの間に利用者タイプに基づいたモードで動作させる；
各ステップで構成されたことを特徴とする制御方法。
【請求項１５９】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
実行されたアクションの確認を受信し；そして
一人以上の受信者に前記確認を通知する；
各ステップで構成されたことを特徴とする制御方法。
【請求項１６０】
前記通知のステップは；
前記確認に基づいて少なくとも一つのメッセージを生成し；そして
前記少なくとも一つのメッセージを、前記少なくとも一台の通信装置に送信し、前記少なくとも一台の通信装置は、少なくとも一人の予定受信者に関連する；
各ステップで構成されたことを特徴とする請求項１５９記載の制御方法。
【請求項１６１】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；
前記少なくとも一つの情報メッセージに従ったアクションを実行するのに失敗した一台以上の遠隔装置を、認識し；そして
一人以上の受信者へ、前記認識した一台以上の遠隔装置について通知する；
各ステップで構成されたことを特徴とする制御方法。
【請求項１６２】
更に、前記通知するステップは；
少なくとも一つのメッセージを、前記認識ステップに基づいて生成し；そして
前記少なくとも一つのメッセージを、前記少なくとも一台の通信装置へ送信し、前記少なくとも一台の通信装置は、少なくとも一人の予定受信者に関連している；
各ステップで構成されたことを特徴とする請求項１６１記載の制御方法。
【請求項１６３】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージを誘発する条件には、有効エネルギーの予想された将来の不足、予備または待機資源容量の削減、エネルギー生成停止、エネルギー送電停止、エネルギー配電停止、そして資源生成、資源供給、資源送電および資源配電の内の一つ以上へのテロまたはハッカー攻撃、の一又は複数個が含まれるように構成した通信リンク；
とで構成されたことを特徴とする制御システム。
【請求項１６４】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージには、少なくとも一台の遠隔装置の動作を調整する指示が含まれ；該指示は、少なくとも一台の遠隔装置の状態、使用、一つ以上のパラメータ、一つ以上の設定値、動作特性、負荷サイクル、制御ロジック、およびスケジューリングの一又は複数個に関する指示が含まれるように構成した通信リンク；
とで構成されたことを特徴とする制御システム。
【請求項１６５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと：そして
前記少なくとも一台の遠隔装置を制御することに関連する前記少なくとも一台の遠隔装置の請求金額を調整する請求モジュール；
とで構成されたことを特徴とする制御システム。
【請求項１６６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；少なくとも一つのコマンドが利用者情報に従い生成され；前記情報メッセージの利用者情報には、エネルギー消費装置、エネルギー伝達装置およびエネルギー生成装置の一台以上に関心を有する主体に関連した内容が含まれるように構成した通信リンク；
とで構成されたことを特徴とする制御システム。
【請求項１６７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記遠隔装置は、発電機、ジェネレータ制御、自動切換スイッチ、燃料電池、太陽電池および風力タービン、の一つ以上であるように構成した通信リンク；
とで構成されたことを特徴とする制御システム。
【請求項１６８】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージは少なくとも一つの制御信号を有し；前記少なくとも一台の通信装置は、少なくとも一台のインターフェースユニットを有し；前記一又は複数台の遠隔装置と通信する前記インターフェースユニットは、前記少なくとも一つの制御信号に従い前記少なくとも一台の遠隔装置を制御し、前記少なくとも一台の遠隔装置の資源消費と資源生成の内の一つ以上に所定の変化を起こさせるアクションをとらせ；前記記遠隔装置のインターフェースユニットは、エネルギーメータ機器であるように構成した通信リンク；
とで構成されたことを特徴とする制御システム。
【請求項１６９】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージは、少なくとも一台の遠隔装置を動作するための資源供給、資源配給、資源消費の一または複数に関する外部データに基づいて、自動的に生成されるように構成した通信リンク；
とで構成されたことを特徴とする制御システム。
【請求項１７０】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
少なくとも一台の遠隔装置を調整することで、該少なくとも一台の遠隔装置に関する資源消費量と資源生成量の一つ以上についての変化量を決定する決定モジュール；
とで構成されたことを特徴とする制御システム。
【請求項１７１】
前記変化が、資源消費の削減であることを特徴とする請求項１７０記載の制御システム。
【請求項１７２】
前記変化が、前記少なくとも一台の遠隔装置により生成出来る資源供給の増加であることを特徴とする請求項１７０記載の制御システム。
【請求項１７３】
前記変化が、前記少なくとも一台の遠隔装置による資源消費の削減と、前記少なくとも一台の遠隔装置により生成出来る資源供給の増加との組み合わせであることを特徴とする請求項１７０記載の制御システム。
【請求項１７４】
前記変化の量についてのデータが、通信リンク、携帯電話ネットワーク、無線網、衛星ネットワーク、ページング・ネットワーク、イーサネット（登録商標）ネットワーク、パケット網、インターネット、送電線、および複合ネットワーク、の一つ以上を経由して電子的に集められることを特徴とする請求項１７０記載の制御システム。
【請求項１７５】
更に、資源の現在または予想価格が、特定の値より高いものであると決定する決定モジュールを含むことを特徴とする請求項１７０記載の制御システム。
【請求項１７６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記少なくとも一台の遠隔装置は、少なくとも一つの情報メッセージに従って制御されていると判断する決定モジュール；
とで構成されたことを特徴とする制御システム。
【請求項１７７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記少なくとも一台の遠隔装置を、少なくとも一つの情報メッセージに応答して行われた調整の以前の状態または条件へ、復元するコマンド・モジュール；
とで構成されたことを特徴とする制御システム。
【請求項１７８】
前記コマンド・モジュールが、少なくとも一台の遠隔装置の状態、使用、一つ以上のパラメータ、一つ以上の設定値、動作特性、負荷サイクル、制御ロジック、およびスケジューリングの一つ以上を復元するように構成されたことを特徴とする請求項１７７記載の制御システム。
【請求項１７９】
前記復元が、所定期間の後に実行されることを特徴とする請求項１７７記載の制御システム。
【請求項１８０】
前記復元が、トリガーイベントに応答して実行されることを特徴とする請求項１７７記載の制御システム。
【請求項１８１】
前記トリガーイベントには、有効エネルギー不足の好転、予備または待機資源容量の増加、エネルギー生成停止の減少または終了、エネルギー配電停止の減少または終了、そして資源生成、資源供給および資源配電の一つ以上へのテロ又はハッカー攻撃の減少または終了、の一つ以上が含まれることを特徴とする請求項１８０記載の制御システム。
【請求項１８２】
前記復元が、復元コマンドの受信により実行されることを特徴とする請求項１８０記載の制御システム。
【請求項１８３】
前記復元コマンドが、前記少なくとも一台の遠隔装置の動作と関連した資源供給、配電および消費の一つ以上と関連する外部データに基づいて自動的に生成されることを特徴とする請求項１８２記載の制御システム。
【請求項１８４】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと：そして
前記少なくとも一つの情報メッセージに従って、前記少なくとも一台の遠隔装置を起動させ、停止させ、制御することの一つ以上により、前記一台以上の遠隔装置と関係する利用者の請求金額を調整する請求モジュール；
とで構成されたことを特徴とする制御システム。
【請求項１８５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと：そして
前記少なくとも一台の遠隔装置を停止させ、制御することの一つ以上により避けられた資源消費削減量に対する前記少なくとも一台の遠隔装置に関する請求金額を調整する請求モジュール；
とで構成されたことを特徴とする制御システム。
【請求項１８６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと：そして
前記少なくとも一台の遠隔装置を起動させ、制御することの一つ以上により増加させた資源供給量に対する前記少なくとも一台の遠隔装置に関する支払金額を調整する請求モジュール；
とで構成されたことを特徴とする制御システム。
【請求項１８７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと：そして
前記少なくとも一つの情報メッセージに従って、前記少なくとも一台の遠隔装置を起動し、停止させ、制御することの一つ以上により、前記一台以上の遠隔装置と関係する利用者の請求金額を調整することと決済処理を行うことの一つ以上の為に、データを生成する請求モジュール；
とで構成されたことを特徴とする制御システム。
【請求項１８８】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと：そして
前記少なくとも一台の遠隔装置を停止させ、制御することの一つ以上により避けられた資源消費削減量に対する前記少なくとも一台の遠隔装置に関する請求金額を調整する請求モジュール；
とで構成されたことを特徴とする制御システム。
【請求項１８９】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと：そして
前記少なくとも一台の遠隔装置を起動させ、制御することの一つ以上により増加させた資源供給量に対する前記少なくとも一台の遠隔装置に関する支払金額を調整する請求モジュール；
とで構成されたことを特徴とする制御システム。
【請求項１９０】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと：そして
資源消費と資源生成の内の一つ以上に関係する適切な支払い者から、適切な受領者へ、正確な金額が支払われることを確実にする決済アクションを開始する決済モジュール；
とで構成されたことを特徴とする制御システム。
【請求項１９１】
更に、複数人の適切な支払い者から複数人の適切な受領者へ、適切な金額が支払われることを確実にする決済アクションを開始する決済モジュールを含むことを特徴とする請求項１８７記載の制御システム。
【請求項１９２】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し；該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと：そして
少なくとも一台の遠隔装置と関係する利用者に、予め定められたベース金額と、資源消費および資源生成の一つ以上の変化量に対する金額との差額を補償するクレジット・モジュール；
とで構成されたことを特徴とする制御システム。
【請求項１９３】
前記補償が、前記利用者に対して貸方処理をすることで実行されることを特徴とする請求項１９２記載の制御システム。
【請求項１９４】
前記ベース金額が、資源消費および資源生成の一つ以上の変化量に対する平均金額で構成されたことを特徴とする請求項１９２記載の制御システム。
【請求項１９５】
前記ベース金額が、時間フレーム、季節および気象データの一つ以上に基づいて調整可能であることを特徴とする請求項１９２記載の制御システム。
【請求項１９６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；利用者は、前記中央サーバによって生成されたオファーを受け入れることができ、該オファーには、特定時間に又は特定時間内に前記ユーザが所定のアクションをとる為のインセンティブが含まれるように構成した通信リンク；
とで構成されたことを特徴とする制御システム。
【請求項１９７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記中央サーバで、少なくとも一つのコマンドを受け取り；前記少なくとも一つのコマンドは少なくとも一台の遠隔装置を制御し；前記少なくとも一つの情報メッセージは前記少なくとも一つのコマンドに基づき生成され；前記少なくとも一つのコマンドは一台以上の遠隔装置に関係するユーザからのオファーを含み、該オファーは、所定の検討用の前記ユーザが資源消費と資源供給の一つ以上での変化を起こさせるオファーであるように構成した通信リンク；
とで構成されたことを特徴とする制御システム。
【請求項１９８】
資源消費と資源供給の一つ以上での前記変化が、資源消費削減と資源供給増加の内の一つ以上を含むことを特徴とする請求項１９７記載の制御システム。
【請求項１９９】
前記オファーが、一人以上の主体に送信されることを特徴とする請求項１９７記載の制御システム。
【請求項２００】
前記一人以上の主体の少なくとも一人の主体が、前記オファーを受け入れるべきかどうかを決定するように構成されたことを特徴とする請求項１９９記載の制御システム。
【請求項２０１】
更に、前記少なくとも一つの情報メッセージを生成する前に、オファーを受け入れるべきかどうかを、価格データ、供給データおよび需要データの一つ以上に基づいて決める決定モジュールを含むことを特徴とする請求項１９７記載の制御システム。
【請求項２０２】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットが、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるようにし；少なくとも一つの信号が、変化を起こす効果を有する前記アクションを終了するために生成され；前記少なくとも一つの信号が、前記少なくとも一台のインターフェースユニットに送信され；前記一又は複数台の遠隔装置と通信する前記インターフェースユニットが、前記少なくとも一つの制御信号に従い前記少なくとも一台の遠隔装置を制御し、前記所定の変化を起こさせる効果を有するアクションを終了する効果を有するアクションをとるように構成した通信リンク；
とで構成されたことを特徴とする制御システム。
【請求項２０３】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記所定の変化を起こさせる前記アクションを終了するための少なくとも一つのメッセージが、生成され；前記少なくとも一つのメッセージが、前記少なくとも一台の通信装置に送信され；前記少なくとも一台の通信装置が、前記一台の遠隔装置のユーザまたは所有者の一又は複数の主体に関連するように構成した通信リンク；
とで構成されたことを特徴とする制御システム。
【請求項２０４】
前記少なくとも一台の通信装置には、電子メール・システムまたは装置、ポケットベル、電話、SMSまたはテキスト通信処理装置、モバイル・コンピュータ、静止コンピューティング装置、ウェブ・ブラウザ、サーバ、ソフトウェアプログラム、ファックスの一つ以上が含まれることを特徴とする請求項２０３記載の制御システム。
【請求項２０５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有する通信リンクであり；前記少なくとも一つの情報メッセージが、少なくとも一台の遠隔装置と関連した資源消費を削減させるか又は資源生成を増加させる指令を含むように構成した通信リンク；
とで構成されたことを特徴とする制御システム。；
【請求項２０６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットが、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるようにし；少なくとも一つのコマンドが、少なくとも一台の遠隔装置と関連した資源消費を削減させるか又は資源生成を増加させる指令を含むように構成した通信リンク；
とで構成されたことを特徴とする制御システム。
【請求項２０７】
前記資源消費が、エネルギー消費であることを特徴とする請求項２０５記載の制御システム。
【請求項２０８】
前記少なくとも一つの情報メッセージが、少なくとも一台の遠隔装置と関連した主体によって書き換え可能であることを特徴とする請求項２０５記載の制御システム。
【請求項２０９】
前記少なくとも一つのコマンドが、少なくとも一台の遠隔装置と関連した主体によって書き換え可能であることを特徴とする請求項２０６記載の制御システム。
【請求項２１０】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し、該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し、前記少なくとも一つの情報メッセージは、資源消費と資源生成の複数の変化レベルから一つの変化レベルを指定できて、該各変化レベルは、一つ以上の資源消費および資源生成の異なるレベルを表している；
各ステップで構成されたことを特徴とする制御方法。
【請求項２１１】
更に、価格データ、需要データおよび供給データが、前記指令(order)を決定するために評価参照されることを特徴とする請求項２０５記載の制御システム。
【請求項２１２】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し、該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し、前記少なくとも一つの情報メッセージは、主体が資源消費の削減および資源生成の増加の一つ以上について、予め定めた所定量を指定して要求するリクエストに基づいている；
各ステップで構成されたことを特徴とする制御方法。
【請求項２１３】
前記予め定めた所定量が、需要データ、供給データ、装置データおよび契約データの一つ以上に基づく推定値であることを特徴とする請求項２１２記載の制御システム。
【請求項２１４】
前記予め定められた量が、利用者情報に格納されていることを特徴とする請求項２１２記載の制御システム。
【請求項２１５】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し、該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し、前記遠隔装置の一台以上は、一台以上のエネルギー関連機器である；
各ステップで構成されたことを特徴とする制御方法。
【請求項２１６】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し、該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し、前記遠隔装置の一台以上は、該一台以上の遠隔装置の初期起動、停止、調整の後に、選択的に再調整され、再起動され、又は再停止される；
各ステップで構成されたことを特徴とする制御方法。
【請求項２１７】
前記一台以上の遠隔装置が、少なくとも一つのコマンドによって選択的に再調整され、再起動され、再停止されることを特徴とする請求項２１６記載の制御システム。
【請求項２１８】
前記一台以上の遠隔装置が、付加的な少なくとも一つの情報メッセージによって、選択的に再調整され、再起動され、再停止されることを特徴とする請求項２１６記載の制御システム。
【請求項２１９】
前記一台以上の遠隔装置が、少なくとも一人の予定受信者に関連する通信装置へのメッセージ送信に反応して、選択的に再調整され、再起動され、再停止されることを特徴とする請求項２１６記載の制御システム。
【請求項２２０】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージは、第2主体が資源消費を削減し又は資源生成を増加することに関する回答用複数の調整レベルから一つの調整レベルを選択する、第１主体から前記第2主体に対するリクエストに基づいている通信リンク；
とで構成されたことを特徴とする制御システム。
【請求項２２１】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットが、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるようにし；前記少なくとも一つのコマンドは、第2主体が資源消費を削減し又は資源生成を増加することに関する回答用複数の調整レベルから一つの調整レベルを選択する、第１主体から前記第2主体に対するリクエストに基づいている通信リンク；
とで構成されたことを特徴とする制御システム。
【請求項２２２】
前記複数の調整のレベルには、調整無しと微調整の一つ以上が含まれていることを特徴とする請求項２２０記載の制御システム。
【請求項２２３】
前記各調整のレベルが、対応するインセンティブを有するように構成されたことを特徴とする請求項２２０記載の制御システム。
【請求項２２４】
前記第1の主体が、少なくとも一台の遠隔装置を稼動させる資源供給者であることを特徴とする請求項２２０記載の制御システム。
【請求項２２５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージは、資源消費削減と資源生成増加の一つ以上を要請している第1主体からのリクエストに基づいており、資源消費または資源生成の一つ以上に関する調整レベルは、利用者情報に基づいて、前記第2主体のために計算されるように構成した通信リンク；
とで構成されたことを特徴とする制御システム。
【請求項２２６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットが、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるようにし；前記少なくとも一つのコマンドは、資源消費削減と資源生成増加の一つ以上を要請している第1の主体からのリクエストで構成され、資源消費または資源生成の一つ以上に関する調整レベルは、利用者情報に基づいて、前記第2主体のために計算されるように構成した通信リンク；
とで構成されたことを特徴とする制御システム。
【請求項２２７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージは、資源消費削減と資源生成増加の一つ以上を要請している第1主体からのリクエストに基づいており、資源消費または資源生成の一つ以上に関する調整レベルは、複数の主体のための全体的な目標需要または供給目標に基づいて、前記第2主体のために計算されるように構成した通信リンク；
とで構成されたことを特徴とする制御システム。
【請求項２２８】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットが、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるようにし；前記少なくとも一つのコマンドは、資源消費削減と資源生成増加の一つ以上を要請している第1の主体からのリクエストで構成されており、資源消費または資源生成の一つ以上に関する調整レベルは、複数の主体のための全体的な目標需要または供給目標に基づいて、前記第2主体のために計算されるように構成した通信リンク；
とで構成されたことを特徴とする制御システム。
【請求項２２９】
前記第2の主体が、調整のレベルがどのように一台以上の遠隔装置の全体にわたって分配されるかについて決定するように構成されたことを特徴とする請求項２２７記載の制御システム。
【請求項２３０】
前記第2の主体が、調整される一台以上の遠隔装置を決定し、そして前記一台以上の遠隔装置の調整順序を決定するように構成されたことを特徴とする請求項２２７記載の制御システム。
【請求項２３１】
前記一台以上の遠隔装置の各々の予測調整量が、決定されることを特徴とする請求項２３０記載の制御システム。
【請求項２３２】
前記第2の主体が、調整のレベルがどのように一台以上の遠隔装置の全体にわたって分配されるかについて決定するように構成されたことを特徴とする請求項２２８記載の制御システム。
【請求項２３３】
前記第2の主体が、調整される一台以上の遠隔装置を決定し、そして前記一台以上の遠隔装置の調整順序を決定するように構成されたことを特徴とする請求項２２８記載の制御システム。
【請求項２３４】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージは、インセンティブ用の所定金額により、資源消費削減と資源生成増加の一つ以上を要請している主体からのリクエストに基づいているように構成した通信リンク；
とで構成されたことを特徴とする制御システム。
【請求項２３５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットが、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるようにし；前記少なくとも一つのコマンドは、インセンティブ用の所定金額により、資源消費削減と資源生成増加の一つ以上を要請している第1の主体からのリクエストで構成されているように構成した通信リンク；
とで構成されたことを特徴とする制御システム。
【請求項２３６】
前記一台以上の遠隔装置に関連する利用者が、前記インセンティブに応じて、資源消費削減と資源生成増加の一つ以上の量を決定するように構成されたことを特徴とする請求項２３４記載の制御システム。
【請求項２３７】
前記資源消費が、エネルギー消費であることを特徴とする請求項２３４記載の制御システム。
【請求項２３８】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
送信モジュールであって、通知メッセージを、少なくとも一台の通信装置に送信し、この通知メッセージは、一人以上の予定受信者に前記少なくとも一つの情報メッセージの配信完了または配信未完について通知する送信モジュール；
とで構成されたことを特徴とする制御システム。
【請求項２３９】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットが、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるように構成されているように構成した通信リンクと；そして
送信モジュールであって、通知メッセージを、少なくとも一台の通信装置に送信し、該通知メッセージは、一人以上の予定受信者に資源消費と資源生成の一つ以上における変化について通知する送信モジュール；
とで構成されたことを特徴とする制御システム。
【請求項２４０】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
特定の調整のための、ある主体の資源消費および資源生成の一つ以上における前記変化の変化量を計算する決定モジュール；
とで構成されたことを特徴とする制御システム。
【請求項２４１】
前記変化量が、実際の量、概算量、測定量、計算量、概略量、サンプル抽出量、標準化量、前以て定めた量、補外量、内挿量の一つ以上から成っていることを特徴とする請求項２４０記載の制御システム。
【請求項２４２】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；
所定の調整レベルのための、ある主体の資源消費および資源生成の一つ以上における潜在的変化量を計算する決定モジュールと；そして
前記潜在的変化量を格納するデータベース；
とで構成されたことを特徴とする制御システム。
【請求項２４３】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記アクションから生じた特定分野内での資源消費および資源生成の一つ以上における変化量一単位で、補償料を決定するように構成した通信リンク；
とで構成されたことを特徴とする制御システム。
【請求項２４４】
資源消費および資源生成の一つ以上における前記変化量一単位が、エネルギーの所定キロワットまたはキロワット時であることを特徴とする請求項２４３記載の制御システム。
【請求項２４５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
利用者に、資源消費および資源生成の変化の一つ以上の前記変化量を、取引システムを介してトレード、購入、又は売却し、該変化量は、現時点の変化量、将来の変化量および以前の変化量であるトレード・モジュール
とで構成されたことを特徴とする制御システム。
【請求項２４６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
利用者に、資源消費および資源生成の変化の一つ以上の前記変化量を、一人以上の主体から一つ以上の入札を落札させる入札モジュール；
とで構成されたことを特徴とする制御システム。
【請求項２４７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
利用者に、一つ以上の資源消費と資源生成の一つ以上の予定変化量の入札申し込みを行わせ、前記少なくとも一つの情報メッセージは前記予定変化量に基づいて生成されている入札モジュール；
とで構成されたことを特徴とする制御システム。
【請求項２４８】
前記一人以上の主体には、一人以上の他の利用者、一人以上の資源供給者、一人以上の資源転送主体、一人以上の資源分配主体、トレーディング主体、中央サーバと関連した一人以上の利用者が含まれることを特徴とする請求項２４７記載の制御システム。
【請求項２４９】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；資源消費および資源生成の一つ以上の調整のために、一人以上の主体からの落札に関して一つ以上の条件を定めるように構成した通信リンク；
とで構成されたことを特徴とする制御システム。
【請求項２５０】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；
一台以上の遠隔装置の動作と関連した一つ以上の資源消費量を評価する資源消費モジュールと；そして
一つ以上の資源の資源供給量を評価する資源供給評価モジュール；
とで構成されたことを特徴とする制御システム。
【請求項２５１】
前記資源消費量が、複数の遠隔装置と関連した総計消費データであることを特徴とする請求項２５０記載の制御システム。
【請求項２５２】
前記消費量が、一つ以上の現在消費高、理論的消費高、予想される消費高、所定の時間内での安定消費高、所定の時間内のピーク消費高、および所定の時間内の平均消費高であることを特徴とする請求項２５０記載の制御システム。
【請求項２５３】
前記消費量が、予め定義された領域中の総計消費高に関連する複数の遠隔装置から補外推定されたことを特徴とする請求項２５０記載の制御システム。
【請求項２５４】
前記複数台の遠隔装置が、少なくとも一台の通信装置と通信中の一台以上の遠隔装置と、他の遠隔装置の組み合わせで構成されたことを特徴とする請求項２５３記載の制御システム。
【請求項２５５】
更に、資源消費と資源生成の一つ以上を、評価供給量から予め定められた量だけ異なる評価消費総量に基づいて調整する調整モジュールを有するように構成されたことを特徴とする請求項２５０記載の制御システム。
【請求項２５６】
前記評価消費量が、複数の遠隔装置からの総計消費データで構成されたことを特徴とする請求項２５４記載の制御システム。
【請求項２５７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記一台以上の遠隔装置の前記動作と関連する一つ以上の資源と関連した価格データを、評価し；該価格データは、前記少なくとも一つの情報メッセージを生成する際に考慮される市場評価モジュール;
とで構成されたことを特徴とする制御システム。
【請求項２５８】
前記価格データが、少なくとも一つの予め定められた価格閾値と比較されることを特徴とする請求項２５７記載の制御システム。
【請求項２５９】
前記少なくとも一つの予め定められた価格閾値が、利用者情報に格納されていることを特徴とする請求項２５８記載の制御システム。
【請求項２６０】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
複数の遠隔装置をモニターし、そして該モニターのデータに少なくとも部分的に基づいて、複数の価格データを決定し、該複数の価格データは、前記少なくとも一つの情報メッセージを生成する際に考慮されるモニターモジュール;
とで構成されたことを特徴とする制御システム。
【請求項２６１】
前記複数の遠隔装置が、資源転送装置、資源分配装置、一台以上の装置およびメータ装置の一台以上から構成されたことを特徴とする請求項２６０記載の制御システム。
【請求項２６２】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットが、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるように構成されているように構成した通信リンクと；そして
複数の遠隔装置をモニターし、そして該モニターのデータに少なくとも部分的に基づいて決定し、該複数の価格データは、前記少なくとも一つのコマンドを生成する際に考慮されるモニターモジュール；
とで構成されたことを特徴とする制御システム。
【請求項２６３】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記一台以上の遠隔装置の動作と関連する一つ以上の資源と関連した価格データを、評価し；該価格データは、前記少なくとも一台の遠隔装置の起動、停止、制御、制御の不拘束の少なくとも一つを実行する際に考慮されるモニターモジュール;
とで構成されたことを特徴とする制御システム。
【請求項２６４】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記一台以上の遠隔装置の動作と関連する一つ以上の資源と関連した消費量と供給量の一つ以上の予測データを、評価し；該評価した予想データは、少なくとも一つの情報メッセージを生成する際に考慮される予測評価モジュール;
とで構成されたことを特徴とする制御システム。
【請求項２６５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記一台以上の装置の動作と関連する装置機能データを、評価し；該評価した装置機能データは、少なくとも一つの情報メッセージを生成する際に考慮される装置機能評価モジュール；
とで構成されたことを特徴とする制御システム。
【請求項２６６】
前記装置関数データには、遠隔装置を動作させる際の一つ以上のコスト・データ、前記遠隔装置を動作するための一つ以上の資源のコスト・データ、前記少なくとも一台の遠隔装置よる資源消費および資源生成の一つ以上を調整する能力および他の複数台の装置との関係で前記遠隔装置を制御する優先度に関する情報が含まれることを特徴とする請求項２６５記載の制御システム。
【請求項２６７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記一台以上の遠隔装置の動作に影響を及ぼす気象状況データを、評価し;該評価された気象状況データは、少なくとも一つの情報メッセージを生成する際に考慮される天候評価モジュール；
とで構成されたことを特徴とする制御システム。
【請求項２６８】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記一台以上の遠隔装置の動作と関連した利用者情報データを、評価し;該評価された利用者情報データは、少なくとも一つの情報メッセージを生成する際に考慮される利用者情報；
とで構成されたことを特徴とする制御システム。
【請求項２６９】
前記利用者情報データが、平均的需要および平均的供給の一つ以上を表すデータで構成されたことを特徴とする請求項２６８記載の制御システム。
【請求項２７０】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
一つ以上のイベント条件を、評価し；該イベント条件は、電力削減警告、全国または地域または地区の安全警告、電源またはエネルギー不足警告、テロ攻撃、停電、機器停止、動力系統復元を含み；前記評価した一つ以上のイベント条件は、前記少なくとも一つの情報メッセージを生成する際に考慮されるトリガー条件／イベント・モジュール；
とで構成されたことを特徴とする制御システム。
【請求項２７１】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
主体からの一つ以上のエネルギー削減強制命令を、確認し;該エネルギー削減強制命は、少なくとも一つの情報メッセージを生成する際に考慮されるトリガー条件／イベント・モジュール；
とで構成されたことを特徴とする制御システム。
【請求項２７２】
前記エネルギー削減強制命が、自己課題されたものであることを特徴とする請求項２７１記載の制御システム。
【請求項２７３】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記一台以上の遠隔装置の前記動作を、消費量および評価された供給量の一つ以上に少なくとも部分的に基づいて、バランスをとるトリガー条件／イベント・モジュール；
とで構成されたことを特徴とする制御システム。
【請求項２７４】
前記一台以上の遠隔装置の前記動作が、一人以上の主体間でも行われることを特徴とする請求項２７３記載の制御システム。
【請求項２７５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
フィードバック・データを、前記少なくとも一つの情報メッセージの送信に応答して受信し、そして少なくとも一つの追加的な情報メッセージを、前記フィードバック・データに従って生成するフィードバック・モジュール；
とで構成されたことを特徴とする制御システム。
【請求項２７６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
フィードバック・データを、前記少なくとも一台の遠隔装置の調整に応答して受信し、そして前記フィードバック・データに少なくとも部分的に基づいて、一台以上の遠隔装置の動作を再調整するフィードバック・モジュール；
とで構成されたことを特徴とする制御システム。
【請求項２７７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
フィードバック・データを、少なくとも一台の遠隔装置の調整に応答して受信し;少なくとも一つのメッセージを、前記受信したフィードバック・データに基づいて生成し;そして前記少なくとも一つのメッセージを、少なくとも一台の通信装置に送信し；前記少なくとも一台の通信装置は、少なくとも一人の受信者に関係しているフィードバック・モジュール；
とで構成されたことを特徴とする制御システム。
【請求項２７８】
前記再調整が、付加的な少なくとも一つの情報メッセージに応答して実行されることを特徴とする請求項２７６記載の制御システム。
【請求項２７９】
前記再調整が、前記一台以上の遠隔装置を起動し、停止させ、制御するように構成されたことを特徴とする請求項２７６記載の制御システム。
【請求項２８０】
前記フィードバック・データが、装置レベル・データおよび利用者レベル・データの一つ以上で構成されたことを特徴とする請求項２７６記載の制御システム。
【請求項２８１】
前記フィードバック・データが、複数の主体の総計データで構成されたことを特徴とする請求項２７６記載の制御システム。
【請求項２８２】
前記フィードバック・データが、特定の主体から独立している総計データで構成されたことを特徴とする請求項２７６記載の制御システム。
【請求項２８３】
前記再調整が、前記少なくとも一台の遠隔装置の調整と関連したインセンティブを調整することを含むことを特徴とする請求項２７６記載の制御システム。
【請求項２８４】
前記再調整が、前記少なくとも一台の遠隔装置の動作と関連する資源と関連した価格を調整することを含むことを特徴とする請求項２７６記載の制御システム。
【請求項２８５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記一台以上の遠隔装置の少なくとも一つのパフォーマンス測定値を、測定し；前記一台以上の遠隔装置の将来のパフォーマンスを、前記測定値に基づいて予測し;そして前記少なくとも一つの情報メッセージを、前記予測された将来のパフォーマンスに少なくとも部分的に基づいて生成する予測評価モジュール;
とで構成されたことを特徴とする制御システム。
【請求項２８６】
前記パフォーマンス測定値の少なくとも一つが、一つ以上の状態特性、パラメータおよび動作特性を含み、そして前記将来のパフォーマンスが、将来の資源消費と将来の資源生成の一つ以上を含むことを特徴とする請求項２８５記載の制御システム。
【請求項２８７】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；
利用者と関連した一台以上の遠隔装置を、モニターし、該利用者は、前記一台以上の遠隔装置を特定する利用者情報を有しているモニターモジュールと；そして
前記少なくとも一つの情報メッセージを、少なくとも前記モニター結果に少なくとも部分的に基づいて、自動的に生成するトリガー条件／イベント・モジュール;
とで構成されたことを特徴とする制御システム。
【請求項２８８】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
少なくとも一つのトリガー条件を、前記少なくとも一台以上の遠隔装置の資源消費と資源生成の一つ以上の調整を自動的に起動するために特定し、該調整が、前記少なくとも一台の遠隔装置に関する状態、使用、パラメータ、設定値、動作特性、負荷サイクル、制御ロジックおよび予定に対して行われ;そして前記情報メッセージの少なくとも一つを、前記少なくとも一つのトリガー条件の発生に応答して生成するトリガー条件／イベント・モジュール;
とで構成されたことを特徴とする制御システム。
【請求項２８９】
前記トリガー条件の少なくとも1つが、利用者によって定義される予め定められたトリガー条件で構成されたことを特徴とする請求項２８８記載の制御システム。
【請求項２９０】
前記トリガー条件の少なくとも1つが、前記少なくとも一台の遠隔装置の資源消費と資源生成の少なくとも1つにおける予め定められた調整予定で構成されたことを特徴とする請求項２８８記載の制御システム。
【請求項２９１】
前記トリガー条件の少なくとも1つが、予め定められた気象状況で構成され、この予め定められた気象状況の発生が、少なくとも一台以上の遠隔装置の資源消費と資源生成の一つ以上の調整を自動的に起動するように構成されたことを特徴とする請求項２８８記載の制御システム。
【請求項２９２】
前記トリガー条件の少なくとも1つが、電力調節を強制する差し迫った事態発生イベントの警告メッセージで構成されたことを特徴とする請求項２８８記載の制御システム。
【請求項２９３】
前記トリガー条件の少なくとも1つが、リアルタイムの価格データ、略リアルタイムの価格データ、将来のおよび予想される価格データで構成されたことを特徴とする請求項２８８記載の制御システム。
【請求項２９４】
前記価格データは、市価データで構成されたことを特徴とする請求項２９３記載の制御システム。
【請求項２９５】
前記トリガー条件の少なくとも1つが、時刻、曜日および季節データを含む予め定められた条件で構成されたことを特徴とする請求項２８８記載の制御システム。
【請求項２９６】
前記トリガー条件の少なくとも1つが、現在の余剰資源と不足資源のデータを含む予め定められた条件で構成されたことを特徴とする請求項２８８記載の制御システム。
【請求項２９７】
前記トリガー条件の少なくとも1つが、予測した余剰資源と不足資源のデータを含む予め定められた条件で構成されたことを特徴とする請求項２８８記載の制御システム。
【請求項２９８】
前記トリガー条件の少なくとも1つが、予め定められた閾値に対する価格変動を含む予め定められた条件で構成されたことを特徴とする請求項２８８記載の制御システム。
【請求項２９９】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記情報メッセージは、少なくとも1つの制御信号を有しており；前記少なくとも一台の通信装置は少なくとも一台のインターフェースユニットが設けられており；前記一又は複数台の遠隔装置と通信する前記インターフェースユニットが、前記少なくとも一つの制御信号に従い前記少なくとも一台の遠隔装置を制御し、該少なくとも一台の遠隔装置に関する資源消費と資源生成の内の一又は複数に、所定の変化を起こさせる効果を有するアクションをとるように構成されているように構成した通信リンクであり；そして前記少なくとも一つのコマンドは、少なくとも一台の遠隔装置と関係する利用者から送信され、この利用者は関連する利用者情報を有するように構成した通信リンク；
とで構成されたことを特徴とする制御システム。
【請求項３００】
前記利用者情報が、一台以上の遠隔装置の制御に対する中央サーバの制御権に関して、利用者と主体との間における全体的あるいは部分的な協定を定めることを特徴とする請求項２９９記載の制御システム。
【請求項３０１】
前記主体が、一台以上の遠隔装置の動作について、またはイベントに応答して、利用者と関連する権利を覆す権利を保有するように構成されたことを特徴とする請求項２９９記載の制御システム。
【請求項３０２】
前記利用者が、利用者情報と、前記利用者が一つ以上の権利を譲渡した情報の一つ以上について、全部又は一部を定義し、修正するように構成されたことを特徴とする請求項２９９記載の制御システム。
【請求項３０３】
前記前記利用者が、前記定義または修正を、インターネットを経由して実行するように構成されたことを特徴とする請求項３００記載の制御システム。
【請求項３０４】
前記利用者が、資源のトレード・ネットワークへの参加または交換に関連して、利用者情報の全部または一部を利用可能にするように構成されたことを特徴とする請求項２９９記載の制御システム。
【請求項３０５】
前記利用者は、利用者情報に関連したデータを、他の利用者と共有するように構成されたことを特徴とする請求項３０４記載の制御システム。
【請求項３０６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであって；少なくとも一つの予め定められた規則は、少なくとも一台の遠隔装置を制御することに関連するように構成した通信リンク；
とで構成されたことを特徴とする制御システム。
【請求項３０７】
前記少なくとも一つの予め定められた規則が、一台以上の遠隔装置と関係する利用者によって定義されることを特徴とする請求項３０６記載の制御システム。
【請求項３０８】
前記少なくとも一つの予め定められた規則が、インターネット経由により利用者インターフェースで定められることを特徴とする請求項３０６記載の制御システム。
【請求項３０９】
前記少なくとも一つの予め定められた規則が、利用者と関連した利用者情報に格納されていることを特徴とする請求項３０６記載の制御システム。
【請求項３１０】
前記前記少なくとも一つの予め定められた規則が、一つ以上の状況規則で構成され、該状況規則が、識別された状況に適用できることを特徴とする請求項３０６記載の制御システム。
【請求項３１１】
前記少なくとも一つの予め定められた規則が、一台以上の遠隔装置に特有の予め定められた規則で構成されたことを特徴とする請求項３０６記載の制御システム。
【請求項３１２】
前記少なくとも一つの予め定められた規則が、フィードバック・データにより変化するように構成されたことを特徴とする請求項３０６記載の制御システム。
【請求項３１３】
前記少なくとも一つの予め定められた規則が、状況により変化するように構成されたことを特徴とする請求項３１２記載の制御システム。
【請求項３１４】
前記少なくとも一つの予め定められた規則が、動的に変化するように構成されたことを特徴とする請求項３１２記載の制御システム。
【請求項３１５】
前記少なくとも一つの情報メッセージが、少なくとも一つの予め定められた規則に従って生成されることを特徴とする請求項３０６記載の制御システム。
【請求項３１６】
前記少なくとも一つの予め定められた規則が、一台以上の遠隔装置の一つ以上の状態、使用、一つ以上のパラメータ、一つ以上の設定値、動作特性、負荷サイクル、制御ロジック、およびスケジューリング、の一つ以上の要素を制御するように構成されたことを特徴とする請求項３１５記載の制御システム。
【請求項３１７】
前記少なくとも一つの予め定められた規則が、一台以上の遠隔装置がどのようにモニターされるかについて特定するように構成されたことを特徴とする請求項３１６記載の制御システム。
【請求項３１８】
前記利用者定義規則が、一台以上の遠隔装置に関する制御と調整の複数レベルで構成されたことを特徴とする請求項３１６記載の制御システム。
【請求項３１９】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージは、少なくとも一台の遠隔装置またはこの少なくとも一台の遠隔装置の一つ以上のコンポーネントを起動し、停止する一つ以上のアクションを起動させるように構成した通信リンク；
とで構成されたことを特徴とする制御システム。
【請求項３２０】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；前記少なくとも一つの情報メッセージは、設定値を変えること、複数のパラメータを変えること、少なくとも一台の遠隔装置への一つ以上の入力を変えること、少なくとも一台の遠隔装置の状態を変えること、予め定義された期間、少なくとも一台の遠隔装置に供給される資源の量を削減すこと、少なくとも一台の遠隔装置の負荷サイクルを変えること、少なくとも一台の遠隔装置の使用予定を変えること、少なくとも一台の遠隔装置の作業負荷または使用方法を変えること、少なくとも一台の遠隔装置の一つ以上の動作特性を変えること、及び少なくとも一台の遠隔装置のプログラミングまたはソフトウェア実行を変えること、の一つ又は複数のアクションを起動させるように構成した通信リンク；
とで構成されたことを特徴とする制御システム。
【請求項３２１】
前記少なくとも一つの予め定められた規則が、少なくとも一台の遠隔装置の資源消費と資源生成の一つ以上の要素の、一つ以上の調整をいつ、どの様に行うかを特定するように構成されたことを特徴とする請求項３１６記載の制御システム。
【請求項３２２】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
利用者タイプを確認し；そして一台以上の遠隔装置を、予め定められたイベントの間に利用者タイプに基づいたモードで動作させる利用者情報評価モジュール；
とで構成されたことを特徴とする制御システム。
【請求項３２３】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
実行されたアクションの確認を受信し；そして一人以上の受信者に前記確認を通知する確認モジュール；
とで構成されたことを特徴とする制御システム。
【請求項３２４】
前記確認モジュールが、前記確認に基づいて少なくとも一つのメッセージを生成し；そして
前記少なくとも一つのメッセージを、前記少なくとも一台の通信装置に送信し、前記少なくとも一台の通信装置は、少なくとも一人の予定受信者に関連するように構成されたことを特徴とする請求項３２３記載の制御システム。
【請求項３２５】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクと；そして
前記少なくとも一つの情報メッセージに従ったアクションを実行するのに失敗した一台以上の遠隔装置を、認識し；そして一人以上の受信者へ、前記認識した一台以上の遠隔装置について通知する確認モジュール；
とで構成されたことを特徴とする制御システム。
【請求項３２６】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを生成する中央サーバと；そして
通信リンクであって、前記少なくとも一つの情報メッセージを、少なくとも一台の通信装置へ送信し、該少なくとも一台の通信装置は、少なくとも一つのアクションを惹起させ、該アクションは、前記少なくとも一台の遠隔装置に関連する資源消費と資源生成の内の一又は複数に、所定の変化を起こさせる効果を有する通信リンクであり；少なくとも一つのメッセージを、認識した一又は複数台の遠隔装置に基づいて生成し；そして前記少なくとも一つのメッセージを、前記少なくとも一台の通信装置へ送信し、前記少なくとも一台の通信装置は、少なくとも一人の予定受信者に関連しているように構成した通信リンク；
とで構成されたことを特徴とする制御システム。
【請求項３２７】
複数台の遠隔装置に関連する資源消費と資源生成の内の一又は複数を管理する方法において：
一台以上の遠隔装置の資源消費および資源生成の一つ以上に関連して決定を行い；そして
少なくとも一つのコマンドを中央サーバに送信し；前記少なくとも一つのコマンドは、少なくとも一台の遠隔装置を制御することに関連し、そして前記決定に少なくとも部分的に基づいており；そして前記中央サーバは、少なくとも一台の遠隔装置を制御するための少なくとも一つのコマンドに基づいて、少なくとも一つの制御信号を生成し、そして少なくとも一つの制御信号をインターフェースユニットへ送信して、少なくとも一台の遠隔装置の資源消費と資源生成の一つ以上の変化を生じさせる効果を有するアクションを実行する；
各ステップで構成されたことを特徴とする管理方法。
【請求項３２８】
更に、前記一台以上の遠隔装置の資源消費と資源生成の一つ以上に関連したデータを、受信し、該受信したデータは、少なくとも一つの制御信号を生成する際に考慮されるステップを含むことを特徴とする請求項３２７記載の管理方法。
【請求項３２９】
更に、前記一台以上の遠隔装置の資源消費と資源生成の一つ以上に関連したデータを、受信し、該受信したデータは、少なくとも一つのコマンドを生成する際に考慮されるステップを含むことを特徴とする請求項３２７記載の管理方法。
【請求項３３０】
更に、前記一台以上の遠隔装置をモニターするための利用者情報を、生成するステップであり、該利用者情報は、少なくとも一台の遠隔装置に関する資源消費と資源生成の一又は複数事項を調整する一つ以上の予め定められた規則で構成され、前記少なくとも一つの制御信号が、前記少なくとも一つの予め定められた規則に従って自動的に生成されるステップを含むことを特徴とする請求項３２７記載の管理方法。
【請求項３３１】
前記利用者情報が、一台以上の遠隔装置に関連する機能性を記載しているデータを提供するモデルで構成されたことを特徴とする請求項３３０記載の管理方法。
【請求項３３２】
前記データが、個々の装置データ、集合体データ、資源消費データおよび資源生成データの一つ以上の要素から構成されていることを特徴とする請求項３３１記載の管理方法。
【請求項３３３】
更に、前記少なくとも一台の遠隔装置の資源消費と資源生成の一つ以上の変化量に対する貸方処理（クレジット）を示すメッセージを、受信するステップで構成されたことを特徴とする請求項３２７記載の管理方法。
【請求項３３４】
更に、前記少なくとも一つの制御信号に従って実行されたアクションの確認を示すメッセージを、受信するステップで構成されたことを特徴とする請求項３２７記載の管理方法。
【請求項３３５】
更に、前記少なくとも一台の遠隔装置に関連する資源消費と資源生成の一つ以上の変化量を、一人以上の主体にオファーするステップで構成されたことを特徴とする請求項３２７記載の管理方法。
【請求項３３６】
前記データを受信するステップが、少なくとも一台の遠隔装置の動作に影響を及ぼす外部データを受信することを含み、該外部データが、少なくとも一台の遠隔装置の資源消費を調整するための少なくとも一つのコマンドを、自動的に生成するトリガー条件を定めるために用いられるように構成されたことを特徴とする請求項３２８記載の管理方法。
【請求項３３７】
更に、前記少なくとも一台の遠隔装置の動作と関連した資源の価格データを、モニターするステップで構成されたことを特徴とする請求項３２７記載の管理方法。
【請求項３３８】
更に、価格データと予測データの一つ以上に基づいて資源消費の削減をオファーするべきかを、決定するステップで構成されたことを特徴とする請求項３２７記載の管理方法。
【請求項３３９】
更に、予め定められた量だけ資源消費を削減すオファーを、起動するステップで構成されたことを特徴とする請求項３２７記載の管理方法。
【請求項３４０】
前記オファーが、資源のための市価が所定レベルを上回るときに、起動されることを特徴とする請求項３３９記載の管理方法。
【請求項３４１】
前記オファーが、所定の資源のための率期間が変化した時に、起動されることを特徴とする請求項３３９記載の管理方法。
【請求項３４２】
前記利用者情報が、中央サーバで生成されることを特徴とする請求項３３０記載の管理方法。
【請求項３４３】
前記データが、予め定められた領域のための合計資源消費データで構成されたことを特徴とする請求項３２７記載の管理方法。
【請求項３４４】
複数台の遠隔装置に関連する資源消費と資源生成の内の一又は複数を管理するシステムにおいて：
一台以上の遠隔装置の資源消費および資源生成の一つ以上に関連して決定を行う決定モジュールと；そして
少なくとも一つのコマンドを中央サーバに送信する送信モジュールであって；前記少なくとも一つのコマンドは、少なくとも一台の遠隔装置を制御することに関連し、そして前記決定に少なくとも部分的に基づいており；そして前記中央サーバは、少なくとも一台の遠隔装置を制御するための少なくとも一つのコマンドに基づいて、少なくとも一つの制御信号を生成し、そして少なくとも一つの制御信号をインターフェースユニットへ送信して、少なくとも一台の遠隔装置の資源消費と資源生成の一つ以上の変化を生じさせる効果を有するアクションを実行する送信モジュール；
とで構成されたことを特徴とする管理システム。
【請求項３４５】
更に、一台以上の遠隔装置の資源消費と資源生成の一つ以上に関連したデータが、受信され、該受信されたデータが、少なくとも一つの制御信号を生成する際に考慮されることを特徴とする請求項３４４記載の管理システム。
【請求項３４６】
更に、一台以上の遠隔装置の資源消費と資源生成の一つ以上に関連したデータが、受信され、該受信されたデータが、少なくとも一つのコマンドを生成する際に考慮されることを特徴とする請求項３４４記載の管理システム。
【請求項３４７】
更に、一台以上の遠隔装置をモニターするための利用者情報が、生成され、該利用者情報が、少なくとも一台の遠隔装置に関する資源消費と資源生成の一又は複数事項を調整する一つ以上の予め定められた規則で構成され、前記少なくとも一つの制御信号が、前記少なくとも一つの予め定められた規則に従って自動的に生成されることを特徴とする請求項３４４記載の管理システム。
【請求項３４８】
前記利用者情報が、一台以上の遠隔装置に関連する機能性を記載しているデータを提供するモデルで構成されたことを特徴とする請求項３４７記載の管理システム。
【請求項３４９】
前記データが、個々の装置データ、集合体データ、資源消費データおよび資源生成データの一つ以上の要素から構成されていることを特徴とする請求項３４８記載の管理システム。
【請求項３５０】
更に、前記少なくとも一台の遠隔装置の資源消費と資源生成の一つ以上の変化量に対する貸方処理（クレジット）を示すメッセージが、受信されるように構成されたことを特徴とする請求項３４４記載の管理システム。
【請求項３５１】
更に、前記少なくとも一つの制御信号に従って実行されたアクションの確認を示すメッセージが、受信されるように構成されたことを特徴とする請求項３４４記載の管理システム。
【請求項３５２】
更に、少なくとも一台の遠隔装置に関連する資源消費と資源生成の一つ以上の変化量を、一人以上の主体にオファーするように構成されたことを特徴とする請求項３４４記載の管理システム。
【請求項３５３】
前記少なくとも一台の遠隔装置の動作に影響を及ぼす外部データが受信され、該外部データが、少なくとも一台の遠隔装置の資源消費を調整するための少なくとも一つのコマンドを、自動的に生成するトリガー条件を定めるために用いられるように構成されたことを特徴とする請求項３４５記載の管理システム。
【請求項３５４】
更に、前記少なくとも一台の遠隔装置の動作と関連した資源の価格データが、モニターされるように構成されたことを特徴とする請求項３４４記載の管理システム。
【請求項３５５】
更に、価格データと予測データの一つ以上に基づいて資源消費の削減をオファーするべきかが、決定されるように構成されたことを特徴とする請求項３４４記載の管理システム。
【請求項３５６】
更に、予め定められた量だけ資源消費を削減すオファーが、起動されるように構成されたことを特徴とする請求項３４４記載の管理システム。
【請求項３５７】
前記オファーが、資源のための市価が所定レベルを上回るときに、起動されることを特徴とする請求項３５６記載の管理システム。
【請求項３５８】
前記オファーが、所定の資源のための率期間が変化した時に、起動されることを特徴とする請求項３５６記載の管理システム。
【請求項３５９】
前記利用者情報が、中央サーバで生成されることを特徴とする請求項３４７記載の管理システム。
【請求項３６０】
前記データが、予め定められた領域のための合計資源消費データで構成されたことを特徴とする請求項３４４記載の管理システム。
【請求項３６１】
複数台の遠隔装置の資源消費と資源生成の一つ以上を管理する方法において：
少なくとも一つの制御信号が、少なくとも一台の遠隔装置の制御に関連する場合に、一台以上のインターフェースユニットで前記少なくとも一つの制御信号を受信し；そして
前記少なくとも一台の遠隔装置に関連する資源消費と資源生成の変化を生じさせる効果を有するアクションをとるために、前記少なくとも一つの制御信号に従い前記少なくとも一台の遠隔装置と通信を行う；
各ステップで構成されたことを特徴とする管理方法。
【請求項３６２】
更に、中央サーバへ前記通信の受信確認を、送信するステップで構成されたことを特徴とする請求項３６１記載の管理方法。
【請求項３６３】
前記確認が、好適な通信態様を介して、一人以上の予定受信者と関連する少なくとも一台の通信装置に送信されることを特徴とする請求項３６２記載の管理方法。
【請求項３６４】
更に、中央サーバへのアクションの確認を、報告するステップで構成されたことを特徴とする請求項３６１記載の管理方法。
【請求項３６５】
前記確認は、好適な通信態様を介して、一人以上の予定受信者と関連する少なくとも一台の通信装置に送信されることを特徴とする請求項３６４記載の管理方法。
【請求項３６６】
資源消費、資源生成、装置性能、装置パラメータ、装置状態、装置使用、例外条件、資源消費または資源生産における変化、の一つ以上の要素で構成するデータが、個々に又は集合的に測定されることを特徴とする請求項３６１記載の管理方法。
【請求項３６７】
前記測定されたデータが、好適な通信態様を介して、一人以上の予定受信者に伝えられることを特徴とする請求項３６６記載の管理方法。
【請求項３６８】
複数台の遠隔装置の資源消費と資源生成の一つ以上を管理する方法において：
少なくとも一つの制御信号が、少なくとも一台の遠隔装置の制御に関連する場合に、一台以上のインターフェースユニットで前記少なくとも一つの制御信号を受信し；そして
前記少なくとも一つの制御信号に応答して、データの表示、および起動、停止の一つ以上を実行して、インジケータおよび警報の一つ以上を変更し、少なくとも一台の遠隔装置に関連する資源消費と資源生成の一つ以上の変化を引き起こす効果を有するアクションをとる情報を提供する；
各ステップで構成されたことを特徴とする管理方法。
【請求項３６９】
前記データが、資源消費、資源生成、装置性能、装置パラメータおよび資源消費と資源生成の変化、の一つ以上の要素で構成されたことを特徴とする請求項３６８記載の管理方法。
【請求項３７０】
複数台の遠隔装置の資源消費と資源生成の一つ以上を管理するシステムにおいて：
少なくとも一つの制御信号が、少なくとも一台の遠隔装置の制御に関連する場合に、一台以上のインターフェースユニットで前記少なくとも一つの制御信号を受信する受信モジュールと；そして
前記少なくとも一台の遠隔装置に関連する資源消費と資源生成の変化を生じさせる効果を有するアクションをとるために、前記少なくとも一つの制御信号に従い前記少なくとも一台の遠隔装置と通信を行う通信モジュール；
とで構成されたことを特徴とする管理システム。
【請求項３７１】
中央サーバへ前記通信の受信確認が、送信されるように構成されたことを特徴とする請求項３７０記載の管理システム。
【請求項３７２】
前記確認が、好適な通信態様を介して、一人以上の予定受信者と関連する少なくとも一台の通信装置に送信されることを特徴とする請求項３７１記載の管理システム。
【請求項３７３】
中央サーバへのアクションの確認が、報告されるように構成されたことを特徴とする請求項３７０記載の管理システム。
【請求項３７４】
前記確認は、好適な通信態様を介して、一人以上の予定受信者と関連する少なくとも一台の通信装置に送信されることを特徴とする請求項３７３記載の管理システム。
【請求項３７５】
資源消費、資源生成、装置性能、装置パラメータ、装置状態、装置使用、例外条件、資源消費または資源生産における変化、の一つ以上の要素で構成するデータが、個々に又は集合的に測定されることを特徴とする請求項３７０記載の管理システム。
【請求項３７６】
前記測定されたデータが、好適な通信態様を介して、一人以上の予定受信者に伝えられることを特徴とする請求項３７５記載の管理システム。
【請求項３７７】
複数台の遠隔装置の資源消費と資源生成の一つ以上を管理するシステムにおいて：
少なくとも一つの制御信号が、少なくとも一台の遠隔装置の制御に関連する場合に、一台以上のインターフェースユニットで前記少なくとも一つの制御信号を受信する通信リンクと；そして
前記少なくとも一つの制御信号に応答して、データの表示、および起動、停止の一つ以上を実行して、インジケータおよび警報の一つ以上を変更し、少なくとも一台の遠隔装置に関連する資源消費と資源生成の一つ以上の変化を引き起こす効果を有するアクションをとる情報を提供する中央サーバ；
とで構成されたことを特徴とする管理システム。
【請求項３７８】
前記データが、資源消費、資源生成、装置性能、装置パラメータおよび資源消費と資源生成の変化、の一つ以上の要素で構成されたことを特徴とする請求項３７７記載の管理システム。
【請求項３７９】
複数台の遠隔装置に関連する資源消費と資源生成の内の一又は複数を制御する方法において：
少なくとも一台の遠隔装置による及び該遠隔装置の制御による資源消費と資源生成の内の一つ以上に関連する少なくとも一つの情報メッセージを、中央サーバで生成し；そして
前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有し；前記少なくとも一台の遠隔装置は、機器認識、製造、モデル、シリアルナンバ、タイプ、カテゴリ、所有権、場所、電子アドレス、動作、電源特性、資源消費、資源生成、電源情報、調整力、現在の状態、少なくとも一台の遠隔装置と関連した現在のパラメータ、の一つ以上の要素を識別する識別コンポーネントで構成されている；
各ステップで構成されたことを特徴とする制御方法。
【請求項３８０】
前記電源情報が、電力削減量、電力削減時期の一つ以上の要素で構成されていることを特徴とする請求項３７９記載の制御方法。
【請求項３８１】
前記調整力が、複数レベル調整へ調整する能力であることを特徴とする請求項３７９記載の制御方法。
【請求項３８２】
複数台の遠隔装置に関連する資源消費と資源生成の内の一又は複数を制御するシステムにおいて：
中央サーバであって、少なくとも一台の遠隔装置による及び該遠隔装置の制御による資源消費と資源生成の内の一つ以上に関連する少なくとも一つの情報メッセージを、生成する中央サーバと；そして
通信リンクであって、前記少なくとも一つの情報メッセージを、少なくとも一台の通信装置へ送信し；該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有する通信リンクであり；前記少なくとも一台の遠隔装置は、機器認識、製造、モデル、シリアルナンバ、タイプ、カテゴリ、所有権、場所、電子アドレス、動作、電源特性、資源消費、資源生成、電源情報、調整力、現在の状態、少なくとも一台の遠隔装置と関連した現在のパラメータ、の一つ以上の要素を識別する識別コンポーネントで構成されている通信リンク；
とで構成されたことを特徴とする制御システム。
【請求項３８３】
前記電源情報が、電力削減量、電力削減時期の一つ以上の要素で構成されていることを特徴とする請求項３８２記載の制御システム。
【請求項３８４】
前記調整力が、複数レベル調整へ調整する能力であることを特徴とする請求項３８２記載の制御システム。
【請求項３８５】
複数台の遠隔装置の資源消費と資源生成の一つ以上を制御する方法において：
複数のステーションからの少なくとも一台のステーションを確認し、該少なくとも一台のステーションに関連ある資源消費と資源生成の一つを調整し；
前記少なくとも一台のステーションの資源消費および資源生成の一つ以上と関連したメッセージを、生成し；そして
前記メッセージを少なくとも前記一つのステーションへ送信し；前記少なくとも一つのステーションが、前記少なくとも一台の通信機器への情報メッセージを生成し、前記少なくとも一台の通信機器が、前記少なくとも一台の通信機器と関連した前記一台の遠隔装置に関連する資源消費と資源生成の一つ以上の変化を、引き起こす効果を有するアクションを実行することが可能とする；
各ステップで構成されたことを特徴とする制御方法。
【請求項３８６】
前記メッセージが、資源消費量の削減および資源生成の増加の一つ以上から成るコマンドで構成されていることを特徴とする請求項３８５記載の制御方法。
【請求項３８７】
前記少なくとも一台の通信機器が、少なくとも一つのアクションを実行することに応答して、確認データを前記少なくとも一つのステーションに提供するように構成されたことを特徴とする請求項３８５記載の制御方法。
【請求項３８８】
前記確認データが、一つ以上の契約順守、契約不順守および契約順守の程度の一つ以上に関連したデータで構成されていることを特徴とする請求項３８７記載の制御方法。
【請求項３８９】
前記少なくとも一つのステーションが、複数の通信装置から資源消費および資源生成の一つ以上の前記変化に関して、総合データを収集するように構成されたことを特徴とする請求項３８７記載の制御方法。
【請求項３９０】
前記少なくとも一つのステーションが、該少なくとも一つのステーションの動作に影響を及ぼす状態に応答して、誤動作モードで動作するように構成されたことを特徴とする請求項３８５記載の制御方法。
【請求項３９１】
少なくとも一つのバックアップ用ステーションが、前記少なくとも一つのステーションに代わって動作するように構成されたことを特徴とする請求項３９０記載の制御方法。
【請求項３９２】
前記少なくとも一つのバックアップ用ステーションが、複数のバックアップ用ステーションで構成され、該複数のバックアップ用ステーションの各々が、誤動作モードにあるステーションに代わり責任を持ち合うように構成されたことを特徴とする請求項３９１記載の制御方法。
【請求項３９３】
複数台の遠隔装置の資源消費と資源生成の一つ以上を制御するシステムにおいて：
中央サーバであって、複数のステーションからの少なくとも一台のステーションを確認し、該少なくとも一台のステーションに関連ある資源消費と資源生成の一つを調整し；前記少なくとも一台のステーションの資源消費および資源生成の一つ以上と関連したメッセージを、生成する中央サーバと；そして
通信リンクであって、前記メッセージを少なくとも前記一つのステーションへ送信し；前記少なくとも一つのステーションが、前記少なくとも一台の通信機器への情報メッセージを生成し、前記少なくとも一台の通信機器が、前記少なくとも一台の通信機器と関連した前記一台の遠隔装置に関連する資源消費と資源生成の一つ以上の変化を、引き起こす効果を有するアクションを実行させるように構成した通信リンク；
各ステップで構成されたことを特徴とする制御システム。
【請求項３９４】
前記メッセージが、資源消費量の削減および資源生成の増加の一つ以上から成るコマンドで構成されていることを特徴とする請求項３９３記載の制御システム。
【請求項３９５】
前記少なくとも一台の通信機器が、少なくとも一つのアクションを実行することに応答して、確認データを前記少なくとも一つのステーションに提供するように構成されたことを特徴とする請求項３９３記載の制御システム。
【請求項３９６】
前記確認データが、一つ以上の契約順守、契約不順守および契約順守の程度の一つ以上に関連したデータで構成されていることを特徴とする請求項３９５記載の制御システム。
【請求項３９７】
前記少なくとも一つのステーションが、複数の通信装置から資源消費および資源生成の一つ以上の前記変化に関して、総合データを収集するように構成されたことを特徴とする請求項３９５記載の制御システム。
【請求項３９８】
前記少なくとも一つのステーションが、該少なくとも一つのステーションの動作に影響を及ぼす状態に応答して、誤動作モードで動作するように構成されたことを特徴とする請求項３９３記載の制御システム。
【請求項３９９】
少なくとも一つのバックアップ用ステーションが、前記少なくとも一つのステーションに代わって動作するように構成されたことを特徴とする請求項３９８記載の制御システム。
【請求項４００】
前記少なくとも一つのバックアップ用ステーションが、複数のバックアップ用ステーションで構成され、該複数のバックアップ用ステーションの各々が、誤動作モードにあるステーションに代わり責任を持ち合うように構成されたことを特徴とする請求項３９９記載の制御システム。
【発明の詳細な説明】
【技術分野】
【０００１】
本発明は一般には、遠隔地の装置を制御し、モニターし、かつ管理することに関する。より詳細には、利用者の所定のデータや外部のデータ、及び又は電力等の資源需要や資源供給を評価する情報、さらに他のイベント／条件、等に基づいて、電力需要（資源需要）／電力消費量（資源消費量）を削減し、及び又は電力供給（資源供給）を増加させるために、複数台の遠隔装置の状態や特性を遠隔調整する方法とシステムに関する。
【背景技術】
【０００２】
エネルギー需要に関するエネルギー源への信頼性と安定供給は、世界的に公共あるいは私企業の懸案事項になっている。総エネルギー需要は、殆どの国家や地域で電力供給より急激に増加しており、その結果、エネルギーはひっ迫したレベルとなり、電力不足、電力供給不能の状況が増加している。電力を蓄積するのは現実的ではないため、電力不足は、事業者、消費者および社会に重要なコストを強要する電力制限や停電に陥らせる。さらに実際の電力制限および停電による電力不足は、電力のスポット相場を上昇させ、生産者や消費者に高コストを課すこととなる。
【０００３】
集中型の電気エネルギー生成と分配を増加させることは困難であり、時には不可能である。一方、長期エネルギー供給を増加させるには、多額の建設費、環境問題、インフラと後方支援体制の煩雑性、投資資金の準備、法的なハードル、社会的抵抗、および発電量の増加と送電能力についての時間的バリア、等の諸問題が多く存在する。
【０００４】
電力供給と送電自体は、中断、故障、或いは電力供給不能に陥り易い。また機器故障と過負荷、発電用の入力媒体（例えば冷却用あるいは水力発電用の川の水、風力タービン用の風、等）の不足、テロやハッカー攻撃、更に他の諸要素により、急な事前通知あるいは全く事前通知無しで、既存の電力供給すら不可能になることがあり得る。
【発明の開示】
【発明が解決しようとする課題】
【０００５】
電力需要は、毎日、毎週、毎月、季節的に、そして毎年変動する。この電力需要は、空調装置、電気加熱器、照明器具、その他の電気製品や電気機器、等のものである。大部分の商用使用や一般家庭での使用では、代替となるものは無い。更にこの種の電源用の電力需要は、永年に渡り、電力需要よりも急激に増加しており、地域によっては数十年の間において、状況は同じである。電力需要は、短期間でも非常に変動し、外気温を含む多くの要素によって影響を受ける。熱波や寒波の襲来も、電力需要が大幅に増加する結果としてなり得る。刻々と変化する電力供給と電力需要の両方が不安定である一方、予備電力供給能力は、危険なほど低いレベルに達し、電力価格は高く、かつ不安定になり、電力制限および停電のリスクは急激に増加している。
【０００６】
過剰な電力需要や過小な電力供給およびこれらの組み合わせが発生すると、電力不足に陥る。大部分の電力供給には、このような電力不足は、天然ガスの市場価格は高騰することなり、また給水問題で電力品質の問題を引き起こし、電気エネルギーで関連経済生産物の損失となり、時には生命の危険さえも引き起こすような電力入手不可の状況を惹起するようになる。この問題は、電気を蓄積するような現実的な仕組みが存在しないために、電力事情をさらに悪化させてしまう。多くの電力価格の沸騰が頻繁に起こり、停電は世界的に回数および緊急度の点で増加している。
【０００７】
送電線網のような電力配給システムでは、電力不足、電力不足へのリスクに対しては、高コストの待機発電能力で対処し、又は顧客に混乱を起こさせる停電と電力制限で対処し、更に大手利用者へはピーク電力需要を下げるために、生産設備を一時的にアイドル状態にしたり、或いは高価な自社発電装置を動作させる要望を電力供給者から出す、等で対処してきた。
【０００８】
電力不足を緩和するこの利用者参加型のアプローチに関しては、大手利用者が１０箇所の利用者とか１００箇所の利用者程度と云ったように少なければ、電気システムのオペレータが、電力需要がひっ迫したり電力供給が止まった場合に、比較的短時間の事前通知でも、電力需要と電力供給のバランスをとるため、マニュアル操作で対応するのが現実的である。しかしながらこのマニュアル操作は、時間効率や大規模対応性が無いために、第１には大停電を回避することは出来ず、そして第２には電力需要のピークが電力供給限界に近くなった場合には、電力供給の供給列の中で極端に電力価格が変動するのを避ける上で効率性に限界を有する。
【０００９】
例えば発電、送電および配電会社、その他の関連業界のような電力供給者は、その顧客によりどの様にエネルギーが消費されているかという事実に対して、影響を効率よく与えるための適切な時期における適切な情報へは、アクセスが制限または全くアクセスが出来ないできた。せいぜいそれらの関連業界では、所定の地域的利用者やそれらの一部分についてだけ電力消費量に関するリアルタイムに近い情報のみを得ることが可能であった。より詳細な情報については、通常は電気料の請求書を準備する月単位でのみ可能である。
【００１０】
最終利用者のコントロール下にある電力需要と待機電力供給の特性と量に関するリアルタイム情報、そしてリアルタイムに近い情報の詳細が無いために、また必要ならそれに効果的に影響を与えたり制御したりすることが出来ないために、電力供給者にとっては問題となり、この電力供給者が、電力供給と電力需要のバランスをとったり、電力不足を予知したり、直近の電力問題を解決したり、将来の停電を回避したり、停電リスクを減少させたり、電力の基締め価格とその他の電力価格を安定化させたり、所定期間中に電力需要を分散させたり、またその他の有用な目標を設定する、等が困難となってしまう。
【００１１】
電力供給者は、自己の電力供給に対する電力需要に対して短期間に影響を与えられるメカニズムを殆ど有しない。すなわち所定地域内の現実的な停電や短時間の潜在的な電力不足を検知するのは問題となり、幾千、幾百万人の正確な電力需要者に、これらの問題の有用かつタイミングの良い情報を提供するのも問題となり、電力需要を削減させ、電力供給を増加させ、或いはこの両者の対応を、迅速に、対処可能で、監査可能な方法で実行するのを確実にするのも問題となり、さらに正常状態へ順序よく管理よく復帰させるのを確実にするのも問題となる。
【００１２】
電力供給者および配電会社に不利となる情報、影響、そしてコントロールの欠如は、顧客にとっても不利となる。すなわち顧客も自分たちの電力需要に責任を持つために、必要とする電力供給の情報にアクセスするのは極めて困難であり、また略リアルタイムで複数の電力供給系統に渡り制御するのは困難であり、電力不足のリスクをヘッジするのも困難である。
【００１３】
一つ以上の施設で一時的に、利用者が電力需要を削減するか又は電力供給を増加させることが可能であるならば、電力の利用者は一定の考慮と引き換えに、所定の契約を行い、提案を行い、或いは提案を受け入れ、それにより利用者は、本来使用できる電力源の全てを自由に使用出来る権利を放棄することが可能である。この「負の電力需要」は、市場または取引交換では、「正の電力供給」として見なすことが可能である。いかなる規模の利用者も、電力需要を削減するか又は電力供給を増加させる能力、或いは両方の能力により、資源市場または取引市場でエネルギー取引を希望するかもしれない。更に、自分自身の電力消費または発電を調整する能力がない他の利用者や、上述のように行うことにより他の価値を見出す他の利用者は、電力価格の高騰や短期電力不足といった脆弱性をヘッジするために、上述のようなエネルギー取引を希望するかもしれない。そのようなエネルギー取引を必要とする時に行う場合、特に複数の設備が関連する時には、変動する電力需要や電力供給を効果的にヘッジする上述のエネルギー取引の効果は、物理的な困難性のために、制限されてしまう。
【００１４】
電力利用者が、電力消費または電力供給を変更すると、利用者に対して特定の第２の経済効果、例えば汚染の排出権とか汚染クレジットのような利益を供与することも可能である。利用者は、電力消費または電力供給における特定の変更に関連する補助的計測器および交換取引を行う追加能力で、更に利益を得ることも可能である。
【００１５】
更にまた、テロリズムの拡大に関して政府機関では、既存の規制手法を越えて国家的インフラへの攻撃に対応して、急速にそして正確に資源分配システムに介入する必要性が増加している。ある介入方法では、電力供給者、配電会社、および顧客が電力不足の状況で行うのと同様に、政府機関も資源を制限する必要性を有するが、その政府機関も同様な情報不足および制御限界を有することになる。上記述べたような欠点が、現行システム及び方法には存在する。
【課題を解決するための手段】
【００１６】
したがって本発明の各種実施形態は、本発明の実施例及び／又は利用者の事前の指示によって、遠隔で、好ましくは双方向で、利用者が装置の使用または動作の変更に影響を与える電気及び／又は機械式機器を遠隔モニターする、システムおよび方法に関する。さまざまな機器の遠隔モニターに関連して、データがモニターする機器に関して時間とともに収集される。装置の使用または動作が遠隔で変更され、対応する電力資源の消費量及び／又は電力資源の発電量が、遠隔制御され、かつ遠隔調整される。
【００１７】
本発明の一つの実施例は、一台以上の装置や一つ以上のプロセスまたは両方の、使用、状態、パラメータまたは特性を、遠隔調整したり又は遠隔調整を起こさせることに関し、これにより電力需要を削減し及び／又は電力供給を増加させることが可能となる。この遠隔調整は、それらの装置に関する利用者や、装置を動作させる電源の電力供給者または配電会社や、例えば電気、ガス、水道業界等のユーティリティ会社の関係者、政府機関、その装置の動作用電力のトレーダ、その他の業者のような第三者により、実行される。電力資源の消費と電力資源の発電の調整は、利用者自身で開始してもよいし、特定のイベント／条件、予め定められた予定、またはその他の所定の方法に基づいて行うことも出来る。
【発明の効果】
【００１８】
本発明の例示的実施形態によれば、装置からのモニター用データメッセージは、中央サーバで受信される。このモニター用データメッセージには、資源使用（電力使用）、環境要因、パラメータ、状態、動作特性及び／又は誤りデータを含むパフォーマンス・データ、等に関連したデータが含まれる。コマンド・メッセージは、複数の装置及び／又は代替機器の一部または全てに送信され、電力需要及び／又は電力源への電力供給を調整する。この種の調整が、その資源（電力）と関連した取引活動に応じて行われる。そして資源消費及び／又は資源生成の調整によって、複数装置の変更した資源消費または資源生成に関して、取引ネットワークに供給される情報を、次々に生成することができる。装置と関連した資源需要は、その正味の消費量を削減するか、その正味の生成量（存在する場合）を増加させることによって、又はその両方によって、調整することができる。
【００１９】
ある1つの例によれば、略リアルタイムでの使用状況や問題データを含む動作データを提供する一つ以上のエネルギー関連の資産をモニターするために、他のネットワークと接続された無線ネットワークが用いられる。オンライン・インターフェースを介して、プログラム制御下にある１つ以上の利用者や他の主体によって、監視データは受信され、この団体には、資産所有者、サービス会社、エネルギーの伝送会社や生成会社、取締団体、トレーダ、そしてその他の認可団体と関連利益団体、等が含まれる。この監視データは、権限のある利用者または主体によって制御される。システムによって変更された上述の監視データは、少なくとも一台の予め定められた利用者定義の通信装置に対して、来信した監視データ及び／又は所定の形態に基づいて、動的に送信される。任意の外部情報、例えばリアルタイム市場価格データ、現在と予測される余剰および不足資源量、その他のデータ、等の任意の外部情報と組み合わせて、さまざまな利用者は、本発明と関連した幾つかの又は全ての資産に関して、電力需要を削減させるコマンド、及び／又は電力供給を増加させるコマンドを出すことができ、これらのコマンドは、通信リンクにアクセスできるインターネットのような利用者・インターフェース経由で送られる。そして中央サーバは、資源需要（電力需要）を削減させること、及び／又は資源供給（電力供給）を増加させることに関して、適当な一台以上の資産用の通信装置及び／又は所定の通信装置に対して、メッセージを送信することができる。コンプライアンス、審査及び／又は課金関連のデータも、システムによって自動的に集めてもよい。電力、ガス、水道等のユーティリティおよび装置サービスを連続して提供するために、これらの情報の流れは、集中化した資源需要削減及び／又は資源供給増加の指令及び／又は要請と整合性を合わせて、ほぼリアルタイムで調整するために使用され、また削減された資源消費及び／又は余剰容量の相互取引が可能となるように使用される。
【００２０】
他の例示的実施形態によれば、例えば複数の大規模商用設備のような多くの利用者ロケーションに有線または無線のインターフェース機器を取り付け、エネルギー供給源や負荷の状況、量、品質をモニターし、及び／又は異常あるいは仕様外の状況、発生したハイリスクの機器状態や動作状況と行為、等を調整してもよい。さらにエネルギー管理を行う団体は、かれらの各地のエネルギーおよび資産を、オンライン又は他の通信モードで、チェック又は管理してもよい。本発明の実施例に示すシステムで、利用者は同時に1または何百もの施設または資産のエネルギー消費を、コマンド一括送信機能を用いて制御及び／又は調整することができる。例えば、HVAC装置、冷蔵庫、照明、生産機械、電子制御および他の機器、等の装置は、アイドル状態にされ、調整され、より少ない頻度で使用され、より少なく使用され、或いはそれらのエネルギー消費を、節電警報やエネルギー価格のピーク期間のような一定期間中だけ削減したり、さらに単に経費カット（エネルギー削減と共に）のために削減してもよい。その結果、利用者は、実際に節電や停電が発生するのを避ける警報を出し、又は経済またはトレード利益を最大にする価格高騰に、十分急速に対応をすることが出来る。
【００２１】
節電または停電のコストは相当の額であり、電力需要のピークや発電および送電能力の予期しないロスが発生した場合でも十分な容量を確保するために、発電設備を増強するコストや送電施設を改善するコストが掛かってしまう。本発明の実施例により、送電網または他の資源分配網の影響を受ける部分の全体に渡って、潜在的に非常に多数の施設および資産全体に対して、利用者が極めて急速に電力需要を削減し及び／又は電力供給を増加させて、電力の需要イベント（例えば予測もしくは現実の電力不足、節電または停電、またはその早期警戒）に応じることが出来るようになる。更に本発明の実施例では、資源供給者と自発的に協同している顧客が約束どおりに協力しているかどうかをモニターすることも可能であり、需要削減や供給増加のレベルもモニターすることも出来る。これにより所定のエリア毎、或いは所定の団体毎に削減された需要量または増加された供給量（例えばエネルギーのあらゆるkWまたはキロワット時）を、適切な経済効果として評価することも可能となる。
【発明を実施するための最良の形態】
【００２２】
図1−図16は、複数台の遠隔装置をモニターする各種実施形態を表す。
これらのシステムは、図17−図25に開示した数々の例示的実施形態に示すように、遠隔装置を制御して、調整するシステムのより幅広いアプリケーション用に実行することが可能である。
【００２３】
図17は、遠隔装置を監視および制御する本発明の実施例に係る例示システムの線図である。一台以上の遠隔装置は情報メッセージにより制御および／又は調整され、この情報メッセージは、ある団体（主体）により送信される。この団体（主体）とは例えば、末端利用者、資源団体提供者や供給者（例えば発電会社、ガス、水道、電気等のユーティリティ会社）、ホストシステム、政府団体、公共利益団体、トレーダ及び／又は他の団体、等が含まれる。この情報メッセージは、本発明の実施例によれば自動的に送信することも出来る。情報メッセージは、コマンドまたはコマンド・メッセージ、制御信号、又は他の信号を含み、これらは、自動的及び／又は外部入力に応答して送信される。更にこの情報メッセージは、装置、所定の受信者に対して所定の通信モード及び／又は他の受信者を経由して送信される。この装置は、資源需要を削減し及び／又は資源供給を増加するために、遠隔で調整することができる。例えば資源消費は、例えばユーティリティ会社や電力供給会社のような団体により制御され資源需要が削減され、及び／又は顧客のために資源供給が増加される。加えてエネルギーは、エネルギーを節約して及び／又は末端利用者の自家電力供給を増加させるために、末端利用者（例えば顧客、事業のオーナー、その他）によって管理される。なお上記自家電力供給の増加分は、送電線網（または他の資源送出装置）に供給される。調整されるべき遠隔装置、これらの遠隔装置を調整する方法、さらにこれらの遠隔装置が何時調整されるか（例えば、トリガー状況またはイベント、スケジュール、その他につき）等は、本発明の実施例により決定される。
【００２４】
本発明の実施例は、上記装置、供給源、関連外部データおよび他のデータに関して詳細に開示する。この詳細情報は更に、本発明の各種実施形態に集中化され、組み込まれている。この集中化した詳細情報は、改善された資源最適化、および需要と供給の改善した分配配列、とを達成するために用いられる。加えて本発明の実施例では、以下の事項が可能となる。すなわち資源資産、供給、利用者、その他を、調整した限界使用に基づいて、順序付け及び／又は優先順位をつけること；需給レベルおよびアンバランス状態のより正確な概略予測を立てること;資源需要と資源供給の資産をより正確により迅速に制御すること；これらの資産に関するより正確で、迅速で、効果的なフィードバック通信を行うこと;そして、より急速で集中して、知的な最適化されたフォローアップ行動を行うことである。
【００２５】
本発明の他の特徴は、運用規則面に関し、例えば関連する経済値及び／又はインセンティブに関連する予め交渉すべき契約条件や、犠牲にすべき事項が含まれる。更に、運用規則の範囲は、オペレーション上、経済上、環境面、スケジュール面、その他の決まりを含んだ広範囲かつフレクシブルであってもよい。運用規則は、様々なレベル（例えば個人レベルからシステム全体まで）で、利用者が定義しても及び／又はプログラムで定義可能であってもよい。他の特徴は、停電または他のイベントに続く改良された電源復元能力に関するもので、これにより負荷の選択的な復元や電源供給上の選択的な制御が可能となり、電源が復旧した時に電源供給／配電に対して過度に負荷を掛けたり、妨げとなるのを回避することが可能となる。
【００２６】
利用者に対するインセンティブや他の情報を含む顧客情報に基づき、本発明の実施例は、システム及び／又は利用者にフォローアップ・メッセージを自動的に送信または転送することも可能である。このフォローアップ・メッセージには、付加的な資源削減及び／又は供給行為の要請を含むことができる。例えば、顧客が最大削減電力使用量（これは顧客情報に基づいている）を有していて、更に削減が必要なら、本発明の実施例では、更に削減が必要な旨の追加メッセージを送信する構成にしてもよい。この追加メッセージには、潜在的な更なる電気量削減行為を考慮するために、対応の電気料または他のインセンティブを含んでもよい。他の例では本発明の実施例は、利用者が完全な削減を行わなかったことを示す利用者資産およびデータについての知識に基づくフォローアップ・メッセージを自動的に生成することもできる。更に他の例では、既に最大使用量になっている所定のクラスに属する顧客だけに、このメッセージを送信してもよい。その他、多くのバリエーションおよび他のプログラム可能な事項を実行してもよい。
【００２７】
図17に示すように中央サーバ1710は、一人以上の利用者1726、1728から、通信網1720（例えばインターネット、構内ネットワーク、内部ネットワーク、その他）、無線通信1724その他を経由して、コンピュータ1722を含むさまざまな通信の方法を介しコマンドを受け取ることができる。例えば中央サーバは、外側のシステムから、コマンド、制御信号、コンピュータ生成のコマンドを受信するのと同様に、情報メッセージおよび他のメッセージを自動生成することもできる。利用者には、末端利用者、遠隔装置と関係する利用者、遠隔装置を動作するための資源の電力供給者、第三者、資源関連の団体、政府団体、公共利益団体、トレーダ及び／又は他のいかなるシステム参加者、等も含まれる。中央サーバ1710は様々なベースを格納し管理するための一台以上のデータベース1730、1732を維持することもでき、利用者情報データ、装置データ、利用者定義の規則および他のタイプのデータを含むことが出来る。
【００２８】
中央サーバ1710は、コマンド・メッセージを受信して、返信用の制御信号または情報メッセージを生成するためのサーバを含んでもよい。他の例では、この制御信号または情報メッセージは、中央サーバ1710によって自動的に生成してもよい。更にこの制御信号または情報メッセージは、例えばゲートウェイ、監視および制御トランシーバ、または他の通信部材や装置、等のインターフェースユニット1738に通信リンク1734を経由して通信してもよく、更に及び／又は例えば音声通話1760、XMLデータ1762、SMS/テキスト通信メセージング1764、電子メール1766、ファックス1768、およびポケットベル1770のような様々なモード、及び／又は他の通信方法を使用して、他の所定の受信者と通信してもよい。通信のモードおよび性格、通信の頻度、および他の規則、及び／又は制御信号または情報メッセージの送信と関連した条件は、利用者情報に格納してもよく、それは利用者または他の認可された主体によって修正してもよい。
【００２９】
インターフェースユニットは、ハードウェア、ソフトウェアまたは両方で構成することが出来る。例えば、ハードウェア制御下にある機器の動作サイクルは、ソフトウェア化制御下にある生産スケジュールにより調整され、これにより電気使用量のピークレベルを低下させることが出来る。加えて中央サーバ1710は、通信リンク1735経由でメータ装置1740と通信することができる。他の例では、通信リンク1734および1735は、単一リンクとして組み合わせてもよい。この通信リンクは、如何なる通信形態をサポートするリンク又はチャネルでもよく、これには、有線、無線、Global
System Mobile（GSM）通信、送電線または信号やメッセージを送信し及び／又は受信できる他の通信媒体も含んでいる。
【００３０】
この制御信号または情報メッセージには、監視、調整、装置の制御及び／又は操作、等を行う指示が含まれる。制御信号または情報メッセージは、一度だけ送信してもよいし、送信が確証されるまで複数回送信してもよく、再試行アルゴリズムが完了するまで複数回送信してもよく、反復的に、一定または可変的な期間、断続的に又は連続的に送信してもよい。インターフェースユニット1738は、装置を監視し、調整し、制御及び／又は操作するために、遠隔装置と更に通信することができる。インターフェースユニット1738は、一台以上の装置と共に又はその中に組み込まれてもよいし、装置と分離してもよく、及び／又は複数の装置を制御するために動作させてもよい。加えて、各コンポーネントは単一の部材として表現されているが、複数の部材でより広いアプリケーション用に構成してもよい。例えば、その構成には、複数の装置を各々制御することができる複数のインターフェースユニット1738を含んでもよい。
【００３１】
上記の装置には、監視し、制御し、調整し、及び／又は操作するいかなる機器も含むことができる。この種の装置には、照明システム1742;  冷凍システム1744;  HVACシステム1746;  除湿器、生産装置、例えば製造およびプロセス機械、モーターおよびコンプレッサのような生産機械、等のジェネレータ1748;  エレベータおよびエスカレータ;  コンピュータおよび他の制御可能な装置1750、等が含まれる。この装置は、個々に制御されてもよく、グループで集合的に制御されてもよい。例えば制御1750は、単一の関連装置または複数の装置を調整することができる。制御1750は、単一の装置に組み入れても、または装置と分離してもよい。更に、制御1750は、複数の装置を制御するための制御システムを表し、これは、例えばビルディングオートメーション・システム、エネルギー管理システム、プロセス制御システム、製造情報システムまたは企業資源計画／スケジューリングシステムを意味する。
【００３２】
上述の装置には、エネルギー関連の資産を含むことができ、それには動作させる結果として各種のエネルギー資源を消費し、蓄積し、生成するいかなる装置も含まれる。資源とは、装置を動作させることが可能である如何なる能力をも意味する。資源の例には、エネルギー、電力、天然ガスおよび他資源を含めることができる。資源の他の例には、非エネルギー関連資源、例えば計算能力および水資源が含まれる。
【００３３】
メータ装置1740は、インターフェースユニット1738の一部であってもよいし、その逆でもよい。メータ装置1740、例えば積算電力計または他のコンポーネントは、消費または他の状態または動きの量を計量するために用いられ、それからインターフェースユニット1738に、又は別の通信リンク1735を経由して中央サーバ1710、またはこれらの両方を経由して、フィードバックされる。この代わりに又はこれ加えて、メータ装置1740は、それ自身の内部にインターフェースユニット1738を組み込むか、或いはメータ装置1740は、インターフェースユニット1710の内部に組み込まれることができる。単一ユニットまたは装置は、インターフェースユニット1710およびメータ装置1740の機能を組み込むことができる。メータ装置1740は、例えば、どれくらいのエネルギーが調整期間中（例えば電力削減期間中）にエネルギー源から使用されたかを判断するためのエネルギー関連表示を得たり、或いは調整中に装置により生産され、送電線網に供給したエネルギーの品質を判断するためのエネルギー関連表示を得たりする（例えば分散電力生成装置が動作中）。メータ装置1740は、連続的に、所定の間隔で、断続的に、あるいはイベント発生時に、課金、電力品質監視、及び／又は他の目的のために、情報を格納し送信することができる。インターフェースユニット1738は、確認データ、及び／又はメータデータ、及び／又は他の情報を、通信リンク1734を介して中央サーバ1710に送信し；加えて又は代わりとしてメータ装置1740は、通信リンク1735を介して中央サーバ1710に、確認データ及び／又はインターフェースユニット・データ及び／又は他の情報を伝えることができる。インターフェースユニット1738及び／又はメータ1740と、中央サーバ1710の間の上り通信は、イベント発生時、所定スケジュール、又は連続的に双方向または一方的に、インターフェースユニットで起動してもよいし、或いはイベント発生時、所定スケジュール、又は連続的に双方向または一方的に、中央サーバで起動してもよい。また通信リンク1734は、インターフェースユニット1738及び／又はメータ1740、と中央サーバ1710の間の通信を、リレーして、凝縮し、分解し、圧縮し、伸長するためのサブコンポーネントを含むこともできる。
【００３４】
予め定められた規則及び／又は条件に基づいて、上記装置の調整の確認は、通信のさまざまな方法を介して、一人以上の予定受信者に配信される。例えば受信者は、例えば音声通話1760、XMLデータ1762、SMS/Text 1764、電子メール1766、ファックス1768、ポケットベル1770及び／又は他のタイプの通信、等の通信手段を経由して、確認または他の情報を受信することができる。調整の確認を受信することに関連する通信モード、通信周波数および他の条件は、利用者情報に格納されており、その利用者情報は利用者または他の認可された主体によって修正することが可能である。
【００３５】
本発明の他の実施例によれば外部データ1752が、特定装置をモニターし、制御し、調整し及び／又は操作する際に考慮されることもできる。外部データには、その装置の使用に影響を及ぼすことができるいかなる情報も含むことができる。外部データの例には、資源の消費／需要、資源の主要と予備供給、資源の分配能力、価格および市況、気象状況、緊急状況、トリガーイベント／条件に関する情報、過去または予想消費高／供給データ、予測される将来の消費／供給データ、および他の情報、等を含めることができる。
【００３６】
本発明の他の実施例によれば、利用者が上記特定装置の過去、現在、将来の調整に関する資源の一定量または一定単位を取引または売却するために、取引ネットワーク1754を使用することが可能である。取引は、予備の発電能力や配電能力を買い、売却し及び／又は交換するために行われ、これらの予備の能力は、配電能力は要求に基づく削減、或いは追加的な供給源の動作開始や動作増強、又はその他の調整を行うことにより生成される。
【００３７】
図18は、本発明の実施例に係る、遠隔装置を監視および制御を行うための例示的なネットワーク・オペレーティングシステムを例示している線図である。本発明の実施例の中央サーバ1800は、これらの機能と関連した遠隔装置の監視、制御及び／又は調節、およびデータ処理に関連したさまざまな機能およびモジュールを提供することができる。中央サーバ
1800の各モジュールは、分離して及び／又は集合的に、またローカルとして、リモートとして機能し、及び／又は配信手段としても機能することが可能である。更に中央サーバ
1800は、複合装置として、又は単一装置として機能することができる。また他のバリエーションも実行することが可能である。
【００３８】
本発明の一実施例によれば中央サーバ 1800は、資源の需要削減及び／又は資源の供給増加のために、遠隔装置の監視、制御、及び／又は調節を行うことに関連した機能を提供することができる。図18に示すように中央サーバ
1800は、さまざまなモジュール、例えばCommand Module（コマンド・モジュール）1810、Incentive Module（インセンティブ・モジュール）1811、Transmit
Module（送信モジュール）1812、Monitor Module（モニターモジュール）1814、Confirmation Module（確認モジュール）1816、Decision
Module（決定モジュール）1818、Capacity Determining Module（容量決定モジュール）1820、Credit Module（クレジット・モジュール）1822、Billing/Settlement
Module（決済モジュール）1824、Trade Module（トレード・モジュール）1826および他のモジュール、等を含むことができる。
【００３９】
中央サーバ
1800のモジュールは、様々な情報源からのデータとデータ交換を行い、これらの情報源には、User Profile Database（顧客情報データベース）1850、Monitor
Database（監視データベース）1852、Confirmation Data（確認データベース）1854、Credit Database（クレジット・データベース）1856および他のDatabase
1858が含まれる。これらのデータベースは、遠隔で及び／又はローカル的にアクセスされる一方で、これらのデータベースは、個々に及び／又は集合的に機能することもできる。
【００４０】
コマンド・モジュール1810は、末端利用者1840、資源供給者／資源供給者1842、第三者1844、および他の情報源1846、等の様々な情報源から一つ以上のコマンド・メッセージを受け取ることができる。コマンド・メッセージには、例えばボタンの一回押下または他のアクションのようなコマンドが含まれる。加えて、このコマンド・メッセージは、予め定められたトリガー、イベント及び／又は他の状況に基づいて自動的に生成させることもできる。コマンド・メッセージには、装置の調整特性値（例えば状態、動作、制御パラメータ、その他）のための指示を含むことができる。より詳しくはコマンド・メッセージには、調整量に関する情報、調整されるべき装置の情報、調整時期の情報、調整すべき頻度の情報、調整順序の情報、調整方法の情報、及び／又は他の指示、等が含まれる。コマンド・メッセージは、末端利用者、提供者／電力供給者、第三者、及び／又は他の主体からの、資源消費及び／又は資源生成の調整に関する要請、指令、または示唆であってもよい。
【００４１】
コマンド・メッセージは、末端利用者1840によって起動することが出来る。末端利用者は、遠隔調整を受ける装置と関連したいかなる個人または主体であってもよい。例えば食品雑貨店チェーンの所有者（またはマネージャ、他の責任者、その他）が、所定の期間（例えば分単位、時間単位、日単位、週単位、その他）だけ、電力消費を削減することを望むことができ、この期間は周期的に発生するようにスケジュール立てしてもよい。これには、冷凍システムを調整すること、照明システムを薄暗くすること、空調システム内のコンプレッサの動作周期をより長くすること、展示ケースのドア用加熱システムの使用を中断すること、等が含まれる。このコマンド・メッセージは、利用者または他の責任者によって定義される予め定められたトリガーに応答して自動的に生成することもできる。例えば利用者は、装置が調整される特定の条件を定めることができる。特定の条件には、資源の市場価格の急激な変化、気象状況の変化、その他が含まれる。
【００４２】
例えばコマンド・メッセージには、照明システムを動作させる際に使用するエネルギー量を削減させるという指示を含み、遠隔地で予め定められた量だけ照明システムを薄暗くすることが含まれる。更にこのコマンド・メッセージは、天気が良い日には、昼間は照明システムを比較的暗く動作させるように指示することが出来る。このシステムは、多くの窓を有する建物または部屋で有用である。更にこのコマンド・メッセージは、照明システムに対して、夕方または天候が暗くて曇っている昼間の間には、照明輝度を増加するように指示することができる。他の実施例には、資源（例えば電源、エネルギー、その他）を増加させることも含まれる。この例ではコマンド・メッセージには、一群の装置または特定の建物のために、エネルギー供給を増加させる指示を含むことができる。供給増加は、発電機を起動させ、他の予備電力源、あるいは他の資源供給者に接続することとなる。
【００４３】
このコマンド・メッセージは、一つ以上の代替フォーマット中に、又は情報メッセージの一部として、付加的に又は代替的に加えられて、意図する受信者へ適切な一つ以上の通信モードで配信さる。これにより、その受信者が適切な反応行為を開始することが出来る。
【００４４】
さらにこのコマンド・メッセージは、全体で、下流のサブドメインに次々にコマンド信号、情報メッセージ及び／又は制御信号を生成することができる下流ノードを目的とすることもできる。逆に、下流のサブドメインは、フィードバック・データとなることができる。この実施形態例では、データ及び／又は知能の配布レベルが存在することになる。
【００４５】
上述の制御と監視は、装置および中央サーバのネットワーク中でバンド幅の保護及び／又は知能配布のための層構成でも行うことが可能である。例えば、サーバ、信号モジュール、他のモジュール等を有する電気、ガス、水道業界等のユーティリティ会社の本社（または他の会社）は、例えば250箇所の事業所の内で、リスクを有している150箇所の事業所へ、信号またはメッセージを送信することができる。この信号またはメッセージは、資源消費及び／又は資源生成の調整に関するものである。例えば、その信号またはメッセージには、15%負荷削減のための要請を含むことができる。受信した事業所は、目標値（例えば15%の削減）に達するための調整を実行するために、インターフェースユニットに適切な関連信号を、おそらく他のタイプの通信リンクを経由して送ることができる。このインターフェースユニットは、それから資源消費及び／又は資源生成側で、一台以上の装置を有効に調整することができる。加えて、調整に関するレポートが、事業所へ送られ、そして本社に集めることができる。例えば事業所は、メッセージには事業所識別記号、調整量及び／又は他のデータ（例えば、「こちらは、事業所12番、12%の変化分あり」）、等の内容でメッセージを本社へ送信することが出来る。階層構造の層数は、任意に決定すればよい。
【００４６】
他の実施例によれば、フェールオーバ・モデル（二重安全システム）を、行うことができる。例えば、本社（例えば一次ノード）が事業所を制御及び／又は監視する役割を果たしてもよい。この場合その事業所で事故が発生した場合、（または欠陥が発生した場合）、予備事業所が本社機能を代役することができる。この例示的なシナリオは、いかなる点としての事業所での制御／監視機能を弱めるテロ攻撃または他のイベントと同様に送電網の冗長性に関連している。フェールオーバ・モデルは、それ自身の中の制御／監視責任を共有し、及び／又は閉鎖することができる一連のノードとして構成される。
【００４７】
他の実施例によれば、このコマンド・メッセージは、資源供給者1842のような利用者以外の主体（例えば電力供給者、その他）によって、より効率的に資源を分配するために起動することができる。コマンド・メッセージには、予め定められた量だけ資源の消費を削減しなさいという資源供給者1842からの要請または指令を含めることができる。資源供給者は、何百、何数千または何百万もの顧客に対して、特定の量またはパーセンテージだけ消費を削減するよう求めることができる。この要請は、顧客に対する価格設定の変更または他のインセンティブによって補償し、より多くの参加者（例えばより多くの顧客）、迅速な反応（例えばより速いアクション）、更により高いレベルでの参加（例えば更なる削減）を奨励することが可能となる。この調整の要求値は、概算額、推定量または他の方法で設定された所定量であってもよい。これらの要求値の一つ以上は、利用者情報を介して利用者または他の認可された主体によって確認してもよい。
【００４８】
コマンド・メッセージは、資源消費の削減及び／又は資源供給の増加に関する調整の複数のレベルから選択した所定のレベルである調整レベルを選択する、資源供給者（または他の主体）からの要請または指令であってもよい。調整の各レベルは、対応する価格またはインセンティブのレベルと関係していてもよい。例えば、エネルギー供給の枯渇及び／又はエネルギー需要の増加の事態に対応して、資源供給者は、より即時の対応のためにより高額な、より大きなインセンティブを与えることにより、複数の顧客に特定の最終期限までに所定量またはパーセンテージだけ消費を削減するよう求めることができる。卸売り資源価格及び／又は他の関連価格の上昇に応答して、電気、ガス、水道等のユーティリティ会社は、それらの顧客が資源の使用を縮小して及び／又は資源供給を増加するのを奨励する一連の関連小売価格またはインセンティブを提供することができる。
【００４９】
他の実施例によれば、このコマンド・メッセージは、第三者主体1844、例えば需要および供給のレベルを改善する政府団体、公共利益団体または他の主体、等によって起動することが可能である。所定の警告（例えば、テロ攻撃、節電、停電、その他）に応答して、いくつかまたは全ての利用者は、最大のエネルギー節約のために、一部または全ての装置について節電または完全停止さえ強制されることがある。例えば、テロリスト警告またはテロ攻撃に応答して政府団体は、最大レベルで資源節約しなさいという指令を出すことができる。他の主体1846には、トレーダ、システム自体、外注化された管理者および他の参加者を含むことができる。
【００５０】
外部データは、コマンド・メッセージを生成する際に考慮されることができる。例えば外部データには、需要／消費データ、供給データ、市場評価、気象状況、予め定められたトリガーイベント／条件、予想データ及び／又は決定、量、頻度に影響を及ぼす他の情報、又は装置の動作を調整することと関連した他の要因を含むことができる。これらのデータは、外部入力でされてもよいし、又は本発明の装置監視機能によって得られるか又は推論されてもよい。例えば、このシステムでは、発電と配電システムおよび関連装置の上りエレメントから入手できる監視データより得られる供給データとを参照にして、電力配電システムの下りエレメントから入手できる監視データより得られる需要／消費データを評価し、自動的に実行されるべき最適動作モード、又は実行前に利用者により承認された最適動作モードを決定する。
【００５１】
主体（例えば利用者、資源供給者、第三者、その他）は、装置を調整するための特定のトリガーイベントを確認することができる。このイベントは、装置の動作中で自動調整を始めるいかなるイベントまたは条件であってもよい。またイベントは、利用者、資源供給者または他の主体によって定義されてもよい。例えば、消費レベルが所定レベルに達したら、装置のエネルギー消費を削減する所定の削減レベルが実行されるように、利用者が定義することも可能である。他の例では、価格がピークレベルにある夏季節中の昼間に、エアコンを、より少ないエネルギーを消費するように調整してもよい。
【００５２】
コマンド・メッセージには、削減のレベルが複数の末端利用者の全体的削減目標に基づいて、末端利用者のために算出されるように、資源消費を削減する主体（例えば資源供給者、その他）からの要請を含めてもよい。例えば、全体的削減目標は、削減の量またはパーセンテージであってもよい。この全体的削減目標に基づいて、全体システム中の末端利用者・グループに属する個々の末端利用者の削減適正レベルが、決定されてもよい。末端利用者は、どのように削減のレベルが複数個の装置全体にわたって分配するかについて決めることができる。例えば末端利用者は、内部削減のレベルを決めることができる。更に末端利用者は、調整される装置、各装置の削減の概算量、削減するべき装置の順序、及び／又は他の情報を決めることができる。例えば有利なインセンティブ等の所定の要素に応じて、一部の末端利用者は更に、自己の装置を最少の動作レベルにレベルダウンすることも考えられる。更に、ある末端利用者は、インセンティブがちょうど適切なものであるので、全部の装置の電源を切る気になるかもしれない。
【００５３】
他の実施例は、削減の量またはレベルを要請している主体（例えば末端利用者、資源供給者、資源供給者、他の主体）を含んでいる。削減量または削減レベルに基づいて本発明の実施例では、その削減量またはレベルに達する一つ以上の考えられる方法を決定することができる。例えば主体は、15%の削減を要請したり、又はより一般要請、すなわち例えば非常動作モードのためには「最大限、削減して下さい」とか、通常の動作モードのためには「出来ることを削減して下さい」、さらに他の状況に応じた要請を出すことが出来る。予め定義された規則、及び／又はトリガー状況／イベント、等と同様に外部データに基づいて、このシステムは、所望の削減に達するために、削減アクションの最適な組み合わせ又は削減可能な組み合わせを生成する。他の例では主体は、所望のレベルまたは削減の量に達するために、いくつかの又は全ての削減行動を特定することもできる。
【００５４】
更に他の実施例によればコマンド・メッセージには、特定の量のネット消費量を変更する末端利用者からのオファーが含まれている。このネット消費における変更とは、消費の削減、供給の増加、及び／又は他の調整を意味する。このオファーは、一人以上の主体に送信されることができる。その主体は、その後にそのオファーを受け入れるか又は拒絶するかどうかを決定することができる。その決定には、制御信号を生成する前にそのオファーを受け入れるべきかどうか決める際の追加データ、例えば価格データ、供給データおよび需要データ、等を考慮することを更に含んでもよい。
【００５５】
ある実施例によれば、末端利用者は装置を動作させるか、又はその装置は特定の動作レベル（例えばレベル1）で機能しているとする。この場合に主体（例えば電力供給者、ホスト主体、その他）は、その利用者に対して需要削減（及び／又は供給増加）を含む現在のレベルとは異なるレベル（例えばレベル2）でその装置を動作させることを要求することができる。この異なるレベル（例えばレベル2）が、所定の需要削減（及び／又は新規供給）の量を起動させる。加えて、この異なるレベルが、利用者に対してインセンティブの異なるレベルを提供してもよい。このインセンティブの異なるレベルとは、より大きな経済的インセンティブ、及び／又は他の更なるインセンティブを提供することを意味する。
【００５６】
インセンティブ・モジュール 1811は、資源削減または供給増加及び／又は他の調整における、特定の量またはレベルに対するインセンティブの適切な組を生成することができる。インセンティブには、利用者に対するいかなる補償も含まれ、例えば、金銭補償、料金割引、特権付与、罰金またはペナルティーの回避付与、および価格設定メカニズム、等が含まれる。インセンティブは、固定的、可変的、または特定のイベント及び／又は条件に対する成功報酬型であってもよい。加えてインセンティブには、削減資源の量、及び／又は増加供給の量、潜在的量、推定量、及び／又は他の量、等に対する請求金額調整または他の決済、及び／又は他の支払形態を、事前に、あるいは後払いで補償することも含まれる。
【００５７】
ある実施例には、スポット取引を含めることができ、主体（例えばユーティリティ資源供給者、電力供給者、その他）が、所定の条件、例えば電力危機または他の重大な事態の発生、等を基にスポット的なインセンティブを申し出ることが出来る。このスポット的なインセンティブと引き換えに、末端利用者は、所定レベルの資源削減（または増加すべき供給のレベル）又は他の調整量を受け入れるか、或いは選択することが出来る。他の形態の実施例では末端利用者が、装置の動作を調整するための一つ以上の入札を申し出ることができ、この調整には、所定のインセンティブと引き換えに、消費削減及び／又は供給増加が含まれ、主体（例えばユーティリティ資源供給者）はその入札を受け入れるか否かを決定することが出来る。
【００５８】
コマンド・メッセージの受信に応答して、コマンド・モジュールは、装置の動作を調整するためのコントロール信号を生成することができる。送信モジュール 1812は、制御信号を装置と通知するインターフェースユニットに送信することができる。コマンド・メッセージによって指示されるように制御信号が、装置を調整することができる。制御信号は、複数の装置に同時に送信してもよい。他の例では、利用者または他の主体によって定義される調整の順序に従い、制御信号を順次送信してもよい。
【００５９】
他のバリエーションによれば、送信モジュール 1812は、制御信号と共に補助信号を送信することができる。この補助信号は、制御信号と並列に送信してもよく、また制御信号の前または後ろに付けて送信してもよい。例えばこの補助信号には、意図された（または直前の）調整について、他の特定する主体（例えば政府、公共利益団体、その他）に知らせる通知信号を含ませてもよい。この補助信号は、自動的にその場で生成したインセンティブデータを含むことができ、そのインセンティブデータは、現在の市価及び／又は他の情報に基づいて特注のインセンティブを含むことができる。この補助信号は更に、一人以上の予定受信者に送信すべき経済資料および他のデータも含むことが出来る。
【００６０】
モニターモジュール
1814は、遠隔装置から監視データを受信することができる。監視データには、装置と関連した一つ以上のパフォーマンス測定値（例えば状態データ、操作データ、パラメータ、特性、その他）を含むことができる。パフォーマンス測定値は、消費値または生成値、装置の状態（例えばオン／オフ動作の状況を示す操作モード、その他）、動作温度（HVAC装置、その他のために）、および他、装置の諸特性を監視し、この監視すべきパフォーマンス測定値は、利用者または他の主体によって定義することが出来る。利用者または他の主体は、どの装置がモニターされるか、どのようなパフォーマンス測定値が監視されるか、監視の頻度、および他の監視データを特定することが出来る。監視データは、監視データベース
1852に格納される。このデータは、将来の消費、供給及び／又は他のアクションを予測する際に使われる。加えて、この監視データは、装置の資源消費の調整を起動させる需要イベント／条件が発生したかどうか決定する際に使用される。
【００６１】
確認モジュール
1816は、コマンド・メッセージが受け取られたという確認を受信したり、コマンド・メッセージに応答して装置にされた調整の確認を受信することができる。例えば、確認モジュール
1816は、装置の削減、資源供給の増加、およびコマンド・メッセージに応答してとられる他のアクション、等の確認を受信することができる。この確認は、通信の好適な態様に基づいて、一人以上の受信者に送り届けられる。更に、受信者に確認を知らせることによって、その受信者は、その確認に関する付加的詳細事項を含む一般のサイト（例えばウェブサイト）にその後アクセスすることができる。確認データは、制御信号に従って調整することに失敗した一台以上の装置を確認し、及び／又は他の調整不達成に関する情報を確認するのに有用である。受信者は、調整不達成について、装置の特徴、測定値、状況、などの通知を受ける。加えて、その装置に関する確認レポート、調整不達成と状況に関するレポートが生成され、利用者または他の認可された主体によって指示された予定受信者に送信される。確認データは、データベース1854に格納され、インセンティブプログラム中の適切な補償を決定する際に使用される。
【００６２】
決定モジュール
1818は、装置の動作を調整することに関連した詳細事項を決定することができる。例えば決定モジュール1818は、どんな装置が資産モジュール1860を介して調整されるかを決定し、何時その調整がトリガー条件／イベント・モジュール1862を介して実行されるかを決定し、及びどの様にその調整が調整モジュール1864を介してなされるかを決定する。そして、これ等の一部または全ては、規範モジュール1866および他の詳細を介して実行される。決定モジュール
1818によって生成する情報は、コマンド・メッセージを生成するために使用または参照される。決定モジュール 1818には、装置の資産、条件および調整を決定する際に使用または参照されるデータを処理するロジック1832を更に含むことができる。
【００６３】
資産モジュール1860は、調整されるべき複数個の装置を表す。これらの装置は、一個の装置から何百、何千もの世界中の装置であってもよい。トリガー条件／イベント・モジュール1862は、特定の調整を行う様々な予め定められたインセンティブを表すことができる。トリガー条件／イベント・モジュール1862は、図19と関連して後で詳述する。調整モジュール1864は、トリガー条件／イベント・モジュール
1862において確認されるトリガーが発生した時に、資産モジュール 1860で確認された装置をどのように調整するかの方法に関する情報を提供することができる。
【００６４】
複数個の装置が、調整モジュール1864によって資源需要を削減して及び／又は資源供給を増す方法で調整される。例えば調整には、工程変更、装置の使用又は状態の調整、循環パターン及び／又は期間の調整、負荷サイクルの調整、設定値の調整、オン／オフ動作状態の調整、オペレーティング又は制御パラメータの調整、資源供給からの切断、オペレーティング・モードの変更、機器の処理または使用の中断、その他のアクション、等が含まれる。追加の資源供給はオンライン接続され（例えばバックアップ用の発電）、この場合には、この種の電源供給は内部電源需要より少ないか、又はこの種の電源供給は内部電源需要より大きく結果として正味の電力供給が電力供給者の電力分配（例えば配電用の発電）へ加えられる。他の制御動作には、冷却装置の電源オフ、省エネ機器の使用、温度幅の増加、供給側と戻り用ファン経由の流量削減、給気温度の上昇、冷却水の温度の上昇、冷却水流の削減、不必要な照明の消灯、不必要な全ての事務所用等での機器のスイッチオフ、バックアップまたは非常発電機およびその他の動作、等も含まれる。
【００６５】
他の例では調整モジュー 1864は、複数の装置の動作、状態、又は他の特性のバランスを、少なくとも部分的に評価された消費量、及び／又は評価された供給量に基づいて、バランスをとることが出来る。この消費量および供給量は、概算値であってもよい。加えて、この資源のバランスをとることは、単一利用者の複数の遠隔装置用に実行してもよい。これらの調整される遠隔装置は、利用者によって定義しても、又はこの利用者の全ての遠隔装置を含んでもよい。加えて、この資源のバランスをとることは、複数の利用者のために実行してもよい。一団の利用者（例えば親会社、関係会社、その他）のために、関連ある又は関連の無い複数の利用者の全体にわたって、消費量を調整してもよい。更に、調整モジュール
1864は、特定の装置が他の装置が調整される前に、優先度を付けて複数の装置を調整することもできる。加えて、ある装置は、複数の方法で調整してもよい。例えば、空調システム（暖房設定）は、設定温度を低下させ、コンプレッサの動作を下げ、ファン回転速度を調整する、等である。この優先順序は、各調整機構と関連した資源消費量に基づいて行ってもよい。例えばコンプレッサの動作は、ファン回転速度を調整することより少ない資源消費となる。他の要因も、考慮することが出来る。
【００６６】
更に、調整モジュール 1864は、中央サーバ 1800、インターフェースユニットまたは複数個の装置が有する一つ以上の分散要素によって特定される一般的条件下にある複数の装置を、調整することができる。例えばビル建物レベルの制御システムがインターフェースユニットと連動して用いられ、この制御システムがその建物内の複数のエネルギー情報モードを実行出来る場合には、調整モジュール1864は、上記制御システム中の予め定義されたプログラムを実行することで個々の装置に対して制御を行うことが出来るビル建物レベルの変更のために調整を行うことも可能である。
【００６７】
加えて、規範モジュール1866は、適用法令及び／又は規則に関連した情報を提供することができる。他の県または条例に関する情報も、現行法、規則、および他の強制命令との整合性を確実にするために利用される。
【００６８】
容量決定モジュール
1820は、資源調整の結果、複数の装置に関連する資源需要、又は資源供給の変化分を、決定することができる。この変化分は、測定1ユニットとして測定又は定量化される。例えば、その変化分は、エネルギー削減、或いは使用回避容量の結果として倹約された容量を表すことができる。他の例では、この変化分は、増加した供給量を表すこともできる。
【００６９】
変化分の実際の量は、特定の利用者毎に、かつ特定の調整毎に算出される。変化分の量は、クレジット・データベース1856に格納される。他の例では、利用者の潜在的削減が、前以て推定され、データベース1850及び／又は他のデータベースの利用者情報に格納される。特定の利用者毎に、資源削減の所与のレベル毎に削減された潜在的容量の資源量が、算出され、かつクレジット・データベース1856に格納される。加えて、特定の利用者毎に、資源供給の所与のレベル毎に、増加された潜在的容量の資源量が算出され、かつクレジット・データベース1856に格納される。
【００７０】
更に、調整から生じた所定エリア内の変化分の各測定ユニットは、その利用者への補償料として表すこともできる。この補償料は、固定額、率に基づく額、または他の方法で決定された額であってもよい。資源需要／資源供給における変化分の測定ユニットは、エネルギーの所定キロワットでも、または他の計測値であってもよい。
【００７１】
クレジット・モジュール1822は、容量決定モジュール1820で決定される容量の変化分毎に利用者に対してクレジットを与えることができる。クレジット（与信）の量または指示は、クレジット・データベース1856に格納される。例えば、利用者は、削減容量毎にクレジットが与えられる。また利用者は、削減されたエネルギーの各kW毎に所定のドル金額を受領することもできる。また他の形態で換算することも可能である。例えば、利用者には、末端利用者、ユーティリティ（電気、ガス、水道、等）提供者、資源供給者、電力供給者、政府団体、及び／又は他の第三者も含むことができる。クレジットは、他の主体に移すことも、また割り当てることもできる。クレジットの価値は、特定の状況に依存し、例えば資源供給量の減少、及び／又は資源需要量の増加により、高くもなり、低くもなる。加えて、クレジットに関するデータは、資源削減プログラムや、１台以上の装置の動作を調整するその他のアクションに参加するためのインセンティブとして、利用者にクレジット（支払い、経済的交換、報酬）を与えるために、生成することも可能である。このクレジットには、例えば支払い及び／又は特定料率関税のような経済的インセンティブ、及び／又は例えば特権、権利または報酬等の他のインセンティブ、等が含まれる。他のタイプのクレジットには、法令違反に対する罰金や罰の免除も含むことができる。例えば、利用者が、公衆電源供給に加えられるエネルギーを発生させるための個人的な発電機を保持している場合には、利用者は送電線網に低品質の電気を供給すると、罰されることがある。この例では、エネルギーが「汚れた」エネルギーである場合、その利用者はエネルギーを除外しなかった事実に対して処罰され得る。
【００７２】
決済モジュール1824は、資源需要及び／又は資源供給における上記変化分を、その利用者または他の主体に対して、貸方処理／借方処理に関する決済処理を行うことができる。同意した補償方法に基づいて利用者は、自己の行動に対する適切な金銭的対価またはインセンティブを受け取る。この場合の行動とは、例えばエネルギー消費の削減、特定目標までの削減、等をいう。補償の形態は、いろいろ考えられるが、金銭的な支払い、付加的な特権供与、または他の形態によるインセンティブも含まれる。このモジュールは、インセンティブ量が正しく決定または計算されるのを確実にし、更にまた正しい利用者が（または他の参加者が）、正しい補償を受領するのを確実にする。このシステムにより、各利用者は、各口座を保有し、この口座はクレジットされ（貸方処理）、デビットされ（借方処理）、或いは課金処理される。他の決済処理も可能である。
【００７３】
加えて、課金分析が実行され、これにより予想効果値のモデルが、特定の時点または市価で、資源需要及び／又は資源供給の変化分（例えば資源消費の削減量）を価格評価するために使用される。この実施例のバリエーションによれば、容量の変化分の実際量が、上記予想効果値と比較され、適切な価値が決定される。なお加重平均値も、使用できる。補償を算出するための他の方法も、実行することができる。変化分の実際量は、資源、例えば電気の実際の使用量を測定する電気メータで決定してもよい。この電気メータは、実際の使用量を測定し、記録し、送信を行うようにプログラムされており、一定間隔（例えば15分毎、30分毎、その他）、連続して、所定量または増加が発生した時、そして必要ならこれ等の組み合わせのタイミングで実行される。
【００７４】
トレード・モジュール1826は、主体が、自己の資源需要及び／又は資源供給の変化分を他の主体と取引ネットワーク1830を経由して、取引及び／又は売却することができ、この場合他の主体とは、例えば末端利用者、資源供給者、第三者、トレーダ及び／又はホスト主体、等をいう。取引ネットワークは、中央サーバ
1800へ直接接続されていても、又はリモートで接続されていてもよい。利用者（または他の主体）は、余剰供給能力、通常の消費量を回避する能力、又は一人以上の顧客へオファー出来る資源供給等を有している場合がある。この資源調整の量は、エネルギー量または他の資源／通常商品の量を表すことができる。加えて、上記利用者（または他の主体）は、上記余剰分を他の形態の能力、他の資源、財政的または契約上の法律文書か義務、又は補償の他の形態、等を、他の主体と交換することができる。
【００７５】
他の実施例によれば、利用者（または他の主体）は、資源需要または資源供給の変化量を、複数の参加者から複数の入札を受け入れることができる。例えば利用者は、余剰エネルギー（例えばkW）の形で、供給能力の過剰な量を有するとする。この場合、所望の時間に利用者は、複数の入札者にその過剰なエネルギー量を売り出することができ、その入札者には、他の利用者、ホストシステム、資源供給者（例えば電力会社）および他の主体が含まれる。この入札は所定期間毎に行われ、その期間の終りには、最高価格（または最も望ましい）入札者が、利用者からその過剰なエネルギー量を受け取ることができる。他の売却及び／又は取引の仕組みも、実行可能である。
【００７６】
図19は、本発明の実施例に係る例示的なトリガー条件／イベント・モジュールを示す線図である。上記したように、トリガー条件／イベント・モジュール
1862は、いつ装置の調整をするべきかを決定する際に用いる分析を提供することができる。トリガー条件／イベント・モジュール1862は、個々に及び／又は集合的に機能することができる複数のモジュールを含むことができる。更に追加モジュールが、利用者と関連した装置を調整または操作するための特定の条件を決定するための他の機能を提供することができる。
【００７７】
この例示的な線図において、トリガー条件／イベント・モジュール 1862は、複数個のモジュールを含み、これらは、Assess Demand/Consumption Module（資源需要／資源消費評価モジュール）1910、Assess
Supply Module（資源供給評価モジュール）1912、Assess Market Module（市場評価モジュール）1914、Assess
Weather Module（天候評価モジュール）1916、Assess Device Function Module（装置機能評価モジュール）1918、Feedback
Module（フィードバック・モジュール）1920、予測評価モジュール1922、イベント／条件モジュール1924、予定モジュール1926、及び／又は他のモジュールである。
【００７８】
トリガー条件／イベント・モジュール1862の複数のモジュールは、様々な情報源からのデータと相互にデータ交換を行い、これらの情報源とは、Consumption/Supply
base （資源消費／資源供給データベース）1940、Market Database（市場データベース） 1942、Weather Database（天候データベース）1944、Device
Database（装置データベース）1946および他のDatabase （データベース）1948である。これらのデータベースは、個々に及び／又は一体的に機能し、遠隔で及び／又はローカル的にも、アクセスすることが出来る。
【００７９】
資源需要／資源消費評価モジュール1910は、上記装置の動作と関連した資源の消費量を評価することができる。消費量は予め定められた領域での消費量を表すことができ、それは一つ以上の部屋、ゾーン、床、建物、ブロック、細区分、都市、所定の地方、または他の領域が含まれる。この消費量は、追加的あるいは代替的に、利用者の所定のタイプとクラス、及び／又は装置のタイプとカテゴリを表す。消費量は、特定の１以上の装置の量を表す。この消費量は、所定のユニット（例えばkW、その他）、レベル表示（例えば低い、高い、等）、評価量、その他のユニット、として測定される。また消費量は、現在消費量、理論的消費量、及び／又は所定の時間枠の平均消費量として表現される。消費データは、資源消費／資源供給データベース1940に格納される。
【００８０】
資源供給評価モジュール1912は、エネルギー、電力、などを含む一つ以上の資源の供給量を評価することができる。供給量は、所定の期間毎に監視することが出来る。供給量は、一台以上の装置、部屋、ゾーン、床、建物、ブロック、細区分、都市、所定の地方、または他の領域、等を含む所定の領域を、更に監視することができる。供給量は、追加的あるいは代替的に、供給の所定のタイプとクラス、及び／又は分配、及び／又は装置のタイプとカテゴリを表す。この供給量は、利用可能資源のレベルまたは量の指標を提供する。供給データは、資源消費／資源供給データベース1940に格納される。
【００８１】
評価された資源需要／消費の量、及び／又は評価された供給量に基づいて、一つ以上の資源のオペレーションが調整される。例えば、一つ以上の資源の消費量が、コマンド・メッセージ、情報メッセージ及び／又は制御信号を介して調整される。他の例では、一つ以上の資源の消費量が、予め定められた量だけ供給量に接近しつつあるか或いは上回っている消費量に基づいて、調整される。この例では、利用者は、消費を削減する適当な時は、供給量の2%（または他のパーセンテージまたは量）以内になる需要量に応答すると決定することが出来る。また利用者は、消費が削減される率または強弱を決めることもできる。この率または強弱は、需要量が供給量に所定幅だけ接近するか超えると、増加させて調整を行う。
【００８２】
他の所定のトリガー及び／又は条件も実行することが出来る。例示的なシナリオにおいては、需要が供給を上回る前に、利用者は消費を削減するのが、より実際的であると判明するかもしれない。例えば、需要総額が予め定められた量だけ供給のレベルに接近した場合に、利用者は所望の供給レベルを維持するための削減を始めることができる。
【００８３】
市場評価モジュール1914は、遠隔装置の動作と関連した資源の市場または他の価格データを評価することができる。特定の市況に基づいて、装置の動作は、コマンド・メッセージ、情報メッセージ及び／又は制御信号を介して、調整される。例えば、一日及び／又は一季節のピーク時には、特定のイベントが、価格を上下させる。加えて、より大きい要求及び／又は低い資源供給が、資源の市価に影響を与える。市場データおよび他の関連情報は、市場データベース1942に格納される。
【００８４】
天候評価モジュール1916は、装置の動作に影響を及ぼす気象状況データを評価することができる。特定の気象状況に基づいて、装置の動作は、コマンド・メッセージ、情報メッセージ及び／又は制御信号を介して調整される。例えば、厳しい気象状況の徴候は、装置の動作に影響を及ぼすことがある。ターゲット領域で電力が切れるかもしれない厳しい雷雨の徴候は、この種の天気イベントの準備中における現在の消費を削減する際に考慮されることがある。気象データに影響を及ぼす資源消費及び／又は資源供給は、天候データベース1944に格納されている。
【００８５】
装置機能評価モジュール 1918は、遠隔装置の動作と関連した装置機能データを評価することができる。特定の装置データに基づいて、遠隔装置の動作は、コマンド・メッセージ、情報メッセージ及び／又は制御信号を介して順次調整される。装置機能データには、装置を動作させるコスト・データ、その装置を動作させる資源のコスト・データ、その装置の資源消費を削減する能力、資源を増す能力、他の装置に関する装置の優先度、調整のためのリードタイム、調整のための許容可能な期間、及び／又はサポートされる操作能力およびモード、等が含まれる。装置データは、装置データベース1946に格納されている。末端利用者は、遠隔装置の優先度および他の要因に基づいて、削減の順序を適用することができる。例えば利用者は、もし気象状況が特定のレベルに達する場合、HVACシステムと関連する資源消費量が削減され、コンプレッサが最初に削減され、もし温度が所定期間までに特定のレベルに達しない場合、サーモスタットを低下させる、というように指示することが可能である。Assess
User Profile Module（利用者情報評価モジュール）1919は、装置と関係する利用者情報データを評価することができる。利用者情報データに基づいて、装置の動作は、コマンド・メッセージ、情報メッセージ、及び／又は制御信号を介して調整することができる。利用者情報データには、契約規定と自己規定、条件、および義務；経済的制約;集合的資源の使用及び／又は生成データ;地図データ;そして経済資料、が含まれる。この種のデータは、利用者情報に格納されている。例えば、ローカル市価が特定の場所での閾値を越え、そして一般的な契約条件がそれを許容すると、資源消費は対応する施設だけで変更される。
【００８６】
フィードバック・モジュール1920は、装置の調整に応答してフィードバック・データを評価することができる。このフィードバック・データに基づいて、装置の動作が再調整される。例えば主体が資源供給者である場合、その資源供給者は、複数の装置が対応するインセンティブレベルで応じて、どのように削減要請に反応するかを観察し、その反応に基づいてインセンティブレベルを調整する。もし主体が、低い反応と判断すれば、インセンティブレベルは、削減要請へのより高い反応を得るために増加される。他の例では、削減要請を、より多くの参加を引き出すために、より低いレベルに調整してもよい。フィードバック・データには、利用者レベル・データ、複数の利用者の集合体データ、及び／又は利用者から独立している集合体データを含むことができる。例えば、電源需要のピークは、供給減少に結果としてなる送電網の一部に停電を生じさせ、利用者レベル需要データの集合体において必ずしも把握されるという訳ではない。
【００８７】
予測評価モジュール1922は、複数の装置の動作に関する将来の消費量及び／又は供給量を、予測または推定することができる。特定の予想データ（例えば天気データ、市場データ、消費データ、供給データ、予備容量データ、その他）に基づいて、遠隔装置の動作が、コマンド・メッセージ、情報メッセージ、及び／又は制御信号を介して調整される。例えばパフォーマンス測定値が、その装置のために測定され、それは消費評価を含むことができる。過去のパフォーマンスおよび監視したパフォーマンス測定値を含む履歴データに基づいて、推定の将来消費量を、その装置のために予測することが出来る。例えば、類似の気象状況（例えば温度、吹雪、雨、湿度、その他）を有する昔の冬の季節に基づいて、コマンド・メッセージ、情報メッセージ、及び／又は制御信号を形成するために、暖房システムのための推定エネルギー消費量が用いられる。他の過去のパフォーマンス・データも、特定の装置のための消費総計を推定する際に使用される。パフォーマンス測定値には、状況データ、動作データ、及び／又は他の特徴が含まれる。予測評価モジュール1922は、資源消費／資源供給データベース1940、市場データベース1942、天候データベース1944、装置データベース1946、および他の情報と分析についての情報源を含む様々な情報源から情報を集めることができる。
【００８８】
イベント／条件モジュール1924は、装置の動作の調整を誘発するイベント／条件を決定することができ、この動作にはエネルギーの削減と供給の増加の両方を含む。イベント／条件は、末端利用者、資源供給者、電力供給者、第三者、システム自体その他を含む主体によって定義されることができる。例えば、イベント／条件には、閾値を上回っている必需品の市価、節電または停電警告、セキュリティ警告、ハッカー警報、テロ警戒、送電線網故障、停電、電源異常、電源消費および供給に影響を及ぼすセキュリティ違反または他のイベントまたは状況、等が含まれる。需要イベント／条件が発生すると、コマンド・メッセージ、情報メッセージ、及び／又は制御信号が、装置の動作の適切な調整を行うために生成される。他の需要イベント／条件には、主体からのエネルギー削減強制命令を含み、この強制命令は利用者によって自己課題されたものであってもよい。
【００８９】
特定のイベント／条件は、利用者情報がある利用者と関連した装置をモニターすることに関連し、少なくともトリガーイベントの一部に基づいてコマンド・メッセージ、情報メッセージ及び／又は制御信号を生成する。この例では、装置と関連した視データが、需要イベント／条件を生成する際に使用される。もし監視データが、特定の装置が予め定められた閾値を上回るレベルで動作していることを示す場合、コマンド・メッセージ、情報メッセージ及び／又は制御信号を、それに対応して生成することができる。
【００９０】
他の実施例によればトリガーイベントには、末端利用者または他の主体によって定義された予め定められたトリガーイベントが含まれる。例えば、トリガーイベントは、気象状況に関連したデータ、電力削減を強制する差し迫ったイベントについての警告メッセージ、保安上の出来事、予め定められた閾値より大きい資源（または必需品）価格の上昇または低下、または装置の動作の調整を誘発するために用いられたことがある他のイベント、等に基づいてもよい。トリガーイベントは更に、リアルタイム現物市場価格、現時点での余剰高と欠損高データ、および予測余剰高と欠損高データ、等を含む経済データに基づいてもよい。
【００９１】
予定モジュール1926は、資源調整を予め定められたスケジュール通りに生成することを可能にする。例えば利用者は、日、週、季節、などの期間（例えば）の全体にわたって所定の間隔で、装置の調整をプログラムすることができる。例えば冷暖房と関連した遠隔装置の調整は、朝、午後、夕方および夕方遅くに行うことが出来る。他の例では利用者は、適切な予定に従って、削減調整をプログラムすることができる。なおスケジュール情報は、利用者情報に格納することが出来る。
【００９２】
図20は、本発明の実施例に係るトレード・モジュールを例示している線図である。利用者（または他の主体）は、取引ネットワーク1830を介して装置の調整から生じた容量の変化量を取引または売却することができる。トレード・モジュール
1826には、複数のモジュール、例えばExchange Module（交換モジュール）2010、Sell Module（売却モジュール）2012、Bid
Module（入札モジュール）2014、Settlement Module （決済モジュール）2016、Market Price Module（市価モジュール）2018及び／又はOther
Module （他のモジュール）2020を含むことができる。トレード・モジュール 1826は、容量変化または他の必需品を交換するか、売買するかまたは売却することと関連した付加的な機能性を提供する他のモジュールを含むことができる。
【００９３】
トレード・モジュールは、Capacity Saved Database（節減量データベース）2030、Credit Database（与信データベース）2032、Commodity
Database（必需品データベース）2034及び／又は他のデータベースに格納されるデータにアクセスすることができる。
【００９４】
取引ネットワーク
1830の参加者には、複数の利用者2040、2042、複数の資源供給者2044、2046、ホスト主体2048、トレーダ2050及び／又は他の参加者2052、等が含まれる。
【００９５】
交換モジュール2010は、参加者（例えば末端利用者、電力供給者、資源供給者、トレーダ、その他）が装置の動作の調整から生じた需要削減及び／又は供給増加を取引可能にすることができる。取引アクションは、個々に参加者によって実行される。加えて、この取引アクションは、参加者自身が定義した条件で自動的に生成するようにプログラムすることが出来る。例えば、閾値を上回る市価に基づいて、余剰分が現在の市価に基づいた価格で（例えば5ドルだけ現在の市価より低い／高い価格で）、取引される。参加者は、他の必需品または他のインセンティブと、余剰分を交換すると申し出ることができる。例えば、エネルギーの余剰分をもつ参加者は、他の資源または対応する財産物（例えば汚染物排出権）の余剰分を有する利用者と、適当な交換レートで取引することができる。
【００９６】
売却モジュール2012は、参加者が予め定められた金額で余剰分を売却することができるようにする。例えば提示価格は、現在のスポット市価に基づいてもよい。例えば参加者は、所定金額だけ調整された現スポット市価で（例えば市価プラス5ドル）、いかなる余剰分も売却することが出来る。
【００９７】
入札モジュール2014は、参加者が一人以上の購入見込みのある顧客に余剰分をオファーすることができる。例えば末端利用者は、複数の入札者に余剰分をオファーすることができる。他の例では末端利用者は、複数の参加者（例えば資源供給者、電力供給者、トレーダ、その他）が値を付ける見込みのある金額でエネルギー消費を削減することをオファーすることができる。
【００９８】
決済モジュール
2016は、正当な価格で、適切な主体に対して貸方処理／借方処理／請求処理を行う決済機能を提供する。このモジュールは、各処理がうまく実行されたかどうかを判断することができる。
【００９９】
市価モジュール2018は、利用者、資源供給者、または他の参加者が提示価格及び／又は始めの入札を決定するのを援助するために用いる市価データを提供する。加えて、市価データは、トレード、売却、入札の行動を始める際に使用される。
【０１００】
図21は、本発明の実施例に係る例示的な利用者情報である。本発明の実施例に示すシステムの各利用者（例えば末端利用者、資源供給者、電力供給者または他の主体）は、利用者情報を作成し、維持し、かつ修正することができる。この利用者情報は、ウェブサイトまたは他の通信モードで、利用者・インターフェースを介して利用者によりアクセスすることが出来る。利用者は、ワイヤレス通信（例えばPDA、携帯電話、など）を経て、利用者情報にアクセスすることも出来る。利用者情報ページ2100は、以下のような情報、を含み、これらは例えば、User
Data（利用者データ）2110、User Type （利用者タイプ情報）2112、Generate Command Message Interface （コマンド・メッセージ生成情報）2114、Curtailment
Level （削減レベル情報）2116、Operation Level （動作レベル）2118、Contract （契約情報）2120、Demand （需要情報）2122、Supply
（供給情報）2124、Device Data （装置データ）2126、Device Operation Data （装置動作データ）2128、Device
Monitor Data （装置監視データ）2130、Messaging （メッセージ送信情報）2132およびOtherデータ（その他のデータ）2140、等である。利用者情報ページ2100の各モジュールの詳細は、異なるタイプの利用者により夫々異なる（例えば末端利用者、資源供給者、電力供給者、第三者、政府団体、公共利益団体、その他）。
【０１０１】
利用者データには、利用者に関する情報、例えば利用者名、利用者・アドレス、通知先、利用者代理人または関係者、好適な通信モード、及び／又は他のデータ、等を含んでいる。更に利用者データには、貸方処理、借方処理、及び／又は請求処理を含む口座も含むことが出来る。
【０１０２】
利用者タイプ情報2112は、利用者カテゴリを含むことができる。このデータは、特定の状況下で特定のモードの関連装置を動作させるために用いる。例えば、利用者タイプが、病院または他の緊急団体である場合、特定の装置を、通常動作モード又は緊急時には緊急動作モードで動作させることが出来る。他の利用者タイプ情報には、商用主体、政府団体、非営利団体、健康団体、などを含むことができる。利用者タイプは、更に詳細に分けられる。例えば健康タイプの利用者には、付加的なカテゴリとして、薬局、ワクチン、病院、救急室、給水およびその他を含むことができる。この動作モードには、いつこの装置は使用されるか、どの様にこの装置は使用されるか、等の指示を含ませてもよい。
【０１０３】
コマンド・メッセージ生成情報2114には、利用者がコマンド・メッセージを生成するために使用するインターフェースを含むことが出来る。利用者は、装置を調整するためのコマンド・メッセージを生成することができる。更に利用者は、装置がシステムによって自動的に調整される条件を定めることもできる。加えてコマンド・メッセージは、シングル・アクション、例えばボタンの押下を含むこともできる。
【０１０４】
削減レベル情報2116には、削減レベルと関連した詳細事項を含むことができ、現在の削減レベル、以前に起動された削減レベル、さまざまな削減レベルと関連した履歴データ、も含まれる。現在の削減レベル用に、利用者は装置が現在どのように動作しているかを見ることができる。利用者は、複数の削減レベルから削減レベルを選択でき、各レベルは各装置がどのように動作するかを特定している。このオプションで利用者は、個々の装置を個々に削減することができ、又グループまたは全ての装置を同時に削減することも出来る。資源供給者からのエネルギーを削減するための要請に応答して、例えば末端利用者は、好適な削減レベルを容易に選択することができる。各削減レベルは、末端利用者、資源供給者、電力供給者または他の主体によってあらかじめ定義されていてもよい。更に、末端利用者は、資源供給者、電力供給者または他の主体から提案されるインセンティブ用の削減モードで動作することを申し出ることができる。
【０１０５】
動作レベル情報2118は、一台以上の遠隔装置の動作（例えば状態、特徴、パラメータ、その他）に関する予め定めた規則を含んでいる。例えば、末端利用者は装置に関する複数装置の複数の動作レベルを含んだ規則を定めることができる（例えば、正常動作、異常動作、節減動作、経済的動作、緊急動作、その他のレベル）。例えば利用者は、自分で容易に起動させて容易に切り替えられる特定の動作レベルを決めることが出来る。利用者自身で定義した規則は、現行情報に応答して自動的にその場で生成、及び／又は修正することが出来る。例えば利用者は、予備キャパシティが5%に維持される動作モードを指示する規則を特定することができる。利用者は更に、5%の予備キャパシティを維持しする境界範囲内で実行される付加的な規則を定めることができる。利用者のシステムおよび状況の複雑さに応じて規則の複数のレベルを、特定の規則がより高水準規則の境界範囲内で実行されるように定義してもよい。利用者は、規則が特定の状況及び／又はイベントにどの様に変化するか（例えば、適応する）に関して、規則を特定することも出来る。
【０１０６】
加えて動作レベル情報2118は、タイミング関連の諸問題、例えばリードタイム、期間および他のデータ、に関連した情報を含むこともできる。例えば利用者は、削減または他のアクションに関する主体からの通知、要請、又は指令に、利用者がどれ位の時間で反応しなければならないかについて特定することができる。利用者は、反応が特定の時間内で受け取る、又は受け取らないかで、参加または不参加を指示するタイムアウト期間を特定することもできる。更に利用者は、利用者または他の主体が、どれ位の期間、特定の動作モードのまま留まるのかについても、特定することができる。
【０１０７】
契約データ2120には、装置の制御権に関する利用者とホスト主体間の契約または合意が含まれている。加えてホスト主体は、装置の動作と関連したいかなる利用者の権利も覆す権利を留保することができる。例えば緊急事態または低電力状態で、ホスト主体は、遠隔装置を調整または稼動する利用者の権利を覆すことができる。許可を得た利用者に関連する情報も、提供される。特定の遠隔装置または遠隔装置のグループは、稼動を許されないか、特定されるように稼動が許されない。加えて、装置か装置のグループが、特定の状況に応答して、どの様に応答すべきかについて規則を設けることも出来る。
【０１０８】
需要情報2122には、複数個の装置の消費量に関連した情報が含まれる。現在および過去の消費量が、適切なグラフィック（例えば図、棒グラフまたは他のグラフィックインターフェース）で、利用者に表示される。
【０１０９】
供給情報2124は、資源の供給量に関連した情報が含まれる。現在および過去の供給量が、適切なグラフィック（例えば図、棒グラフまたは他のグラフィックインターフェース）で、利用者に表示される。
【０１１０】
装置データ2126には、調整（例えば削減）の対象となる複数個の装置に関連した情報を含んでいる。双方向性のマッピング機能を介して、利用者は遠隔装置の位置、装置のタイプ（例えば、加熱システム、冷却システム、その他）、製造業者およびモデル、優先順序、削減順序、そして装置に関した他の情報、等に関連した情報を利用者は見ることができる。
【０１１１】
他の実施例によれば遠隔装置は、一つ以上の「スマートIDチップ」を含むことができ、これにより、各装置を確認し（例えばアドレス、その他の識別子を提供して）、更にその特性、電力特性（または発電能力）電源情報（必要電力とそのタイミング）、いくつかの調整レベルへ調整する能力、現在の状態／パラメータ、などを確認することに、参加することができるようになる。加えて、IDチップは、通信装置に対するその装置のアイデンティティ、製造者、モデル、シリアルナンバ、タイプ、カテゴリ、所有者、場所、電子アドレス、動作、電源特性、資源消費、資源生成、電源情報、調整力、現在の状態及び／又は現在のパラメータ、等に関するデータを提供することもできる。このIDチップは、この装置または機器を、個々に又はローカルネットワーク中で、どのように需要を削減するべきかを最適に組み立てることにより、より一般化した制御信号や目標指向の制御信号に（又はこの種の信号への利用者自身が定義した目標指向の応答に）、応答することを可能とする。
【０１１２】
装置動作データ2128は、各装置またはグループ装置がどの様に動作しているかに関連した情報を提供することができる。例えば、消費量、消費率、所定期間内の見込み将来消費量、および他の情報が、提供される。
【０１１３】
装置監視データ2130は、ディスプレー上にその装置の監視データを提供することができる。例えば、特定の測定値、温度または他のパフォーマンス測定値が、利用者によって見ることが出来る。現在と履歴データとを、適切なグラフィック、例えば図、棒グラフ、などで利用者に表示することもできる。監視頻度も分析され、同様に調整される。
【０１１４】
メッセージ送信情報2132は、一人以上の受信者が通信の好適なモードを介して、どの様に特定のデータを受信することができるかに関する規則を提供することができる。通信モードには、音声、電子メール、ファックス、ポケットベル、SMS／テキスト、XMLデータ及び／又は他の通信手段、等の組み合わせが含まれる。例えば利用者は、特定の受信者は（その人が、その装置と関係していている、或いは関係していない、夫々の場合）、重要な通信である場合にはポケベルでデータを受信し、監視データを送信する場合には電子メールのような他の通信モードでデータを受信する。加えて、受信頻度と受信時刻または送信時刻も、他の特性と同様に選択することが出来る。
【０１１５】
図22は、本発明の実施例に係る、遠隔装置を監視し制御するための例示的な方法を示すフローチャートである。図22は、複数台の遠隔装置の資源消費及び／又は資源生成を管理する方法を例示する。ステップ2210で、コマンド・メッセージが、中央サーバで受け取られる。このコマンド・メッセージは、さまざまな利用者、例えば末端利用者、資源供給者、電力供給者、第三者、政府団体、及び／又はその他から送信される。このコマンド・メッセージは、装置の資源消費を調整する指示（例えば指令、要請、示唆、その他）を提供することができ、その資源消費の調整は、遠隔装置の動作を調整することによって実行される。調整されるべき装置の認識データ、その調整が行われる特定のトリガーまたは条件、装置の調整が行われる方法に関する指示、及び／又は他の情報は、同様に提供される。資源供給者（例えば発電会社）がコマンド・メッセージを生成する実施例においては、インセンティブを、コマンド・メッセージに関連して提供してもよい。
【０１１６】
ステップ2212で、情報メッセージ（例えば制御信号、その他）が、コマンド信号に応答して中央サーバで生成され、この制御信号が装置の資源消費を遠隔制御、及び／又は調整する。他の実施形態では、ステップ2210が任意のステップとなり、情報メッセージ（例えば制御信号、その他）を自動的に生成することもできる。すなわち、このように情報メッセージは、コマンド・メッセージを受け取らずに生成することも出来る。この情報メッセージは、資源消費を削減し、また資源供給を増加させてもよい。情報メッセージ（例えば制御信号、その他）は、通信チャネル（例えば有線、無線、その他）を経由して遠隔インターフェースユニットに送信され、この情報メッセージ（例えば制御信号、その他）に従ってその装置の資源消費、及び／又は資源生成に変更を生じさせる効果を有するアクションが取られる。ステップ2213で、この情報メッセージ（例えば制御信号、その他）は、データを一人以上の予定受信者に提供するために、通信装置にメッセージを送ることができる。例えば、予定受信者には、資源消費及び／又は資源生成の調整に関しての情報が提供される。ステップ2214及び／又はステップ2216を介して、それから予定受信者は、一台以上の遠隔装置をどの様に調整するかに関して決定をすることができる。
【０１１７】
ステップ2214で、中央サーバからの情報メッセージ（例えば制御信号、その他）が、調整のために遠隔装置へ送信される。ステップ2216で、遠隔装置は情報メッセージ（例えば制御信号、その他）に従い、又はその情報メッセージに反応して、遠隔で調整される。ステップ2222で、その調整が、好適な態様の通信を介して、予定受信者に確認される。ステップ2224で、フィードバック・データは、受信される。フィードバック・データは、情報メッセージ（例えば制御信号、その他）の送信後、調整の確認後、資源需要及び／又は資源供給の変更が測定された後、及び／又は変化のための決済処理の後、に受け取られる。フィードバック・データに応答して、ステップ2226で、コマンド・メッセージ（または情報メッセージ、制御信号、その他）が、調整される。加えて、付加的な情報メッセージ（例えば制御信号、その他）を、そのフィードバック・データに応答して生成することができる。このコマンド・メッセージに加えて、インセンティブデータが、フィードバック・データに応答して調整されることもある。例えば、僅かな割合の装置だけが反応した場合、そのコマンド・メッセージは、資源削減のためのより大きなインセンティブを含むように調整されることがある。
【０１１８】
ステップ2218で、調整から生じた資源消費及び／又は資源生成における変更量が、測定される。ステップ2220で、利用者は、変化量に対する貸方額（クレジット額）を受領することができる。クレジットが、経済補償または他のタイプの補償形態であってもよい。ステップ2228で、測定された変化及び／又は変化のための決済処理に応答して、利用者または他の認可された主体は、取引システムを介して潜在的入札者、バイヤー、トレーダおよび他の主体に対して、資源消費及び／又は資源生成における変更量を売買する（トレード取引する）ことができる。このトレード取引は、現在高に対して行っても、また資源消費の削減量及び／又は資源生成の増加量に関する先物高に対しても行うことも出来る。加えてトレード取引は、コマンド・メッセージを受信する前に行ってもよく、換言すると予め定められた起動条件で、トレード行為を開始してもよい。
【０１１９】
図23は、本発明の実施例に係る、遠隔装置を監視および制御するための例示的な方法を示すフローチャートである。図23は、複数の装置を管理する方法を例示している。ステップ2310で、利用者情報が作成され、この利用者情報には、様々なデータ、例えば利用者タイプ、調整（例えば削減、その他）に対する利用者定義の規則、および他の情報が含まれる。この利用者情報は、末端利用者、資源供給者、電力供給者、第三者または他の主体のために作成される。ステップ2312で、監視データは、装置の動作に関連する利用者または他の主体によって受け取られる。加えて、監視データはインターフェースユニットで受信され、この監視データには、例えばある地方のような地域の集積された資源消費データが含まれている。監視データには、状態、動作および他の特徴を含む様々なパフォーマンス測定値を含むことができる。ステップ2313で、外部データが、様々な情報源から受け取られる。ステップ2314で、トリガー条件／イベントが検出されるかどうかが、監視データ及び／又は他の情報に基づいて決定される。このトリガー条件／イベントとは、資源需要の調整及び／又は資源供給の増加に対するコマンド・メッセージの生成を誘発する事前に定義された条件またはイベントであってもよい。
【０１２０】
トリガー条件／イベントが決定される場合、ステップ2316で、遠隔装置を調整するためにコマンド・メッセージ、制御信号、及び／又は情報メッセージが、中央サーバに送信されるか、中央サーバによって生成される。ステップ2318では、装置が調整された後に、調整の確認が受け取られる。加えて、調整不達成情報も受け取られる。このデータは、課金／決済目的のために用いられ、適切な補償およびペナルティーを決定するために使用される。ステップ2320で、調整の結果としての需要の変化及び／又は供給の変化に対する考慮（例えば与信、補償、インセンティブ、その他）が、受け取られる。加えて、増加した供給量は、利用者に対する貸方処理（クレジット処理）がされる。ステップ2322で、利用者は、削減量または供給量を、取引システムを介して一つ以上の他の主体と取引し、及び／又は一つ以上の他の主体へ売却することが出来る。
【０１２１】
図24は、本発明の実施例に係る、遠隔装置を監視システムに関連した例示的な記録テーブルである。2410は、例示的削減記録であり、主体を確認し、調整の対象である装置と関連した詳細が、明示されている。2420は、生成されたシステムメッセージのサンプルを例示し、メッセージID、メッセージ日付およびメッセージ説明が含まれる。サンプルメッセージには、削減アクションの確認、予定の削減通知および現削減の状態データを含むことができる。2424は、メッセージ配信確認記録テーブルのサンプルであり、送信、送信方法、識別子、結果、送信アドレスおよび送信時間が含まれる。
【０１２２】
図25は、本発明の実施例に係る、遠隔装置を監視および制御する例示的システムである。図25は、本発明の実施例に係る他の具体例である。図25に示すように、利用者2512は、資産2514の制御に関して、コマンドまたはコマンド・メッセージ2520を中央システム2510に送信することができる。利用者2512は、複数の装置に関連する末端利用者、資源供給者、電力供給者、第三者、政府団体および他の主体をいう。コマンド・メッセージに応答して、中央システム2510は、遠隔資産2514を制御するために、制御信号2522（または情報メッセージ）を生成することができる。資産
2514の動作を制御するかまたは調整することによって、資源消費量及び／又は資源生成量は中央システム2510によって調整されることもできる。他の例では情報メッセージは、中央システム2510によって生成され、利用者2512に送信され、これにより利用者が、資産
2514に関して資源消費及び／又は資源生成の調整に関して、情報メッセージに基づいて決定をすることができる。
【０１２３】
資産2514の調整は、外部データ、消費総計、供給総計、市場データ、気象データ、保安上の出来事、停電、節電、などを含むデータ2538に基づいてもよい。トリガー2536は、さまざまな主体、例えば末端利用者、資源供給者、電力供給者、及び／又はその他によって予め定義されおり、これらのトリガー2536は資産
2514の動作に影響を与えてもよい。トリガー2536は、資産 2514の動作の調整を誘発する予め定義されたイベント及び／又は条件であってもよい。破線2524で示すように、他のデータ2538もトリガー
2536を決定するために用いることができる。
【０１２４】
他の例ではシステム2510は、自己生成したコマンド2532が設けられている。特定のデータ及び／又はトリガーイベントまたは条件は、資産
2514の調整を自動生成するために設けられている。複数のコマンドは、資産 2514を制御するための予め定義された規則を経由して、生成することもできる。例えば資源の価格が特定のレベルに達した場合、予め定義された調整が、それに応じて実行されてもよい。加えて資源供給者／資源供給者は、所定レベルに達している供給レベルに応答して、調整をプログラムすることもできる。
【０１２５】
調整または他の動きに基づいて、フィードバック・データが、フィードバック・ループ2530を介して資産 2514からシステム2510へ送信され、このフィードバック・データは利用者 2512及び／又は他の予定受信者で受信される。フィードバック・データは、フォローアップ・コマンドを生成するために用いることができる。加えて、調整または他のアクションから生じた資産量は、2534で示した取引ネットワークを介して、買ってくれそうな顧客または入札者に提供される。
【０１２６】
上述の資源需要、資源供給そして他のイベント／条件に関連する、利用者定義データ、外部データ及び／又は他の情報に基づいて、資源需要／消費を削減して及び／又は資源供給を増加するための遠隔装置を遠隔調節するための方法およびシステムによれば、さまざまな繰返し及び実施例が実施できると認められる。
【実施例】
【０１２７】
複数台の遠隔装置に関連する資源消費と資源生成の内の一又は複数を制御する方法とシステムにおいて：少なくとも一台の遠隔装置による及び該遠隔装置の制御による資源消費と資源生成の内の一つ以上に関連する少なくとも一つの情報メッセージを、中央サーバで生成し；そして、前記少なくとも一つの情報メッセージを、少なくとも一台の通信装置へ送信し、該少なくとも一台の通信装置は、少なくとも一つのアクションを惹起させ、該アクションは、一又は複数台の遠隔装置の内の前記少なくとも一台の遠隔装置に関連する資源消費と資源生成の内の一又は複数に、所定の変化を起こさせる効果を有するように構成されている方法とシステムを開示する。
【０１２８】
前記情報メッセージは、少なくとも1つの制御信号を有しており、該少なくとも一台の通信装置は少なくとも一台のインターフェースユニットが設けられており、該一又は複数台の遠隔装置と通信するインターフェースユニットは、少なくとも一つの制御信号に従い少なくとも一台の遠隔装置を制御し、該少なくとも一台の遠隔装置に関する資源消費と資源生成の内の一又は複数の制御対象に、所定の変化を起こさせる効果を有するように構成されている。更に少なくとも一つのコマンドが、中央サーバで受け取られ、該少なくとも一つのコマンドは、少なくとも一台の遠隔装置を制御することに関連があり、そして前記少なくとも一つの情報メッセージは、少なくとも一つのコマンドに基づいて生成されている。前記少なくとも一つの情報メッセージは、前記少なくとも一台の装置を調整するための一又は複数個の要求で構成されており、該要求には、前記少なくとも一台の遠隔装置を調整しなさいという指令、前記少なくとも一台の装置と関連した価格データ、価格データの変化、価格設定期間データ、価格設定期間データの変更、前記少なくとも一台の装置の調整用のインセンティブ、インセンティブの変更、インセンティブ期間、およびインセンティブ期間の変更が含まれる。
【０１２９】
前記少なくとも一つの情報メッセージを誘発する条件は、前記遠隔装置への有効エネルギーの予想される将来の削減であり、前記条件には、有効エネルギーの予想された将来の不足、予備または待機資源容量の削減、エネルギー生成停止、エネルギー送電停止、エネルギー配電停止、そして資源生成、資源供給、資源送電および資源配電の内の一つ以上へのテロまたはハッカー攻撃、の一又は複数個が含まれる。前記少なくとも一つの情報メッセージには、少なくとも一台の遠隔装置の始動することと停止する事の一又は複数事項に関する指示、及び／又は前記少なくとも一台の遠隔装置の動作を調整する指示であり、該指示は、少なくとも一台の遠隔装置の一つ以上の状態と使用、一つ以上のパラメータ、一つ以上の設定値、動作特性、負荷サイクル、制御ロジック、およびスケジューリング、に関する指示である。通信は、以下の一つ以上を経由して行われ、これ等には、双方向通信リンク;携帯電話ネットワーク;無線網、衛星ネットワーク、ページング・ネットワーク、送電線;イーサネット（登録商標）ネットワーク、パケット網、インターネット、メータ読出ネットワークおよび複合ネットワーク、が含まれる。
【０１３０】
加えて、一つ以上の負担および料金が、前記少なくとも一台の遠隔装置の制御と関係していてもよく;また前記少なくとも一台の遠隔装置を制御することに関連する前記少なくとも一台の遠隔装置と関連した請求は、調整することができる。更に、前記少なくとも一つのコマンドは、インターネット・インターフェースを介して、そして利用者情報に従って生成することができる。この利用者情報は、エネルギー消費装置、エネルギー伝達装置およびエネルギー生成装置の一台以上に関心を有する主体に関連した内容であり、また一つ以上のコマンドを生成する主体に関連した内容である。インターフェースユニットは、複数のインターフェースユニットで構成され、各インターフェースユニットは少なくとも一台の遠隔装置と通信を行い、この遠隔装置は、エアコン、ボイラー、モータスタータおよびヒーターの一台以上から構成され、そして更に、この遠隔装置は、発電機、ジェネレータ制御、自動切換スイッチ、燃料電池、太陽電池および風力タービン、の一つ以上から構成されている。インターフェースユニットは、少なくとも一つの情報メッセージに従い、少なくとも一台の装置に関する資源消費と資源生成の一又は複数事項の調整を行い、又このインターフェースユニットは、エネルギー数値計測機器で構成されている。
【０１３１】
少なくとも一つのコマンドは、少なくとも一台の遠隔装置と関係する利用者と;少なくとも一台の遠隔装置を動作するための資源供給者と;少なくとも一台の遠隔装置を動作するための資源供給者、資源配給者、消費者の一人以上に関連する第三者、の一人以上により生成される。少なくとも一つの情報メッセージは、少なくとも一台の遠隔装置を動作するための資源供給者、資源配給者、消費者の一人以上に関連する外部データに基づいて、自動的に生成される。
【０１３２】
少なくとも一台の遠隔装置を調整することで、この少なくとも一台の遠隔装置に関する資源消費と資源生成量の一つ以上についての変化量が、決定される。なおこの変化とは、資源消費の削減と、少なくとも一台の遠隔装置によって生成される資源供給の増加とを意味する。またこの変更には、資源消費の削減と、少なくとも一台の遠隔装置によって生成される資源生成の増加の組み合わせも意味する。変化量についてのデータは、通信リンク、携帯電話ネットワーク、無線網、衛星ネットワーク、ページング・ネットワーク、イーサネット（登録商標）ネットワーク、パケット網、インターネット、送電線、および複合ネットワーク、の一つ以上を経由して電子的に集められる。加えて、資源の現在または予想価格が特定の値より高いものであると決定しておいてもよい。
【０１３３】
情報メッセージに従っているかどうかの検証には、少なくとも一台の遠隔装置が少なくとも一つの情報メッセージに従って制御されたとの判断が含まれる。
【０１３４】
更に、少なくとも一台の装置は、復元することができる。本方法および装置は、少なくとも一つの情報メッセージに応答して行われた調整の以前の状態と条件へ、その少なくとも一台の装置を復元することができ、その復元ステップには、少なくとも一台の装置の一つ以上の状態、使用、一つ以上のパラメータ、一つ以上の設定値、動作特性、負荷サイクル、制御ロジック、およびスケジューリング、等の調整ステップが含まれる。復元ステップは、所定期間の後、及び／又はトリガーイベントに応答して実行され、このトリガーイベントには、有効エネルギー不足の好転、予備または待機資源容量の増加;エネルギー生成停止の好転;エネルギー配電停止の好転;そして一つ以上の資源生成、資源供給および資源配電への一つ以上へのテロ又はハッカー攻撃の好転または終了、等が含まれる。この復元するステップは、復元コマンドの受信により実行され、この復元コマンドは、前記少なくとも一台の装置の動作と関連した資源供給、配電および消費の一つ以上と関連する外部データに基づいて自動的に生成される。
【０１３５】
本方法および装置は更に、利用者への貸方処理を行い、この貸方処理は、下記の処理により行われる。すなわち、少なくとも一つの情報メッセージに従って、少なくとも一台の遠隔装置を起動し、停止させ、制御することの一つ以上により、この一台以上の遠隔装置と関係する利用者の請求金額を調整すること；少なくとも一台の遠隔装置を停止させ、制御することの一つ以上により得られた資源消費削減量と関連してこの少なくとも一台の遠隔装置に関する利用者の請求金額を調整すること：少なくとも一台の遠隔装置を起動させ、制御することの一つ以上により得られた資源供給増加量と関連してこの少なくとも一台の遠隔装置に関する利用者の支払金額を調整すること：少なくとも一つの情報メッセージに従って、少なくとも一台の遠隔装置を起動し、停止させ、制御することの一つ以上により、この一台以上の遠隔装置と関係する利用者の請求金額を調整することと決済処理を起動することの一つ以上の為に、データを生成すること；少なくとも一台の遠隔装置を停止させ、制御することの一つ以上により得られた資源消費削減量と関連して、この少なくとも一台の遠隔装置に関する利用者の請求金額を調整すること：少なくとも一台の遠隔装置を起動させ、制御することの一つ以上により得られた資源供給増加量と関連して、この少なくとも一台の遠隔装置に関する利用者の請求金額を調整すること：等である。加えて、この決済処理は、正確な金額が、資源消費と資源生成の一つ以上に関連した適切な支払人から適当な受取人に払われることを確実にするために起動され、及び／又は複数の適切な金額が、複数の適切な支払人から複数の適当な受取人に払われることを確実にするために起動される。加えて、少なくとも一台の装置と関係する利用者は、予め定められたベース金額と資源消費および資源生成の一つ以上の変化量に対する金額との差額を基本として補償される。なおその補償のステップは、利用者に対して貸方処理をすることで実行され；そのベース金額は、資源消費および資源生成の一つ以上の変化量に対する平均金額で構成され；及び／又はそのベース金額は、時間フレーム、季節および気象データの一つ以上に基づいて調整可能である。
【０１３６】
利用者は、中央サーバによって生成されたオファーを受け入れることができる。この場合、そのオファーには、特定時間に又は特定時間内にユーザが所定のアクションをとる為のインセンティブが含まれており；前記少なくとも一つのコマンドには、一台以上の装置に関係するユーザからのオファーが検討のために含まれており、そのオファーは、資源消費と資源供給の一つ以上での変化を起こさせることができる為のものであり；前記資源消費と資源供給の一つ以上での変化は、資源消費削減と資源供給増加の一つ以上を含み;前記オファーは、一人以上の主体に送信され;及び／又は一人以上の主体のうちの少なくとも一人は、前記オファーを受け入れるべきかどうかを決定する、ことが含まれる。加えて、少なくとも一つの情報メッセージを生成する前にオファーを受け入れるべきかどうかを、価格データ、供給データおよび需要データの一つ以上に基づいて決めるステップが、実行される。更に少なくとも一つの信号が、前記資源変化を起こす効果を有するアクションを終了するために生成され、変化を起こす効果を有するアクションを終了する効果を有するアクションをとるために、少なくとも一台のインターフェースユニットに送られる。なお、一台以上の装置と通信する少なくとも一台のインターフェースユニットは、少なくとも一つの信号に従い、少なくとも一台の装置を制御している。他の例では、少なくとも一つのメッセージが、変化を起こす効果を有するアクションを終了するために生成され；そして、少なくとも一台の通信装置に送信されるが、前記少なくとも一台の通信装置は、利用者と少なくとも一台の遠隔装置の所有者の一人以上から成る少なくとも一人の主体と通信を行う。この少なくとも一台の通信装置には、電子メール・システムまたは装置、ポケットベル、電話、SMSまたはテキスト通信処理装置、モバイル・コンピュータ、静止コンピューティング装置、ウェブ・ブラウザ、サーバ、ソフトウェアプログラム、ファックスの一つ以上が含まれる。
【０１３７】
他の実施例によれば、少なくとも一つの情報メッセージには、少なくとも一台の装置と関連した資源消費を削減させるか又は資源生成を増加させる指令(order)が含まれる。なお少なくとも一つのコマンドには、少なくとも一台の装置と関連した資源消費を削減させるか又は資源生成を増加させる指令(order)が含まれ;その少なくとも一つの情報メッセージは、少なくとも一台の装置と関連した主体によって書き換え可能であり；その少なくとも一つのコマンドは、少なくとも一台の装置と関連した主体によって書き換え可能であり;及び／又は少なくとも一つの情報メッセージは、資源消費と資源生成の複数の変化レベルから一つの変化レベルを指定できて、この各変化レベルは、一つ以上の資源消費および資源生成の異なるレベルを表している。更に、価格データ、需要データおよび供給データが、この指令(order)を決定するために評価参照される。前記少なくとも一つの情報メッセージは、主体が資源消費の削減および資源生成の増加の一つ以上について、予め定めた所定量を指定して要求するリクエストに基づいており、この予め定めた所定量は、需要データ、供給データ、装置データおよび契約データの一つ以上に基づく推定値であり;及び／又は、その予め定められた量は、利用者情報に格納されている。装置の一台以上は、一台以上のエネルギー関連機器であり、装置の一台以上は、この一台以上の装置の初期起動、停止、調整の後に、選択的に再調整され、起動され、又は停止され;この一台以上の装置は、少なくとも一つのコマンドによって選択的に再調整され、起動され、停止され；この一台以上の装置は、付加的な少なくとも一つの情報メッセージによって、選択的に再調整され、起動され、停止され;そして、この一台以上の装置は、少なくとも一人の予定受信者に関連する通信装置へのメッセージ送信に反応して、選択的に再調整され、起動され、停止される。
【０１３８】
前記少なくとも一つの情報メッセージは、回答用複数の調整レベルから、一つの調整レベルを選択する第2主体に対する第１主体のリクエストに基づいており、このリクエストは、第2主体が資源消費を削減し、または資源生成を増加することに関する。前記少なくとも一つのコマンドは、第2主体が資源消費削減または資源生成増加に関する回答用複数の調整レベルから、一つの調整レベルを選択する第2主体に対する第１主体のリクエストで構成されており、前記複数の調整のレベルには調整無しと微調整も含まれている。なお、各調整のレベルは、対応するインセンティブがあり;第1の主体は、少なくとも一台の装置を稼動させる資源供給者であり、少なくとも一つの情報メッセージは、資源消費削減と資源生成増加の一つ以上を要請している第1の主体からのリクエストで構成されており、資源消費または資源生成の一つ以上に関する調整レベルは、利用者情報に基づいて、第2主体のために計算され；前記少なくとも一つのコマンドは、資源消費削減または資源生成増加の一つ以上を要請する第１主体のリクエストで構成されており、資源消費または資源生成の一つ以上に関する調整レベルは、利用者情報に基づいて、第2主体のために計算され；少なくとも一つの情報メッセージは、資源消費削減と資源生成増加の一つ以上を要請している第1の主体からのリクエストで構成されており、資源消費または資源生成の一つ以上に関する調整レベルは、複数の主体のための全体的な目標需要または供給目標に基づいて、第2主体のために計算され；前記少なくとも一つのコマンドは、資源消費削減または資源生成増加の一つ以上を要請する第１主体のリクエストで構成されており、資源消費または資源生成の一つ以上に関する調整レベルは、複数の主体のための全体的な目標需要または供給目標に基づいて、第2主体のために計算され；第2の主体は、調整のレベルがどのように一台以上の装置の全体にわたって分配されるかについて決定し;第2の主体は、調整される一台以上の装置を決定し、そしてその一台以上の装置の調整順序を決定し;一台以上の装置の各々の調整量が、決定され;第2の主体は、調整のレベルがどのように一台以上の装置の全体にわたって分配されるかについて決定し;第2の主体は、調整される一台以上の装置と、その一台以上の装置の調整順序を決定し;少なくとも一つの情報メッセージは、インセンティブ用の所定金額により、資源消費削減と資源生成増加の一つ以上を要請している主体からのリクエストに基づいており；前記少なくとも一つのコマンドは、インセンティブ用の所定金額により、資源消費削減と資源生成増加の一つ以上を要請している主体からのリクエストに基づいており；一台以上の装置に関連する利用者は、そのインセンティブに応じて、資源消費削減と資源生成増加の量を決定し；前記資源消費はエネルギー消費である。加えて、通知メッセージが、少なくとも一台の通信装置に送信され、この通知メッセージは、一人以上の予定受信者に前記少なくとも一つの情報メッセージの配信完了または配信未完について通知し、及び／又は通知メッセージが、少なくとも一台の通信装置に送信され、この通知メッセージは、一人以上の予定受信者に資源消費と資源生成の一つ以上における変化について通知する。
【０１３９】
特定の調整のための、ある主体の資源消費および資源生成の一つ以上における変化量が計算され、この変化量はデータベースに格納され；その変化量は、実際の量、概算量、測定量、計算量、概略量、サンプル抽出量、標準化量、前以て定めた量、補外量、内挿量の一つ以上から成っている。所定の調整レベルのための、ある主体の資源消費および資源生成の一つ以上における潜在的変化量が計算され、この潜在的変化量はデータベースに格納される。前記アクションから生じた特定分野内での資源消費および資源生成の一つ以上における変化量一単位で、補償料を決定し；資源消費および資源生成の一つ以上における前記の変化量一単位は、エネルギーの所定キロワットまたはキロワット時である。
【０１４０】
利用者は、資源消費および資源生成の変化の一つ以上の変化量を、取引システムを介してトレード、購入、又は売却でき、この変化量は、現時点の変化量、将来の変化量および以前の変化量である。さらに利用者は、資源消費および資源生成の変化の一つ以上の変化量を、一人以上の主体から一つ以上の入札を落札することもできる。また利用者は、一つ以上の資源消費と資源生成の一つ以上の予定変化量をオファーしてもよく、少なくとも一つの情報メッセージが予定変化量に基づいて入札を行い；一人以上の主体には、一人以上の他の利用者、一人以上の資源供給者、一人以上の資源転送主体、一人以上の資源分配主体、トレーディング主体、中央サーバと関連した一人以上の利用者、等が含まれる。加えて、一つ以上の条件を、資源消費および資源生成の一つ以上の調整のために、一人以上の主体からの落札に関して定めることができる。
【０１４１】
一台以上の装置の動作と関連した一つ以上の資源消費量、および一つ以上の資源供給量は、評価することができ;前記資源消費量には、複数の装置と関連した総計消費データから成り;消費量には、一つ以上の現在消費高、理論的消費高、予想される消費高、所定の時間内での安定消費高、所定の時間内のピーク消費高、および所定の時間内の平均消費高、等が含まれ；消費量は、予め定義された領域中の総計消費高に関連する複数の装置から補外推定され；及び／又は複数台の装置は、少なくとも一台の通信装置と通信中の一台以上の遠隔装置と他の遠隔装置の組み合わせで構成されている。加えて、資源消費と資源生成の一つ以上は、評価供給量から予め定められた量だけ異なる評価消費総量に基づいて調整される;前記評価消費量は、複数の装置からの総計消費データで構成される。
【０１４２】
一台以上の装置の動作と関連する一つ以上の資源と関連した価格データが、評価され；この価格データは、少なくとも一つの情報メッセージを生成する際に考慮され;この価格データは、少なくとも一つの予め定められた価格閾値と比較され、及び／又は、少なくとも一つの予め定められた価格閾値は、利用者情報に格納されている。更に、複数の装置がモニターされ、複数の価格データが、監視データのステップに少なくとも部分的に基づいて決定され、この複数の価格データは、少なくとも一つの情報メッセージを生成する際に考慮され；この複数の装置は、資源転送装置、資源分配装置、一台以上の装置およびメータ装置、の一台以上から構成されている。加えて、複数の装置がモニターされ、複数の価格データが、監視データのステップに少なくとも部分的に基づいて決定され、この複数の価格データは、少なくとも一つのコマンドを生成する際に考慮される。一台以上の装置の動作と関連する一つ以上の資源と関連した価格データが、評価され；この価格データは、起動、停止、制御、制御の不拘束の少なくとも一つを実行する際に考慮される。
【０１４３】
一台以上の装置の動作と関連する一つ以上の資源と関連した消費量と供給量の一つ以上の予測データが、評価され；この評価された予想データは、少なくとも一つの情報メッセージを生成する際に考慮される。
【０１４４】
一台以上の装置の動作と関連する装置機能データが、評価され；評価された装置機能データは、少なくとも一つの情報メッセージを生成する際に考慮され;この装置機能データには、装置を動作させる際の一つ以上のコスト・データ、装置を動作するための一つ以上の資源のコスト・データ、少なくとも一台の装置よる資源消費および資源生成の一つ以上を調整する能力および他の複数台の装置との関係で装置を制御する優先度に関する情報、等が含まれる。
【０１４５】
一台以上の装置の動作に影響を及ぼす気象状況データが、評価され;この評価された気象状況データは、少なくとも一つの情報メッセージを生成する際に考慮される。一台以上の装置の動作と関連した利用者情報データが、評価され;この評価された利用者情報データは、少なくとも一つの情報メッセージを生成する際に考慮され;この利用者情報データは、平均的需要および平均的供給の一つ以上を表すデータで構成されている。
【０１４６】
一つ以上のイベント条件が、評価され；このイベント条件は、電力削減警告、全国または地域または地区の安全警告、電源またはエネルギー不足警告、テロ攻撃、停電、機器停止、動力系統復元、等が含まれ；評価され一つ以上のイベント条件は、少なくとも一つの情報メッセージを生成する際に考慮される。主体からの一つ以上のエネルギー削減強制命令が、確認され;このエネルギー削減強制命は、少なくとも一つの情報メッセージを生成する際に考慮され;このエネルギー削減強制命は、自己課題されたものであってもよい。
【０１４７】
一台以上の装置の動作は、消費量の一つ以上および評価された供給量に少なくとも部分的に基づいて、バランスがとられ；このバランスをとるステップは一人以上の主体間でも行われる。
【０１４８】
フィードバック・データは、少なくとも一つの情報メッセージの送信に応答して受信され;少なくとも一つの追加的な情報メッセージが、このフィードバック・データに従って生成される。フィードバック・データは、少なくとも一台の装置の調整に応答して受信され;そして、一台以上の装置の動作は、少なくともこのフィードバック・データに少なくとも部分的に基づいて調整される。フィードバック・データは、少なくとも一台の装置の調整に応答して受信され;少なくとも一つのメッセージが、受信されたフィードバック・データに基づいて生成され;そして、少なくとも一つのメッセージは、少なくとも一台の通信装置に送信され；この少なくとも一台の通信装置は、少なくとも一人の受信者に関係し;再調整のステップが、付加的な少なくとも一つの情報メッセージに応答して実行され;再調整のステップは、一台以上の装置を起動し、停止させ、制御する各ステップの一つ以上のステップを含み;このフィードバック・データは、装置レベル・データおよび利用者レベル・データの一つ以上で構成され;このフィードバック・データは、複数の主体の総計データから成り;このフィードバック・データは、特定の主体から独立している総計データから成り;前記再調整のステップには、少なくとも一台の装置の調整と関連したインセンティブを調整することを更に含み;及び／又は、前記再調整のステップには、少なくとも一台の装置の動作と関連する資源と関連した価格を調整することを更に含む。
【０１４９】
一台以上の装置の少なくとも一つのパフォーマンス測定値が、測定され；一台以上の装置の将来のパフォーマンスが、前記測定ステップに基づいて予測され;そして少なくとも一つの情報メッセージが、前記予測された将来のパフォーマンスに少なくとも部分的に基づいて生成され;このパフォーマンス測定値の少なくとも一つには、一つ以上の状態特性、パラメータおよび動作特性が含まれ、そして前記将来のパフォーマンスには、将来の資源消費と将来の資源生成の一つ以上が含まれている。
【０１５０】
利用者と関連した一台以上の装置が、モニターされ、この利用者は、一台以上の装置を特定する利用者情報を有しており；そして少なくとも一つの情報メッセージが、少なくともモニターステップに少なくとも部分的に基づいて、自動的に生成される。少なくとも一つのトリガー条件が、少なくとも一台以上の装置の資源消費と資源生成の一つ以上の調整を自動的に起動するために特定され、この調整が、少なくとも一台の装置に関する状態、使用、パラメータ、設定値、動作特性、負荷サイクル、制御ロジックおよび予定に対して行われ;この情報メッセージの少なくとも一つは、少なくとも一つの前記トリガー条件の発生に応答して生成され;前記トリガー条件の少なくとも1つは、利用者によって定義される予め定められたトリガー条件で構成され；前記トリガー条件の少なくとも1つは、少なくとも一台の装置の資源消費と資源生成の少なくとも1つにおける予め定められた調整予定で構成されており；前記トリガー条件の少なくとも1つは、予め定められた気象状況で構成され、この予め定められた気象状況の発生が、少なくとも一台以上の装置の資源消費と資源生成の一つ以上の調整を自動的に起動し；前記トリガー条件の少なくとも1つは、電力調節を強制する差し迫った事態発生イベントの警告メッセージで構成され；前記トリガー条件の少なくとも1つは、リアルタイムの、略リアルタイムの、将来のおよび予想される価格データ、で構成され;この価格データは、市価データであり；前記トリガー条件の少なくとも1つは、時刻、曜日および季節データを含む予め定められた条件で構成され；前記トリガー条件の少なくとも1つは、現在の余剰資源と不足資源のデータを含む予め定められた条件で構成され；前記トリガー条件の少なくとも1つは、予測した余剰資源と不足資源のデータを含む予め定められた条件で構成され；前記トリガー条件の少なくとも1つは、予め定められた閾値に対する価格変動を含む予め定められた条件で構成されている。
【０１５１】
少なくとも一つのコマンドが、少なくとも一台の装置と関係する利用者から送信され、この利用者は関連する利用者情報を有し;この利用者情報は、一台以上の装置の制御に対する中央サーバの制御権に関して、利用者と主体との間における全体的あるいは部分的な協定を定め;主体は、一台以上の装置の動作について、またはイベントに応答して、利用者と関連する権利を覆す権利を保有し；この利用者は、利用者情報と、前記利用者が一つ以上の権利を譲渡した情報の一つ以上について、全部又は一部を定義し、修正し;前記利用者は、その定義または修正を、インターネットを経由して実行し;その利用者は、資源のトレード・ネットワークへの参加または交換に関連して、利用者情報の全部または一部を利用可能にし;及び／又は、その利用者は、利用者情報に関連したデータを、他の利用者と共有する。
【０１５２】
少なくとも一つの予め定められた規則が、少なくとも一台の装置を制御することに関連し；この少なくとも一つの予め定められた規則は、一台以上の装置と関係する利用者によって定義され;前記少なくとも一つの予め定められた規則は、インターネット経由で利用者インターフェースで定められ;前記少なくとも一つの予め定められた規則は、利用者と関連した利用者情報に格納されており;前記少なくとも一つの予め定められた規則は、一つ以上の状況規則で構成され；この状況規則は、識別された状況に適用でき；前記少なくとも一つの予め定められた規則は、一台以上の装置に特有の予め定められた規則で構成され；前記少なくとも一つの予め定められた規則は、フィードバック・データによって変化し;前記少なくとも一つの予め定められた規則は、状況により変化し；前記少なくとも一つの予め定められた規則は、動的に変化し;少なくとも一つの情報メッセージは、少なくとも一つの予め定められた規則に従って生成され;前記少なくとも一つの予め定められた規則は、一台以上の装置の一つ以上の状態、使用、一つ以上のパラメータ、一つ以上の設定値、動作特性、負荷サイクル、制御ロジック、およびスケジューリング、の一つ以上の要素を制御することに関し；前記少なくとも一つの予め定められた規則は、一台以上の装置がどのようにモニターされるかについて指定し;前記利用者定義規則は、一台以上の装置に関する制御と調整の複数レベルから構成され;前記少なくとも一つの情報メッセージは、少なくとも一台の装置またはこの少なくとも一台の装置の一つ以上のコンポーネントを起動し、停止する一つ以上のアクションを起動させ；前記少なくとも一つの情報メッセージは、以下の複数のアクションを起動させる。すなわち設定値を変えること、複数のパラメータを変えること、少なくとも一台の装置への一つ以上の入力を変えること、少なくとも一台の装置の状態を変えること、予め定義された期間、少なくとも一台の装置に供給される資源の量を削減すこと、少なくとも一台の装置の負荷サイクルを変えること、少なくとも一台の装置の使用予定を変えること、少なくとも一台の装置の作業負荷または使用方法を変えること、少なくとも一台の装置の一つ以上の動作特性を変えること、及び少なくとも一台の装置のプログラミングまたはソフトウェア実行を変えること、等の複数のアクションを起動させ；及び／又は前記少なくとも一つの予め定められた規則は、少なくとも一台の装置の資源消費と資源生成の一つ以上の要素の、一つ以上の調整をいつ、どの様に行うかを識別する。加えて、利用者タイプが確認され、そして、一台以上の装置を予め定められたイベントの間に利用者タイプに基づいたモードで動作させることができる。
【０１５３】
実行されたアクションの確認が受信され、一人以上の受信者にその確認が通知され；前記通知のステップは、確認に基づいて少なくとも一つのメッセージを生成させ；そして、少なくとも一つのメッセージを少なくとも一台の通信装置に送信する各ステップで構成されており；前記少なくとも一台の通信装置は、少なくとも一人の予定受信者に関連する。少なくとも一つの情報メッセージに従ったアクションを実行するのに失敗した一台以上の装置が、認識され、そして一人以上の受信者は、その認識された一台以上の装置について通知され；更に少なくとも一つのメッセージを、前記認識ステップに基づいて生成し、そして前記少なくとも一つのメッセージを、前記少なくとも一台の通信装置へ送信し、前記少なくとも一台の通信装置は、少なくとも一人の予定受信者に関連している。
【０１５４】
複数台以上の装置の資源消費および資源生成の一つ以上を管理する方法とシステムは、一台以上の装置の資源消費および資源生成の一つ以上に関連して決定を行い；そして少なくとも一つのコマンドを中央サーバに送信する各ステップで構成され；前記少なくとも一つのコマンドは、少なくとも一台の装置を制御することに関連し、そして前記決定に少なくとも部分的に基づいており、そして中央サーバは、少なくとも一台の装置を制御するための少なくとも一つのコマンドに基づいて、少なくとも一つの制御信号を生成し、そして少なくとも一つの制御信号をインターフェースユニットへ送信して、少なくとも一台の装置の資源消費と資源生成の一つ以上の変化を生じさせる効果を有するアクションを実行する。資源消費と資源生成の一つ以上に関連したデータが、受信され、この受信したデータは少なくとも一つの制御信号を生成する際に考慮され；そして前記少なくとも一台の装置の資源消費および資源生成の一つ以上に関連したデータが受信され、この受信したデータは、少なくとも一つのコマンドを生成する際に考慮される。一台以上の装置をモニターするための利用者情報が、生成され、該利用者情報は、少なくとも一台の装置に関する資源消費と資源生成の一又は複数事項を調整する一つ以上の予め定められた規則で構成され、前記少なくとも一つの制御信号が、前記少なくとも一つの予め定められた規則に従って自動的に生成され；前記利用者情報は、一台以上の装置に関連する機能性を記載しているデータを提供するモデルで構成され;及び／又は前記データは、個々の装置データ、集合体データ、資源消費データおよび資源生成データの一つ以上の要素から構成されている。少なくとも一台の装置の資源消費と資源生成の一つ以上の変化量に対する貸方処理（クレジット）を示すメッセージが、受信される。前記少なくとも一つの制御信号に従って実行されたアクションの確認を示すメッセージが、受信される。少なくとも一台の装置に関連する資源消費と資源生成の一つ以上の変化量は、一人以上の主体にオファーされ;データ受信には、少なくとも一台の装置の動作に影響を及ぼす外部データを受信することも含まれ、この外部データは、少なくとも一台の装置の資源消費を調整するための少なくとも一つのコマンドを、自動的に生成するトリガー条件を定めるために用いられる。少なくとも一台の装置の動作と関連した資源の価格データは、モニターされ；価格データと予測データの一つ以上に基づいて資源消費の削減をオファーするべきかが、決定され；及び／又は、予め定められた量だけ資源消費を削減すオファーが、起動され;前記オファーは、資源のための市価が所定レベルを上回るときに、オファーが始められ;所定の資源のための率期間が変化した時に、起動され；前記利用者情報は、中央サーバで生成され；及び／又はデータは、予め定められた領域のための合計資源消費データから成る。
【０１５５】
複数台の遠隔装置の資源消費と資源生成の一つ以上を管理する方法とシステムは、少なくとも一つの制御信号が、少なくとも一台の装置の制御に関連する場合に、一台以上のインターフェースユニットで前記少なくとも一つの制御信号を受信するステップと；少なくとも一台の装置に関連する資源消費と資源生成の変化を生じさせる効果を有するアクションをとるために、前記少なくとも一つの制御信号に従いその少なくとも一台の装置と通信を行うステップで構成されている。中央サーバへの前記通信の受信確認は、報告され；その確認は、好適な通信態様を介して、一人以上の予定受信者と関連する少なくとも一台の通信装置に送信される。中央サーバへのアクションの確認は、報告され;その確認は、好適な通信態様を介して、一人以上の予定受信者と関連する少なくとも一台の通信装置に送信され;資源消費、資源生成、装置性能、装置パラメータ、装置状態、装置使用、例外条件、資源消費または資源生産における変化、の一つ以上の要素で構成するデータは、個々に又は集合的に測定され；及び／又は、前記測定されたデータは、好適な通信態様を介して、一人以上の予定受信者に伝えられる。
【０１５６】
複数台の遠隔装置の資源消費と資源生成の一つ以上を管理する方法とシステムは、少なくとも一つの制御信号が、少なくとも一台の装置の制御に関連する場合に、一台以上のインターフェースユニットで前記少なくとも一つの制御信号を受信するステップと；そして少なくとも一つの制御信号に応答して、データの表示、および起動、停止の一つ以上を実行して、インジケータおよび警報の一つ以上を変更するステップで構成され、少なくとも一台の装置に関連する資源消費と資源生成の一つ以上の変化を引き起こす効果を有するアクションをとる情報を提供し；このデータは、資源消費、資源生成、装置性能、装置パラメータおよび資源消費と資源生成の変化、の一つ以上の要素で構成されている。
【０１５７】
少なくとも一台の遠隔装置は、機器認識、製造、モデル、シリアルナンバ、タイプ、カテゴリ、所有権、場所、電子アドレス、動作、電源特性、資源消費、資源生成、電源情報、調整力、現在の状態、少なくとも一台の装置と関連した現在のパラメータ、の一つ以上の要素を識別する識別コンポーネントで構成されている。電源情報は、電力削減量、電力削減時期、複数レベル調整へ調整する能力である調整力、の一つ以上の要素で構成されている。
【０１５８】
複数台の遠隔装置の資源消費と資源生成の一つ以上を制御する方法とシステムは、複数のステーションからの少なくとも一台のステーションを確認し、その少なくとも一台のステーションに関連ある資源消費と資源生成の一つを調整するステップと；その少なくとも一台のステーションの資源消費および資源生成の一つ以上と関連したメッセージを生成するステップと；そして、そのメッセージを少なくとも一つのステーションへ送信するステップで構成され、その少なくとも一つのステーションが、少なくとも一台の通信機器への情報メッセージを生成し、その少なくとも一台の通信機器が、その少なくとも一台の通信機器と関連した一台の装置に関連する資源消費と資源生成の一つ以上の変化を引き起こす効果を有するアクションを実行できること特徴としている。このメッセージは、資源消費量の削減および資源生成の増加の一つ以上から成るコマンドで構成されている。この少なくとも一台の通信機器は、少なくとも一つのアクションを実行することに応答して、確認データを少なくとも一つのステーションに提供することができ;確認データは、一つ以上の契約順守、契約不順守および契約順守の程度の一つ以上に関連したデータで構成されており;少なくとも一つのステーションは、複数の通信装置から資源消費および資源生成の一つ以上の変化に関して、総合データを収集することができ;少なくとも一つのステーションは、少なくとも一つのステーションの動作に影響を及ぼす状態に応答して、誤動作モードで動作することができ;少なくとも一つのバックアップ用ステーションは、その少なくとも一つのステーションに代わって動作し、及び／又はその少なくとも一つのバックアップ用ステーションは、複数のバックアップ用ステーションで構成され、その複数のバックアップ用ステーションの各々は、誤動作モードにあるステーションに代わり責任を持ち合うように構成されている。
【０１５９】
上述のように図１−図１６には、中央システムと遠隔エネルギー消費装置との間における双方向性通信のために使用される動作環境が図示されている。これらのシステムにおいて、通信失敗を防止する通信も、エネルギー管理のための制御装置に加えて記載されている。図１−図１６の各々のシステムと方法に関して以下に詳述する。
【０１６０】
HVAC装置のような、頻繁にモニターする必要がある機器は、特定の受け入れられるパラメータの範囲内で動作する。これらのある種のパラメータは、他のパラメータでより動作、及び／又は寿命の点で重要である。例えば、バッテリーの低電圧状態は、冷却水不足状態より、重大ではないかもしれない。機器がその好適なパラメータの外側領域で動作するときはいつでも、「例外」状態が確立されるか又は存在すると言われている。例外状態は、あまりに頻繁に、非常に稀に、又は全く皆無に起こると、定期的な予定内のイベントを表すこともありえる。例外状態は、機器の設計仕様を越えた測定値を表すことがありえる。
【０１６１】
機器のモニターされた部分が例外状態を検出すると、その機器は携帯電話ネットワークへ接続すべく、そのインターフェースを起動させる。そしてそのインターフェースは、効果的にローミング状態の携帯電話として作用する。インターフェースは、通話を確立するように「試みる」場合;それがローカル・セルの送信者であるとは認められないので、ローカル・セル（携帯電話ネットワークまたは移動スイッチングセンタを介して）は、インターフェースが「呼び出し」を完了するために良好な当事者適格を有することを確認する目的で、インターフェースの「ホーム・セル」へ通知する。もし本当にホーム・セルが検出されない場合、実際には、移動電話のホーム・セルに代わって行うことは、Aeris社またはBell
South Cellemetry社が提供するようなメッセージ・ルーティング・サービスまたはデータ送信である。ローカル・セルがメッセージ・ルーティング・サービスにコンタクトするときは、ローカル・セルは以下の情報を送信する：すなわちインターフェースのシリアル番号;インターフェースに割り当てられるマルチ桁の「電話番号」;そして、インターフェースが「コールすることを試みている相手の」マルチ桁電話番号である。メッセージ・ルーティング・サービスは、ローカル・セルに対して、インターフェースはＯＫで、ブラックリストに記載してはならない、という内容か、又は、呼び出しは不許可、そしてインターフェースは直ちに「ロームＯＫ許可」リストから除外すべし、との内容を通知する。
【０１６２】
更に、そのインターフェースは、本当は誰にも電話をしようとしていない場合;そのインターフェースが呼ぼうとしていた複数桁電話番号は、メッセージ・ルーティング・サービスに送られつつある情報の複数桁コードを表し、誤動作情報を表すかもしれない（例えば、212−555−1212が、「フィルタは、クリーニングを必要とする」ことを意味する）。インターフェースに割り当てられた電話番号は（それは「コンタクトを試みている」という電話番号と共に送られる）、単にどの電話ユニットが送信を行っているかを示すだけでなく、誤動作情報をも送っているかもしれない。この理由は、モニターされている装置の多数には、多数の異なる誤動作状況がないためである。情報がローカル・セルに通信する携帯電話のトランスミッター（送信機）のハンドシェイク部分において送信されるこの種類の技術は、米国特許5,594,740号のLaDue特許や、米国特許5,546,444号のRoach,Jr特許に開示されており、一般に制御チャネルデータの使用として引用されている。LaDue特許（Aerisバージョン）においては、例外またはステータス情報は、インターフェースが呼ぼうとしている「電話番号」の桁（すなわちダイヤルした数字）に埋め込まれており；またRoach,
Jr.特許（Bell South Cellemetry社バージョン）では、例外またはステータス情報は、装置の物理的なハードウェアを示す数字であるインターフェースの電子シリアル番号（ESN）に埋め込まれている。どのインターフェースがメッセージを送ったかについて識別する情報は、インターフェースユニットに割り当てられる移動識別番号（MIN）に埋められることもあり得る。Aerisシステムにおいては、このESNには、インターフェース識別情報も含まれている。典型的データ送信によって送信される情報のクアンタまたはパケットの構造は、以下で更に詳細に開示する。
【０１６３】
【特許文献１】米国特許5,594,740号、LaDue特許
【特許文献２】米国特許5,546,444号、Roach,Jr特許
【０１６４】
本発明は、この技術を拡大し、前述のメッセージ配信技術が含まれている。AerisまたはBell South Cellemetry社のルータは、例外Whoデータを発明に係るメッセージ配信システムに送信し、このシステムが、この不完全な機器をメンテナンス維持する責任がある契約者に情報を送り届ける。契約者は、彼がインターネットでアクセスすることができるメッセージ配信システム上のアカウントが与えられる。契約者は、どの個々人に例外条件を報告するかの特定パラメータを設定する。契約者は、これらの個人がどの媒体（ファックス、電子メール、PCS）によって通知されるかについても設定する。複数の個人が、例外条件に関して警報を受けることが出来る。このデータの全てが、契約者のメッセージ情報を構成する。例えば、冷却状態が低い或いは高い状態にある場合には、契約者および建物の所有者が、警報信号を送られるかもしれないが、フィルタがクリーニングを必要とする場合には、それらの内のわずか一部の人達だけに、おそらく通知されるように構成してもよい。利用者は、メッセージ情報の一部として、その異なる人毎に、異なるメッセージを異なる一日の内の時間、週、月、季節または年に配信してもよい。例えば、優先度の高い例外メッセージは、通常の営業時間の間には、ある一つの修理／保守会社へ配信され、夜間は、異なる修理／保守主体へ配信してもよい。同様に、同一人が、異なる時間に異なる手段（例えばファックスまたはPCS）によって配信されてもよい。メッセージの内容は、時間の関数として、異なることもできる。本発明においては、後述するように、利用者メッセージ情報のさまざまな態様は、データベース上の複数のルック・アップ・テーブルに格納されている。
【０１６５】
課題が起こったときに、契約者に通知することに加えて、インターフェースは、「全てのシステムＯＫ」メッセージによって日に一度チェックインするようにプログラムされてもよい。この「ＯＫ」メッセージも、メッセージ配信システムに送られる。しかしながら、メッセージ配信システム中の例外メッセージのサブルーチンにより処理される代わりに−つまり上述の誤りメッセージを処理するシステムの一部分で処理される代わりに、「ＯＫ」メッセージは無応答サブルーチンによってチェックしてもよい。この無応答サブルーチンは、実際に「ＯＫ」メッセージを返したHVACインターフェース全リストと、全リストを比較する。仮にある一つのインターフェースが「ＯＫ」メッセージを返さない場合、メッセージ配信システムは、メッセージ配信システムにより接続した利用者アカウントに記載されている利用者メッセージ情報に従って、選択された媒体を介して適切な個人に適切なメッセージを発信する。周期的な「ＯＫ」またはステータスメッセージは、単に機器全体の「活動中」である状況情報を提供することに限られず、機器のモニターされた部分についてだけの情報を、送信するのに使用してもよい。後述するように、ステータスメッセージは機器識別情報を伝達するために一部のその桁だけを必要とし、従って他の情報も同様に送信することが可能である。例えば、ステータスメッセージは、例えば先回のメッセージから実行された回数や、モーターの稼動タイムなどの機器についての統計情報も含むことができる。またステータスメッセージは、定期保守のためのメモとして役立つこともできるし、または時間に拘らない、重要でなく且つ優先度の低い状況情報を報告することもできる。
【０１６６】
誤動作装置から、ローカル・セルへ、ルータへ、そしてメッセージ配信システムへ送られるメッセージのフォーマットは、マルチ桁コードである。第1の桁は、メッセージフォーマット用（例えばステータスメッセージ、例外メッセージ、その他）である。サブアドレスには、トランシーバ・インターフェースが割り当てられたどの装置が例外条件にあるかを特定するための1または2桁が予定されており;すなわち、1つのトランシーバ・インターフェースは、バスラインを介してトランシーバに接続されている９つのHVAC装置を有した建物に接続されているか、または、1つのインターフェースは、ローカルRFネットワークの一部であり、複数のHVAC装置の各々はそれ自身のトランシーバを持っていてもよい。最後の桁は、特定の例外条件を示す。
【０１６７】
場所毎に異なるデータ送信を使用するために、各異なる場所からの受信メッセージは、異なるデータ構造またはフォーマットを有することができる。更に、追加のデータフォーマットが開発される毎に、毎回サーバを作り直さずに、本発明のシステムがそれらの追加フォーマットを収容したい場合がある。従って受信メッセージの全てを、次の操作を容易にするために単一の正規化フォーマットに変換することが望ましい。このメッセージ配信システムによって受け取られるマルチ桁メッセージは、正規化され、通常のテキストメッセージに変換され、利用者／契約者に送り届けられる。情報には、モデル、ブランド、設置日およびその場所の気候と天気データを含むこともできる。あるいは、機器識別情報だけを送信すれば済むように、多くのこの種の機器分類データを中央データベースに格納しておいてもよい。
【０１６８】
多くの機器は、ローカルRFネットワークを介して単一の携帯インターフェースに連結してもよい。この構成は、多くの建物が複数のHVAC装置を有し、また各装置が携帯インターフェースを持つのは高価であるために、有利となる。また複数のHVAC装置がかなり遠くにあり、そして共通バスラインへ通信線を接続するのが非実用的であるか不可能である場合には、ローカルRFネットワークの配備は有利でもある。
【０１６９】
以下、図1−図15を参照にして複数の好ましい実施例について説明する。図1は、発明のシステム50の全体図を示す。例えば、既存機器がモニターされ；これ等は例えば、エアコン2、ボイラー3、モータスタータ4、ヒーター5または監視すべきその他の機器である。既存機器は、インターフェースユニット10が装備されている。周期的に、インターフェースユニット10は、ステータス信号をメッセージ配信サーバ1に送信し、メッセージ配信サーバ1に対して機器がモニターされ、インターフェースユニット10が正しく機能しているということを知らせている。モニターされている機器に予め定められた例外条件が発生した場合、インターフェースユニット10は入力例外メッセージをメッセージ配信サーバ1に送信する。メッセージ配信サーバ1は、そのメッセージを出力例外メッセージとして、適切な利用者インターフェースである電子メール6、ファックス7、ポケットベル8、音声９その他へ転送する。なおこれ等の利用者インターフェースは、インターネット122でシステム21の利用者によって定義されたメッセージ情報に従っている。
【０１７０】
本発明のシステムは、既存の遠隔装置に対して開発することが出来る。さまざまな状況を検出できる各種センサを、エアコン、ボイラー、その他に追加することが可能である。例えば、エアコンの中では、異なる状況を検出するために、様々なセンサを本システムに設置することが可能であり、これ等は、低圧力や高圧力、エアコン液の漏れ、空気流、ファンの動き、コンプレッサ機能、等である。どの様なセンサであっても、本発明では使用可能であり、これ等には例えば圧力センサ、パイロット管、運動センサ、光センサ、電気抵抗センサ、水分センサ、磁気センサ、などが含まれる。
【０１７１】
センサがHVAC装置に組み込まれるか又は後で追加されるかはともかく、機器のモニターされた部分の各種センサは、プログラマブル・ロジック・コントローラ（PLC）のはしご論理（ladder
logic）構成に、好ましくは配置されている。各センサは、特定の状態を検出するか又は特定のパラメータをモニターする役割を果たしている。これらのセンサは、例外条件が定められる状況を提供するために、ブール代数演算子（AND、OR、XOR、NOT、その他）を介して分類できる。
【０１７２】
典型的な空気圧調整ユニットのためのこの種のはしご論理（ladder logic）PLCの実施例が、図7に示されている。センサ602−609の各々は、装置の異なる状態／パラメータをモニターしている。センサ604は、冷却液の低圧を検出し、センサ605は冷却液の高圧を検出し、センサ606は送風機が動いているかどうか検出し、センサ607はコンプレッサが動いているかどうか検出し、センサ608は復水流出があるか否かを決定し、そしてセンサ609はコンプレッサが動いているかどうか検出する。いくつかの論理は、直接的で、単純である。例えば、センサ605が高圧状態を検出する場合、高圧メッセージ101がインターフェースユニット10のメッセージを生成している機構を介して送られる。同様にセンサ608が復水流出分を検出する場合、メッセージ102が送られる。
【０１７３】
はしご論理の他のはしご段階は、より複雑である。例えば、線Fで、センサ606が送風機が動いていることを検出する場合、タイマー1は起動され；タイマー１のタイムアウト前に、センサ609によって空気流が検出されないと、「空気流は無し」とのメッセージ104が送られる。線Hにおいて、センサ606はファン動作を検出せず、センサ609は空気流を検出せず、しかしセンサ607が適当なコンプレッサ機能を検出し、タイマー3がタイムアウトになると、「ファン無し又は空気流無しで、コンプレッサ有り」メッセージ105が送信される（第I行）。他の実施例として、センサ602が「aux
1」入力でlogic 0を検知し、線Pのリレー１を起動してディップスイッチ4が閉（logic１）になると、メッセージ107が送信される。この反対に、センサ602が「aux
1」入力でlogic1を検知し、ディップスイッチ4が開（logic 0）になると、メッセージが送信される。両方の場合、メッセージ107が線Qで送信される。
【０１７４】
もし顧客がある特定のメッセージを受信することに興味がない場合、ディップスイッチが、論理の一定部分を使用不能にするために設けられている。例えば、センサは、コンプレッサが急速に回転中であるかどうか検出して、その場合「急速回転」というメッセージを送信するためにセットされる。しかしながら、利用者がコンプレッサを急速に回転させるように故意にセットした場合には、利用者はコンプレッサが急速回転中であることを知らせているメッセージを連続しては受信したくない。その代わりに、ディップスイッチをセットして、そのメッセージが連続送信されるのを抑制することが出来る。従来のディップスイッチは、現場で調整可能である。また本発明は、利用者は後述するように、中央サーバでインターネット経由で仮想ディップスイッチを設定することを可能にする考慮がされている。
【０１７５】
各PLCは、各装置、装置のタイプ、ブランド、モデル、などで異なることがありえる。
PLCはインターフェースユニット10の遠隔設置場所で有線で接続されていてもよく、またインターフェースユニットのソフトウェアが、「仮想PLC」としてPLCの働きをシミュレーションすることも出来る。或いは、各種センサは、システム21と相互通信するウェブサイトでコンピュータソフトウェアを介して接続されることもでき、又は仮想PLCをサーバ1に設けてもよい。例えば、低圧状態のための低圧メッセージ100および高圧状態のための高圧メッセージ101を発送する代わりに、利用者は、センサ604および605の出力をOR処理して、それらを一緒にして「異常な圧力」メッセージを送信してもよい。利用者は、例えばメニュー選択方式のウェブサイトやオートメーション化した電話応答システムなどによって、メッセージ情報を編集するのと同様な方法で、はしご論理を調整することができる。もちろん利用者は、システム・インストーラの最初の物理的構成を必要とし、それを現場で調整して貰う必要がある。
【０１７６】
図1において、機器1−機器4は、それら自身のインターフェースユニット10を備えている。代替配置構造が、図6に示されている。図6に示すように、4台のエアコン2A−2Dは、それぞれセンサ600（各々は、一般的にセンサ602−609や類似センサで表す）およびRF送信機601を各々備えている。例外条件がセンサ600によって検出された場合、または特定の期間の後に例外条件が検出されなかった場合、送信機601は、共通インターフェースユニット10'にRF信号610を送信する。共通インターフェースユニット10'には、信号610を受信するためのアンテナAが含まれる。ユニット10'は、図1に示すように、リンク11を介して受信メッセージを電子メッセージ配信サーバ1に送信する。
【０１７７】
いくつかのインターフェースユニット10からのメッセージは、携帯電話ネットワーク（米国特許番号5,594,740および5,546,444を参照）経由の無線通信等によって送信してもよい。図2は、図1に示された接続11の詳細図である。メッセージは無線周波数接続13を経由して携帯インターフェースユニット10aから近くの携帯送受信機サイト14まで送信され、そのメッセージはそれから、携帯電話ネットワークまたは移動交換局16（MSC、例えばBell
Atlanticのような携帯電話会社）へ転送され、更にそのメッセージはそれから、データ回線17とルータ51（例えばBell South Cellemetry社またはAeris）を介して、メッセージ配信サーバ1に配信される。図4に関する議論から明白であるように、参照番号11aおよび11bは、リンクの異なるタイプを示している。具体的には、参照番号11aは、ダイヤル桁制御チャネルを介してデータを送るために配線された現場地域にあるインターフェース10から入って来た入力例外およびステータスメッセージを受け取るためのものであり;参照番号11bは、メッセージサーバ1にESNチャネルを経由してメッセージを転送するものである。
【０１７８】
利用者メッセージ情報の構成に基づいて、出力例外メッセージ（または複数のメッセージ）は、それから指定された端末装置または複数の端末装置に配信される。図3a−図3dは、サーバ1をさまざまな電子メディアに接続するさまざまな出力リンク12a−12dのより詳細な図を示している。図3aにおいて、サーバ1は、電話線路18aを経由してメッセージをインターネット122に送信して、メッセージを利用者のメールボックス6に置く。図3bにおいて、サーバ1は、利用者のファックス機器7に公衆電話交換網19（PTSN）を通して電話線路18b経由で、メッセージに19を送信する。図3cにおいて、サーバ1は、利用者のポケットベル・サービス53に、そして、それから利用者のポケットベルまたはPCS
8に電話線路18cを経由してメッセージを送る。図3dにおいて、サーバ1は、利用者の音声メールボックス9に、PTSN 19を通して電話第18d経由でメッセージを送る。同一メッセージも、インターネット122経由で利用者121によって構成されたように、多くの他の装置に送ることも出来る。上記の通り、ファックス機器7に送られつつある同一メッセージも、同時にインターネット経由で電子メール6の受信者に同時に送信することが出来る。好ましくは、同じ誤動作条件のために同時に、異なるメッセージを異なる個人に送信することができる。例えば、建物の所有者は、契約者より詳細でないメッセージを受信することもできる。
【０１７９】
情報が所定時間後に配信するように、または特定の状況に出会った後に配信するように、利用者メッセージ情報を構成して、サーバ1にメッセージを保存することも可能である。例えば、サーバ1が入力例外メッセージを受信するたびに、契約者は彼のポケベルが動作することを望まない場合があり得る。この利用者情報は、グループでメッセージを配信したり、またはいくつかのメッセージが同じ利用者／契約者のために蓄積した後に配信するように構成することも出来る。オプションとして、同一の受信メッセージが幾つか受信した後だけに、出力例外メッセージが生成されるように構成することも可能である。サーバ1の一部のメモリは、メッセージの記憶、及び／又は蓄積するために充てることもできる。あるいは、単一の出力例外メッセージは、いくつかの受信メッセージに応答して生成することもできる。
【０１８０】
利用者情報を構成する同じ方法で利用者は、仮想ディップスイッチを特定のエラーメッセージを送信可能または送信不可にするように構成することができる。従来の物理的に組み込まれたディップスイッチは、遠隔装置のある現場で調整されなければならない。仮想ディップスイッチは、サーバ1に格納されたソフトウェア・サブルーチンであり、PLCが遠隔装置のセンサを制御するはしご論理（ladder logic）一部を、利用者がスイッチオン、スイッチオフするのを可能にする。本発明によれば利用者は、インターネット122上のウェブサイトに行き、メニュー選択方式のコマンドで、遠隔装置の設置場所で従来のディップスイッチを反転させることによって自分自身で操作するように、はしご論理（ladder
logic）の一部を使用可能または使用不可にすることができる。加えて利用者は、同様にインターネット経由で、PLCの論理を遠隔で設定することも可能である。
【０１８１】
利用者は、インターネット経由で、上述のような方法で遠隔装置の機能を制御することもできる。利用者は、ウェブサイトまたは他のインターネット・インターフェースでコマンドを入力することができ、それらのコマンドはサーバ1に送り届けられる。利用者情報により、例えば例外メッセージがリンク12a−12dを経由して配信されるのと同様に、コマンド・メッセージがインターフェースユニット10を経由して遠隔装置に送信される。この種のコマンド・メッセージは、利用者に機器を動作させ、停止させ、或いは制御させることができる。インターフェースユニット10は、これらのコマンド・メッセージを受信することができるが、これは、ユニット10がサーバと通信する手段、例えば携帯電話ネットワークが、双方向性である為である。この双指向性の結果、入力リンク11a−11dは、それらのそれぞれのインターフェースユニット10を介して装置と通信するために用いることもできる。
【０１８２】
図4および図8−図15は、メッセージ配信サーバ1の詳細を示す。好ましい実施例においては、サーバ1は、4つのハードウェア装置（太線によって切り離される）200、300、400、および500を含んでいる。装置200は、入力メッセージを受信し、利用者の好みに従ってそれらを処理し、出力のためにそれらを送信する役割を果たす。メッセージは、利用者メッセージ情報がそのように設定されていれば、利用者に送信される前に装置200に一時的に格納または蓄積してもよい。装置300は、利用者121がサーバ1にアクセス出来るようにし、また装置200の関連データベース21にあるその利用者のメッセージ情報を作成または編集することができる。装置400には、さまざまなメッセージをさまざまな媒体（ファックス、電子メール、その他）に送信する役割を果たすさまざまなドライバ33が含まれる。装置500には、サービスの利用者の利用と関連した請求金額と料金の経過を追うための料金コンピュータ38が含まれる。なお各ハードウェア装置の特定部分は、示さるように必ずしも正確な構成に配置される必要はないことを理解すべきである。
【０１８３】
サーバの中心で、1は、関連データベース21である。入力メッセージは、送信方法およびメッセージ・フォーマッティングを扱うように設計された特定の通信サービスによって受信される。全てのインターフェースユニット10には、移動電話の様に、電子シリアル番号（ESN、メッセージを送る特定のインターフェースユニットを確認するために）、および移動識別番号（MIN、移動電話の電話番号と類似の）が、設けられている。ある場合には、例外またはステータス情報は、インターフェースが送信するダイヤル数字に埋め込まれる。ダイヤル桁制御チャネル・モジュール25は、特に制御チャネル・ダイヤル桁（米国特許第5,594,740号を参照）にコード化されたメッセージを受信する。ESN制御チャネル・モジュール24は、メッセージの電子シリアル番号にコード化されたメッセージ（米国特許第5,546,444号）を受信する。ダイヤル桁モジュール25およびESNモジュール24を有するのが好ましいが、その理由は、若干の地理的な地方では、ダイヤル桁データ符号化を使用しているからであり、他の地方ではESNデータ符号化を使用しているからである。情報は、インターフェース10のMINを介して送信され、更にメッセージ配信サーバ1によって受け取られる。各種のサービスが、公衆電話交換網23および携帯デジタル・パケット・データ・ネットワーク22に接続しているアナログモデムのためのメッセージを受信するために、利用することが出来る。データを送信する付加的な方法が利用できるようになるにつれて、それらはサービスの層に加えられることができる。
【０１８４】
全ての受信メッセージが入って来る媒体に関係なく処理出来るように、全ての受信メッセージは正規化モジュール26で正規化される。全ての受信メッセージは通常メッセージ・サブルーチン27を通過し、例外メッセージは、データベース21を通した利用者の構成を介して処理され、転送されるために通過し、定期的なステータスメッセージは、待ち行列に入れられる。ミッシング・メッセージ・サブルーチン28は、受信したステータスメッセージを予定されているメッセージのリストと比較する。受け取っていないステータスメッセージは、ミッシング・メッセージ・サブルーチン28によってエラーメッセージが生成され、そのエラーメッセージは、それから、関連データベース21に記録されるメッセージ情報で利用者自身により定義したように配信される。
【０１８５】
配信されるメッセージは、メッセージ待ち行列32に置かれ;通信文トラフィックが許す順序で、適切なドライバ33がメッセージ待ち行列32からメッセージを要求して、適切な配信経由でメッセージを送る。番号ページ、ファックス、音声およびDTMF
34が、PTSN 12b−12d、電子メール35が、インターネット122を通じて送信される。ドライバ33が旨く配信されると、旨くいった配信の日時を示す記録が、配信確認サブルーチン31によってデータベース21中に作成される。また配信不能のメッセージは、配信不能メッセージ・エラーを生成するためにデータベースへ返信される。
【０１８６】
利用者121は、インターネット122でインターネット情報サーバ30に接続する。インターネット情報サーバは、その利用者のインターフェースに関係している情報を利用者に提示する。利用者のデータを変えるリクエストは、データベース21の完全性および安全を保護するために、アクティブサーバ・ページ29を通過する。システムを通過する全てのメッセージおよび処理は、セクション36に記録され、処理およびメッセージ記録は、それからインターフェース37を通して料金システム38に送られる。
【０１８７】
関連データベース21の一部のメモリは、時間経過と共にモニターされている装置に関するデータを編集するために好ましくは用いられる。この種のデータは、いかなる数の異なる分類基準、例えば機器のブランド、機器の特定のモデル、設置日（そして、機器の設置年数）機器が取り付けられた一般的なローカル気候（例えば、乾燥した、湿気がある、暖かい、雨の、その他）、特定の期間のローカル気象状況、などによって分類可能である。この情報は、多くの異なる方法で有用である。利用者は、例えば、インターネットでログインすることができ、いずれが最も信頼性が高いか、最も信頼できないかを見るために、自分の特定の装置に関する保守履歴が判ることができる。あるいは利用者は、どのブランド又はモデルが、一般に所与の状況用に（年齢、気候、天気、その他）、最も信頼性が高いかを見るために調べることができる。加えて、それらの情報は、データベース21のオペレータによって、照合、処理することも可能であり、いかなる数の異なる基準によって発表することも出来る。さまざまなメッセージを、この目的のために蓄積することも可能である。例えば、インターフェースユニットからの入力メッセージ、正規化モジュールからの正規化メッセージ出力、出力メッセージ、正常状況メッセージ、その他のメッセージである。
【０１８８】
利用者−契約者の概略見込みからのシステム動作の例として、以下のストーリーが考えられる。利用者−契約者121がシステム50を最初に契約するときに（図１）、彼には電子メッセージ配信サーバ1上のアカウントが授与される。インターネット経由で、契約者121は、ポケットベル番号、携帯電話番号、ファックス番号、そして契約者が責任を負うビル内の機器2−5の例外条件発生時に通知できるいかなる個人インターネットアドレス、を入力するように、ソフトウェアによって促される。利用者−契約者121は、彼に機器2−機器5から送られる定期的で連続した日常的な状況チェック・メッセージを知らせるためにソフトウェアを設定することもできる。
【０１８９】
図5は、メッセージがサーバ1によって受け取られた時に、生成する基本手順のフローチャートを表す。ステップS1で、メッセージが受け取られる。ステップS2で、正規化モジュール26は、受信メッセージから必要要素を取り外して、それらを正規化フォーマットに配置して、記録としてそれらをテーブルに格納する。サーバ1は、この時点でいかなる受信媒体のタイプのメッセージに関する特定要素を調べることができる。ステップS3で、どんなタイプのエラーメッセージが受け取られたかが決定される。それが即時の動きを必要とする例外メッセージである場合、ステップS5の配信のために、ステップS4で読み出し可能なメッセージを構成するのを開始するプロセスへ移行する。そうでない場合には、サーバ1は、受信メッセージがステップS6で、「チェックインした装置」か「システムOK」のステータスメッセージであるかどうかを決定する。もし利用者が自分のメッセージ情報をそのように構成した場合、格納／蓄積ステップ（図示せず）が、ステップS4およびS5との間で発生する。未定義メッセージは、ステップS7で処理される。装置の正常動作を示すために受ける周期的メッセージとして構成されている場合には、そのメッセージはあとで使用するためにステップS8で格納される。周期的に、ステップS8で報告した装置のリストと、報告すべき動作中の装置のリスト（データベース21の一部）は、ステップS9で比較される。報告済みであるchecked−in装置リストに現れない動作中リスト上の装置は、処理されて、ステップS10で報告しなかった装置のメッセージが作成される。これらのメッセージは、それからステップS5で更なる処理およびメッセージ配信のために送られる。
【０１９０】
上述の実施例において、ボイラー3が非破壊的な状態で、故障すると仮定する。誤動作条件は、センサ（図示せず）によって検出されて、インターフェース10でコード化される。インターフェース10は、ローカル・セルサイト14へリンク13を介して無線メッセージを送信し、そして、それは携帯電話ネットワーク16を介してデータ回線17に接続している。回路17は、メッセージサーバ1にメッセージを送り届ける。そのメッセージが、携帯電話ネットワーク16によって送信された場合、ESN（電子シリアル番号）はリンク11bを介してESNチャネル24に到着するか;あるいは、ダイヤル桁情報は、リンク11aを介してダイヤル桁チャネル25に到着する。
【０１９１】
このメッセージは、正規化モジュール26で正規化されて、正規化メッセージ・プロセスモジュール27にパスされる。モジュール27は、それとともに、関連データベース21から利用者メッセージ情報を選択し、それに従って、どんなメッセージが誰に、どの媒体によって送られるかについて決定する。代わりに又は加えて、複数の誤動作条件が、利用者が構成可能なはしご論理（ladder
logic）を介して結合されることがある。
【０１９２】
上記の説明は、本発明のシステムのマクロな働きに関する「利用者の目」からの見解である。好ましい実施例のいくつかの内的な働きに関する付加的な詳細が、以下に続く。ただし、これらの詳細が、本発明の範囲で制限するものとして、決して解釈されてはならない。
【０１９３】
データを配信出来る多くの方法が存在し；本発明の目的のうちの1つは、このように様々な配信方法を使用して、以後の過程が前述の配信方法によって影響を受けないように、受信データを正規化することである。図4は、装置200によってリンク11a−11dを経て様々なフォーマットにおいて受け取られるデータを示す。また図8は、装置200で受信可能な2つの例示的なデータ送信フォーマットを例示する。第1の配信である「配信A」から受け取ったメッセージが、データパケット702を有する複数個の情報パケットの列700の形で受け取られる。データパケット702は、インターフェースユニット10によってサーバに送り届けられたメッセージである。この特定の配信により、例示的なデータパケット702Aで示す15桁の10進数の形でメッセージが配信される。
【０１９４】
異なる例示的な配信である「配信B」が、図8の配信Aの下に示されている。配信Bにおいて、単一のパケット701が、受け取られる。この単一のパケットは、データ要素703を含む要素に解析される。例示的なデータ要素703Aが、16進数の８桁を含むことが示されている。本発明に係るこのシステムの機能のうちの1つは、上述の15桁の10進数の形で表現された配信Aや、8桁の16進数の形で表現された配信Bに限らず、広範囲な情報フォーマットを受け入れることが可能な点にある。
【０１９５】
関連データベース21には、多くのテーブルは設けられており、各配信のために最低一個づつであり、そのテーブルには受信データが蓄積されている。図9には、配信Aおよび配信Bから受信したデータがロードされたデータベース21上のテーブルが示されており;
入力メッセージ配信A用テーブル705は、配信Aからデータ要素702を受け取り、そして入力メッセージ配信B用テーブル706は、配信Bからデータ要素703を受け取る。データメッセージが一つの配信から受け取られるときに、標準的データベースコマンドが、適当なテーブル中で次の利用できる列にデータを挿入するために用いられる。なお、中央データベース21には、例えばマイクロソフトで販売されているSQL7のような従来型在庫品のデータベース・プロセッサが装備され、かつ使用することが出来る。
【０１９６】
図10は、典型的配信のためのデータの流れを示す。図10に示される要素の全ては、正規化済みメッセージテーブル710を除いて、各々の配信のために必要であり、この正規化済みメッセージテーブル710は、全ての受信した例外メッセージが更なる処理のために蓄積する共通テーブルである。一つの配信に対する特定のインターフェースは、装置200として一般に表現されており、装置200には、上述した制御チャネル22−25が含まれている。装置200は、その配信の次の入力メッセージを、対応する入力メッセージテーブル708中に、データベースのRow追加機能を使用して挿入する。入力メッセージテーブル708は、一つの配信から受け取った全てのメッセージの履歴を維持する。一つの列が入力メッセージテーブル708に加えられたときに、このシステムは、この受信メッセージが例外メッセージか、通常の状況または「活動中」メッセージであるかどうかを、ステップS3（図5参照）で判断する。受信メッセージが通常のステータスメッセージである場合、その受信メッセージデータを含んでいる列が装置活動中テーブル727に加えられる。記録されたその活動中要素の詳細は、図１４の例示的なテーブル727Aに示されている。
【０１９７】
ステップS3で、入力メッセージ標に加えられた列が、例外メッセージであると判断された場合、正規化プロセス709は、受信メッセージを確認して、配信のために最適だったそのオリジナルのフォーマットから例外メッセージを抽出するために、一群のデータテーブル711−714を参照する。データテーブル711−714は、データベース21に設けられている。各配信は、自分のデータテーブルを必要とする。例えば、図11に示すように、テーブル711Aから714Aが配信Aに対応し;類似のテーブル（図示せず）が、配信Bや本システムによって利用される他のいかなる配信にも提供される。装置テーブル711は、配信のために製造された装置のリストであり、有効装置テーブル714は、起動した装置のリストを含み、メッセージタイプテーブル712およびメッセージコード翻訳テーブル713は、正規化済みメッセージテーブル710に加えられる正規化メッセージを形成するために用いられる。この正規化済みメッセージテーブル710は、全ての配信の各正規化プロセスが列を加える単一のテーブルである。この正規化プロセスは、図4の正規化モジュール26と通常のメッセージ・サブルーチン27の論理的等価である。
【０１９８】
図１５には、メッセージが配信までのメッセージ待ち行列32（図4を参照）に蓄積された後のデータの流れを示す。正規化済みメッセージテーブル710は、このメッセージ待ち行列として機能する。例外メッセージがこのメッセージ待ち行列に対する列として加えられると、配信までの例外メッセージに関係する全てのメッセージ配信のための装置メッセージ配信テーブル720（図１２に詳細に図示した）の中で、ルックアップ動作が実行される。装置メッセージ配信テーブル720は、潜在的に送ることが出来る全ての出力メッセージの全ての配信方法に関するテーブルである。装置メッセージ配信テーブル720の詳細事項には、特定のメッセージのために何回配信すべきか、その配信の方法は何か、何回その配信を試みるか、配信の試みの間隔はどれ位か、どの様な時間内にメッセージを配信すべきか、等が含まれる。各配信方法、すなわちファックス配信、モデム配信、ポケベル配信、電話配信、等は対応する配信プロセス730−733およびメッセージテーブル722−725を有する。例えば、ファックス配信プロセス730には、公衆電話網（PSTN）へ接続し、かつファックス備えた受信者にファックス送信するためのハードウェアおよびソフトウェアが含まれる。ファックス配信テーブル722には、各潜在的ファックス・メッセージのファックス受信者へ送られる実際のメッセージが含まれる。各配信プロセスは、配信試行テーブル726に、列と配信結果を追加する。成功または失敗したファックス配信は、配信結果を示すファックス・ハードウェアインターフェースから返送された結果によって、配信試行テーブル中に列を追加することで示される。電話配信プロセスは、通話に答える人にメッセージテキストを話す音声合成器へのテキストを利用する。配信の確認は、本システムがこの電話メッセージの受け手に対し、このメッセージの受領確認の為に所定のアクション、例えばタッチトーン電話器の所定のボタンを押下することを要求することで行われる。この確認または未確認は、配信試行テーブル726中の電話配信プロセス733により記録される。
【０１９９】
先に述べた利用者定義のメッセージ情報は、一緒に格納される複数の命令語のセットと明確には分離していない。ただし利用者のインターフェース、例えばサーバ30によって維持されるウェブサイト、からは分離して見える。むしろ、利用者メッセージ情報には、複数の要素を含み、夫々の要素は、それが表すデータのタイプに従って異なるテーブル上に配置されている。利用者のそれぞれの配信コマンドの全ては、装置メッセージ配信テーブル720に格納されている。利用者のそれぞれのファクシミリ配信命令の全ては、ファックス格納テーブル722に格納されている。利用者のそれぞれのポケットベル配信命令の全ては、テーブル724に格納されている。各入力は、図12−図14のさまざまなテーブルに示すように、それに関連する「キー」によって認識可能である。
【０２００】
データ・エンジン（例えばSQL 7）は、正規化済みメッセージテーブル710の次の利用できる列を選択する。メッセージ配信IDを利用して、それから、装置メッセージ配信テーブル720中の同じメッセージ配信IDを有する全ての記録を選択する。その結果としての選択リストは、配信方法によってソートされ、メッセージ送信時間の選択基準を満たし、かつ使用可能状態にあるそれらの記録は、メッセージ配信のために準備される。各配信プロセス730−733は、メッセージがその配信機能に適している配信方法で、装置メッセージ配信テーブル720中の配信が出来るかどうかを見るために、データ・エンジンをポーリングする。配信方法がその配信プロセス、例えばファックスを送信出来るなら、ファックス配信プロセス730は、ファックス配信テーブル722から送信すべき例外メッセージのための対応する利用者定義メッセージと、装置設置場所テーブル721で検索した機器場所、製造モデルおよびシリアルナンバとを共に、選択する。この配信プロセスは、それから、配信テーブル中の利用者定義アドレス、例えばファックス配信テーブル722で見つけたファックス番号へ、そのメッセージを送ることを試みる。
【０２０１】
各配信可能なメッセージは、利用者によって、配信テーブル722−725で見つけたメッセージテキストを単に編集することで編集可能である。また複数の配信は、ファックス番号、電話番号、その他の各自の配信アドレスを有した同一のメッセージ配信IDを有した配信テーブル722−725中に、複数個の配信記録を持つことで行われる。なお追加の配信方法は、新規の配信プロセスと関連配信テーブルを追加することで簡単に追加可能である。
【０２０２】
図16は、遠隔サーバに対してメッセージを送る遠隔インターフェースユニット（RIU）10を示す。RIUには、ここで双方向性無線モジュール801として示す、特定搬送波経由でサーバに対してメッセージを送ることが出来る着脱可能なモジュールが含まれる。RIU
10は、モニターすべき機器にいく通りの方法で接続可能である。入力用の複数端子808はモニターすべき機器のリミットセンサ、オペレーティングセンサそして補助センサにケーブル接続することが出来る。代わりに、又は上記に加えて、RIU
10は、シリアルインターフェース807または812を介して、モニターすべき機器の通信インターフェースが装備されていれば、この通信インターフェースに接続することも出来る。
【０２０３】
中央処理装置（CPU）804は、好ましくは3汎用入出力（IO）ポートと2シリアルポートを装備した業界標準8ビット・マイクロコントローラが望ましい。第1の入出力ポートには、表示器800に接続され、この表示器は、オペレーティング・モードやRIU10の状況を、このRIUを設置したり、テストしたり、或いはサービスしたりする担当者に表示するために用いられる。第2の入出力ポートは、モニターする機器およびRIUの電源に接続する。中央処理装置のこのポートは、センサ装置808に現れる不必要なサージや電圧一時的現象から保護する標準フィルタ装置を使用するフィルタ809によって緩衝され、保護されている。このポートは、RIUの内部電源803.とも接続している。中央処理装置804は、RIUの内部電源803のON/OFF操作をすることができ、このON/OFF操作は、予備電池802を使用したり、ライン電力をモニターしたり、ライン電力の周波数を時間標準に維持するために使用される。第3の入出力ポートは、付加メモリ810をCPU
804に接続したり、出力ドライバ813を操作したりするために用いられ、これ等は概してリレーの形態をしている。出力の状態は、CPU 804の中で行われる決定、または双方向性無線モジュール801を介してリモートサーバから受け取るコマンド、のどちらかで判断される。
【０２０４】
CPUは2つのシリアル・インターフェースポートがあり、第1のポートは、マルチプレクサ805に接続しており、このマルチプレクサ805は、シリアルデータの流れを双方向性無線モジュール801または内部インターフェース814に向けるために用いられる。なお内部インターフェース814は、製造中、テスト中、そして次の構成変更の間、RIUを構成するために用いられる。双方向性無線モジュール801は、コネクタ815を介してマルチプレクサ805に接続し;これは、異なる無線器が取り付け可能であり、製造の時点でアプリケーションに最も適した配信の使用を可能にする。配信選択に影響する要素は、リモートサーバに送信されるデータの量であり、配置した無線ネットワーク、すなわちAMPまたはCDPDの上の制御チャネルである。第2のシリアルインターフェースは、RS−232ドライバ806およびRS−485ドライバ811の両方にパラレルに接続し、これ等のドライバはインターフェース装置RS−232807およびRS−485812に接続している。異なる機器製品は異なるインターフェース方式を使用し、ある機器ではRS−232を使用し、また他の機器ではRS−485を使用する。この理由により、このRIUは両方ともサポートする。これらのインターフェースのうちの1つが、機器の通信ポートと通信するために用いられるときには、その機器の内部CPUによって維持されている全ての内部データは、RIUがリモートサーバに送信するために使用できる。RS−232807またはRS−485812がモニターすべき機器と通信するために用いられる時に、センサ装置808が、入力保護回路809を介してCPU
804に接続してもよい。CPU 804、マルチプレクサ805およびラジオ801が一緒になって、上述のインターフェースユニット10のメッセージ生成機構を形成する。
【０２０５】
24時間毎に、CPUは、接続されたモニターすべき機器の状態および操作上のデータを含むデータのパケット（活動中）をアセンブルし、このパケットデータを双方向性無線モジュール801へ送信する。この双方向性無線モジュール801は、その後、上述のように通常の状況メッセージとして情報をリモートサーバに送信する。CPU
804は、センサ装置808の状態もモニターする。これらの入力状況は、CPU 804の中で動作している仮想プログラマブル・ロジック・コントローラ（v-PLC）へ送信される。このv-PLCの結果として生じるリレー出力は、CPU
804に例外メッセージのパケットを生成させ、リモートサーバにそれを配信するために、双方向性無線モジュール801へ送られる。
【０２０６】
本発明は、前記説明に限られず、むしろ添付の請求項によって定義付けされる。上述の説明に対して、従来技術において周知事項を含ませた修正は、当然ながら本発明の範囲内に属する。例えば本発明は、電子通信の全ての形態に適応できるように設計されており、それらは移動電話、有線電話、電子メール、ファクシミリ、テキスト・ページ、音声メール、その他である。電子メディアの全ての形態も、本発明の範囲内であるとして考察される。また入力、出力メッセージの複数のフォーマットも、この請求項および本発明の範囲内に含まれると理解する。利用者は、自分のメッセージ情報を設定することで受信するメッセージのフォーマットおよび内容を調整することもできる。本発明は、HVAC装置をモニター用に使用した形態に限定されず、遠隔装置の全ての形態を維持するために有用であると理解されている。例えば、本発明のシステム及び方法が極めて都合が良いのは、携帯電話塔、無線送信塔および他の遠隔構造物上の警報灯の監視や交換である。
【図面の簡単な説明】
【０２０７】
【図１】本発明に係るシステムの好ましい実施例の系統図である。
【図２】本発明に係るモニターされる機器とシステム間の接続に関する好ましい実施例の系統図である。
【図３ａ】本発明に係る末端利用者の機械およびシステムの接続に関する系統図である。
【図３ｂ】本発明に係る末端利用者の機械およびシステムの接続に関する系統図である。
【図３ｃ】本発明に係る末端利用者の機械およびシステムの接続に関する系統図である。
【図３ｄ】本発明に係る末端利用者の機械およびシステムの接続に関する系統図である。
【図４】本発明による電子メッセージ配信サーバの好ましい実施例の系統図である。
【図５】本発明によるシステムの動作を表すフローチャートである。
【図６】本発明の別の実施例に係る複数個の装置を結びつけるローカルRFネットワークの系統図である。
【図７】本発明に係る例示的な空気圧調整ユニットのためのはしご論理図（ladder logic diagram）である。
【図８】本発明によって利用される2種類のデータ送信の系統図である。
【図９】図８の2つのデータ送信から情報をそれぞれ受け取る2つのIncomingMessage（入信）テーブルの系統図である。
【図１０】図4の正規化モジュールの機能を示す論理図である。
【図１１】図10のさまざまなデータテーブルの系統図である。
【図１２】図4の関連データベースの一部であるDeviceMessageテーブル、DeliveryテーブルおよびDevice Location Tableの系統図である。
【図１３】本発明の利用者定義の幾つかのメッセージ情報を含むさまざまなテーブルの系統図である。
【図１４】本発明の送出メッセージの情報を含むさまざまなテーブルの系統図である。
【図１５】本発明に係るシステムからのメッセージの送信を例示している論理図である。
【図１６】図1の遠隔インターフェースユニットの系統図である。
【図１７】本発明の実施例に係る遠隔装置を監視および制御システムを例示している線図である。
【図１８】本発明の実施例に係る遠隔装置を監視および制御するための中央サーバを例示している線図である。
【図１９】本発明の実施例に係る例示的なトリガー条件／イベント・モジュールを例示している線図である。
【図２０】本発明の実施例に係るトレード・モジュールを例示している線図である。
【図２１】本発明の実施例に係る利用者情報の例示的な具体例である。
【図２２】本発明の実施例に係る遠隔装置を監視および制御するための方法を例示しているフローチャートである。
【図２３】本発明の実施例に係る遠隔装置を監視および制御する方法を例示しているフローチャートである。
【図２４】本発明の実施例に係る遠隔装置を監視する例示的な記録テーブルである。
【図２５】本発明の実施例に係る遠隔装置を監視および制御する例示システムである。
【符号の説明】
【０２０８】
１７１０：中央サーバ
１７２０：通信網
１７２２：ＷＷＷ
１７２４：ＷＡＰ
１７２６：利用者
１７２８：利用者
１７３０：データベース
１７３２：データベース
１７３４：通信リンク
１７３５：通信リンク
１７３８：インターフェースユニット
１７４０：メータ装置
１７４２：照明システム
１７４４：冷凍システム
１７４６：ＨＶＡＣ
１７４８：動力ジェネレータ
１７５０：コンピュータ
１７５２：外部データ
１７６０：音声通話
１７６２：ＸＭＬデータ
１７６４：ＳＭＳ／Ｔｅｘｔ
１７６６：電子メール
１７６８：ファックス
１７７０：ぺージャー
【図１】
2007510968.tif 000003
【図２】
2007510968.tif 000004
【図３ａ】
2007510968.tif 000005
【図３ｂ】
2007510968.tif 000006
【図３ｃ】
2007510968.tif 000007
【図３ｄ】
2007510968.tif 000008
【図４】
2007510968.tif 000009
【図５】
2007510968.tif 000010
【図６】
2007510968.tif 000011
【図７】
2007510968.tif 000012
【図８】
2007510968.tif 000013
【図９】
2007510968.tif 000014
【図１０】
2007510968.tif 000015
【図１１】
2007510968.tif 000016
【図１２】
2007510968.tif 000017
【図１３】
2007510968.tif 000018
【図１４】
2007510968.tif 000019
【図１５】
2007510968.tif 000020
【図１６】
2007510968.tif 000021
【図１７】
2007510968.tif 000022
【図１８】
2007510968.tif 000023
【図１９】
2007510968.tif 000024
【図２０】
2007510968.tif 000025
【図２１】
2007510968.tif 000026
【図２２】
2007510968.tif 000027
【図２３】
2007510968.tif 000028
【図２４】
2007510968.tif 000029
【図２５】
2007510968.tif 000030
【国際調査報告】
2007510968.tif 000031